(57)【要約】【課題】  少なくとも加湿運転が可能な調湿装置(1) の構成を簡素化して、小型化を可能にする。【解決手段】  調湿装置(1) を、冷温水が流通する冷温水回路(10)と、該冷温水回路(10)に設けられ、表面に吸着材を担持した吸着熱交換器(20)と、温水流通時に吸着熱交換器(20)を通過した空気を室内に供給する空気通路(30)とを備えた構成にする。【選択図】  図１
2006105576.tif 000002
【特許請求の範囲】
【請求項１】
少なくとも加湿運転が可能な調湿装置であって、
冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備えていることを特徴とする調湿装置。
【請求項２】
請求項１に記載の調湿装置において、
吸着熱交換器(20)は、第１吸着熱交換器(21)と第２吸着熱交換器(22)とから構成され、
冷温水回路(10)は、温水が第１吸着熱交換器(21)を通過するとともに冷水が第２吸着熱交換器(22)を通過する第１冷温水流通状態と、温水が第２吸着熱交換器(22)を通過するとともに冷水が第１吸着熱交換器(21)を通過する第２冷温水流通状態とを切り換え可能に構成され、
空気通路(30)は、第１吸着熱交換器(21)を通過した空気を室内に供給するとともに第２吸着熱交換器(22)を通過した空気を室外に排出する第１空気流通状態と、第２吸着熱交換器(22)を通過した空気を室内に供給するとともに第１吸着熱交換器(21)を通過した空気を室外に排出する第２空気流通状態とを切り換え可能に構成されていることを特徴とする調湿装置。
【請求項３】
請求項２に記載の調湿装置において、
空気通路(30)は、第１吸着熱交換器(21)及び第２吸着熱交換器(22)の一方を通過した後に室内へ供給する空気として該吸着熱交換器(21,22) に室内空気を供給し、第１吸着熱交換器(21)及び第２吸着熱交換器(22)の他方を通過した後に室外へ排出する空気として該吸着熱交換器(22,21) に室外空気を供給するように構成されていることを特徴とする調湿装置。
【請求項４】
請求項２に記載の調湿装置において、
空気通路(30)は、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室内空気を供給するように構成されていることを特徴とする調湿装置。
【請求項５】
請求項４に記載の調湿装置において、
空気通路(30)は、冷温水回路(10)が停止した状態で、第１吸着熱交換器(21)及び第２吸着熱交換器(22)の一方を通過した室外空気を室内へ供給し、第１吸着熱交換器(21)及び第２吸着熱交換器(22)の他方を通過した室内空気を室外へ排出するように構成されていることを特徴とする調湿装置。
【請求項６】
請求項２に記載の調湿装置において、
空気通路(30)は、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室外空気を供給するように構成されていることを特徴とする調湿装置。
【請求項７】
請求項２に記載の調湿装置において、
冷温水回路(10)は、冷水または温水の一方のみが流通し、他方の流通が停止する運転が可能に構成されていることを特徴とする調湿装置。
【請求項８】
請求項２に記載の調湿装置において、
冷温水回路(10)は、第１四路切換弁(11)と第２四路切換弁(12)とを備え、
各四路切換弁(11,12) は、第１ポート(P1)と第２ポート(P2)が連通し、第３ポート(P3)と第４ポート(P4)が連通する第１状態と、第１ポート(P1)と第３ポート(P3)が連通し、第２ポート(P2)と第４ポート(P4)が連通する第２状態とに切り換え可能に構成され、
第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続され、
第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されていることを特徴とする調湿装置。
【請求項９】
請求項２に記載の調湿装置において、
第１吸着冷却素子(41)と第２吸着冷却素子(42)を備え、各吸着冷却素子(41,42) は、空気中の水分を吸脱着可能な調湿通路(40a) と、該調湿通路(40a) における水分吸着時の吸着熱を冷却用空気で吸熱する冷却通路(40b) とを有し、
空気通路(30)は、加湿運転用空気通路と除湿運転用空気通路とを設定可能に構成され、
加湿運転用空気通路は、第２吸着冷却素子(42)の冷却通路(40b) と第１吸着熱交換器(21)と第１吸着冷却素子(41)の調湿通路(40a) を通過した空気を室内に供給するとともに第２吸着熱交換器(22)と第２吸着冷却素子(42)の調湿通路(40a) を通過した空気を室外に排出する第１空気流通状態と、第１吸着冷却素子(41)の冷却通路(40b) と第２吸着熱交換器(22)と第２吸着冷却素子(42)の調湿通路(40a) を通過した空気を室内に供給するとともに第１吸着熱交換器(21)と第１吸着冷却素子(41)の調湿通路(40a) を通過した空気を室外に排出する第２空気流通状態とを切り換え可能に構成され、
除湿運転用空気通路は、第１吸着熱交換器(21)と第１吸着冷却素子(41)の調湿通路(40a) を通過した空気を室内に供給するとともに第１吸着冷却素子(41)の冷却通路(40b) と第２吸着熱交換器(22)と第２吸着冷却素子(42)の調湿通路(40a) を通過した空気を室外に排出する第１空気流通状態と、第２吸着熱交換器(22)と第２吸着冷却素子(42)の調湿通路(40a) を通過した空気を室内に供給するとともに第２吸着冷却素子(42)の冷却通路(40b) と第１吸着熱交換器(21)と第１吸着冷却素子(41)の調湿通路(40a) を通過した空気を室外に排出する第２空気流通状態とを切換可能に構成されていることを特徴とする調湿装置。
【請求項１０】
請求項２に記載の調湿装置において、
冷媒が循環して冷凍サイクルを行う冷媒回路(50)を備え、該冷媒回路(50)の熱交換器は、表面に吸着剤を担持した第３吸着熱交換器(53)及び第４吸着熱交換器(55)により構成され、
上記冷媒回路(50)は、第３吸着熱交換器(53)が凝縮器となり第４吸着熱交換器(55)が蒸発器となる第１冷媒流通状態と、第４吸着熱交換器(55)が凝縮器となり第３吸着熱交換器(53)が蒸発器となる第２冷媒流通状態とを切り換え可能に構成され、
空気通路(30)は、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態とを切り換え可能に構成されていることを特徴とする調湿装置。
【請求項１１】
請求項２に記載の調湿装置において、
冷媒が循環して冷凍サイクルを行う冷媒回路(60)を備え、該冷媒回路(60)の熱交換器は、空気が冷媒との熱交換により顕熱変化をする第１空気熱交換器(63)及び第２空気熱交換器(65)により構成され、
上記冷媒回路(60)は、第１空気熱交換器(63)が凝縮器となり第２空気熱交換器(65)が蒸発器となる第１冷媒流通状態と、第２空気熱交換器(65)が凝縮器となり第１空気熱交換器(63)が蒸発器となる第２冷媒流通状態とを切り換え可能に構成され、
空気通路(30)は、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態とを切り換え可能に構成されていることを特徴とする調湿装置。
【請求項１２】
請求項２に記載の調湿装置において、
補助熱交換器(70)を備え、該補助熱交換器(70)は、第１の空気が流れる第１通路(71)と第２の空気が流れる第２通路(72)とを備えるとともに、第１通路(71)を流れる空気と第２通路(72)を流れる空気とが全熱交換または顕熱交換を行うように構成され、
空気通路(30)は、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態とを切り換え可能に構成されていることを特徴とする調湿装置。
【請求項１３】
請求項２に記載の調湿装置において、
冷温水回路(10)の冷温水流通状態と空気通路(30)の空気流通状態とを切り換える時間間隔を室内の潜熱負荷に応じて設定する制御手段を備え、
上記制御手段は、室内の潜熱負荷が大きくなるほど上記時間間隔の設定値を小さくするように構成されていることを特徴とする調湿装置。
【請求項１４】
請求項２に記載の調湿装置において、
冷温水回路(10)には、冷凍機(90)で冷却された冷水を供給する冷熱源(81)が接続されていることを特徴とする調湿装置。
【請求項１５】
請求項１４に記載の調湿装置において、
冷温水回路(10)には、冷凍機(90)で冷却された冷水を供給する冷熱源(81)と、該冷凍機(90)から放出される熱で加熱された温水を供給する温熱源(82)が接続されていることを特徴とする調湿装置。
【請求項１６】
請求項２に記載の調湿装置において、
冷温水回路(10)には、冷凍機(90)又はボイラ(95)で加熱された温水を供給する温熱源(81,82)が接続されていることを特徴とする調湿装置。
【請求項１７】
請求項２に記載の調湿装置において、
冷温水回路(10)には、蓄熱装置(101)に蓄熱した冷熱で冷却された冷水を供給する冷熱源(81)が接続されていることを特徴とする調湿装置。
【請求項１８】
請求項２に記載の調湿装置において、
冷温水回路(10)には、蓄熱装置(102)に蓄熱した温熱で加熱された温水を供給する温熱源(82)が接続されていることを特徴とする調湿装置。
【発明の詳細な説明】
【技術分野】
【０００１】
本発明は、調湿装置に関し、特に、少なくとも加湿運転が可能に構成された調湿装置に関するものである。
【背景技術】
【０００２】
従来より、少なくとも加湿運転の可能な調湿装置として、ハニカム状の基材が有する空気通路の表面に吸着材が担持された吸着素子と、冷媒回路を用いたヒートポンプ装置とを備えたものがある（例えば、特許文献１及び特許文献２参照）。この調湿装置は一対の吸着素子を備え、各吸着素子は空気からの水分の吸着と空気への放出とが可能である。そして、第１の吸着素子で第１の空気から水分を吸着して室外へ排出しながら、第２の吸着素子で第２の空気へ水分を与えて室内へ供給する運転と、第２の吸着素子で第１の空気から水分を吸着して室外へ放出しながら、第１の吸着素子で第１の空気へ水分を与えて室内へ供給する運転とを交互に切り換えて、室内を加湿するようにしている。
【０００３】
上記の装置では、室内へ供給する空気を吸着素子に流す前に加熱するために、上記ヒートポンプ装置が用いられている。
【特許文献１】特開２００３−２２７６２６号公報
【特許文献２】特開２００３−２３２５４０号公報
【発明の開示】
【発明が解決しようとする課題】
【０００４】
しかし、上記の装置では、吸着素子とヒートポンプ装置とを設ける必要があり、構成が複雑で、装置が大型になる問題があった。
【０００５】
本発明は、このような問題点に鑑みて創案されたものであり、その目的は、少なくとも加湿運転が可能な調湿装置の構成を簡素化し、小型化を可能にすることである。
【課題を解決するための手段】
【０００６】
本発明は、冷温水回路(10)の熱交換器(21,22) の表面に吸着剤を担持して、加湿運転の可能な調湿装置を構成するようにしたものである。
【０００７】
具体的に、第１の発明は、少なくとも加湿運転が可能な調湿装置を前提としている。そして、この調湿装置は、冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備えていることを特徴としている。
【０００８】
この第１の発明では、冷温水回路(10)に温水を流して吸着熱交換器(20)を加熱すると、該吸着熱交換器(20)の吸着剤から水分が脱離し、該吸着剤が再生される。このとき、吸着熱交換器(20)を通過した空気を室内に供給すると、室内を加湿できる。その後、吸着熱交換器(20)から水分が脱離しなくなると、該吸着熱交換器(20)への温水の流通を停止させるか、あるいは該吸着熱交換器(20)に冷水を流して吸着剤を冷やしながら、例えば水分を含んだ別の空気が吸着熱交換器(20)を通過するような操作をすることで吸着剤に水分を補給する処理を行って、次の加湿動作の準備をする。このようにすることで、室内に間欠的に水分を供給することで加湿運転を行える。
【０００９】
第２の発明は、第１の発明の調湿装置において、例えば図１及び図２に示すように、吸着熱交換器(20)が、第１吸着熱交換器(21)と第２吸着熱交換器(22)とから構成され、冷温水回路(10)が、温水が第１吸着熱交換器(21)を通過するとともに冷水が第２吸着熱交換器(22)を通過する第１冷温水流通状態（図１（Ａ）及び図２（Ａ）に示す状態）と、温水が第２吸着熱交換器(22)を通過するとともに冷水が第１吸着熱交換器(21)を通過する第２冷温水流通状態（図１（Ｂ）及び図２（Ｂ）に示す状態）とを切り換え可能に構成され、空気通路(30)が、第１吸着熱交換器(21)を通過した空気を室内に供給するとともに第２吸着熱交換器(22)を通過した空気を室外に排出する第１空気流通状態（図１（Ａ）及び図２（Ｂ）に示す状態）と、第２吸着熱交換器(22)を通過した空気を室内に供給するとともに第１吸着熱交換器(21)を通過した空気を室外に排出する第２空気流通状態（図１（Ｂ）及び図２（Ａ）に示す状態）とを切り換え可能に構成されていることを特徴としている。
【００１０】
この第２の発明では、図１（Ａ）に示すように冷温水回路(10)を第１冷温水流通状態にするとともに空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。また、図１（Ｂ）に示すように冷温水回路(10)を第２冷温水流通状態にするとともに空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。そして、以上の２つの運転状態を交互に切り換えることで室内を連続的に加湿できる。
【００１１】
また、図２（Ｂ）に示すように冷温水回路(10)を第２冷温水流通状態にするとともに空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。また、図２（Ａ）に示すように冷温水回路(10)を第１冷温水流通状態にするとともに空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。そして、以上の２つの運転状態を交互に切り換えることで室内を連続的に除湿できる。
【００１２】
また、冷温水回路(10)に温水または冷水のいずれか一方を流し、温水または冷水が流れている側の熱交換器(21,22) を通過した空気を室内に供給すると、当初は潜熱変化をする空気がやがては吸着剤の飽和により顕熱変化をするようになるため、暖房または冷房のみの運転を行うことが可能となる。
【００１３】
第３の発明は、第２の発明の調湿装置において、空気通路(30)が、図１及び図２に示すように、第１吸着熱交換器(21)及び第２吸着熱交換器(22)の一方を通過した後に室内へ供給する空気として該吸着熱交換器(21,22) に室内空気を供給し、第１吸着熱交換器(21)及び第２吸着熱交換器(22)の他方を通過した後に室外へ排出する空気として該吸着熱交換器(22,21) に室外空気を供給するように構成されていることを特徴としている。
【００１４】
この第３の発明では、室内空気が第１吸着熱交換器(21)及び第２吸着熱交換器(22)の一方で処理されてから供給空気として再度室内に供給され、室外空気が第１吸着熱交換器(21)及び第２吸着熱交換器(22)の他方で処理されてから排出空気として再度室外に排出される。つまり、この発明の調湿装置は、室内側で空気が吸着熱交換器(21,22) の一方を通って循環し、室外側でも空気が吸着熱交換器(21,22) の他方を通って循環する、いわゆる循環扇型の調湿装置となる。
【００１５】
第４の発明は、第２の発明の調湿装置において、空気通路(30)が、図３及び図４に示すように、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室内空気を供給するように構成されていることを特徴としている。
【００１６】
この第４の発明では、室外空気が第１吸着熱交換器(21)及び第２吸着熱交換器(22)の一方で処理されてから供給空気として室内に供給され、室内空気が第１吸着熱交換器(21)及び第２吸着熱交換器(22)の他方で処理されてから排出空気として室外に排出される。つまり、この発明の調湿装置は、給気・排気とも機械換気で強制的に行う、いわゆる換気扇型（第１種換気方式）の調湿装置となる。
【００１７】
第５の発明は、第４の発明の調湿装置において、空気通路(30)が、図５に示すように、冷温水回路(10)の停止した状態で、第１吸着熱交換器(21)及び第２吸着熱交換器(22)の一方を通過した室外空気を室内へ供給し、第１吸着熱交換器(21)及び第２吸着熱交換器(22)の他方を通過した室内空気を室外へ排出するように構成されていることを特徴としている。
【００１８】
この第５の発明では、冷温水が冷温水回路(10)を流れない状態で単純に換気だけを行うことができる。また、例えば、室内空気よりも室外空気の方が低温である場合に室外空気をそのまま室内へ供給することによって室内の冷房を行う、いわゆる外気冷房運転も可能である。この場合、室外空気は第１吸着熱交換器(21)及び第２吸着熱交換器(22)の一方を単に通過してから供給空気として室内に供給され、室内空気は第１吸着熱交換器(21)及び第２吸着熱交換器(22)の他方を単に通過してから排出空気として室外に放出される。
【００１９】
第６の発明は、第２の発明の調湿装置において、空気通路(30)が、図６及び図７に示すように、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室外空気を供給するように構成されていることを特徴としている。
【００２０】
この第６の発明では、室外空気が第１吸着熱交換器(21)及び第２吸着熱交換器(22)の一方で処理されてから供給空気として室内に供給され、室外空気が第１吸着熱交換器(21)及び第２吸着熱交換器(22)の他方で処理されてから排出空気として再度室外に排出される。つまり、この発明の調湿装置は、給気は機械換気で強制的に行い、排気は自然排気で行う、いわゆる給気扇型（第２種換気方式）の調湿装置となる。
【００２１】
第７の発明は、第２の発明の調湿装置において、冷温水回路(10)が、図８に示すように、冷水または温水の一方のみが流通し、他方の流通が停止する運転が可能に構成されていることを特徴としている。
【００２２】
この第７の発明では、冷温水回路(10)の第１冷温水流通状態及び第２冷温水流通状態と、空気通路(30)の第１空気流通状態及び第２空気流通状態とを切り換えながら、温水または冷水の一方のみを流すことで、加湿運転と除湿運転のいずれか一方が行われる。
【００２３】
第８の発明は、第２の発明の調湿装置において、冷温水回路(10)が、例えば図１及び図２に示すように、第１四路切換弁(11)と第２四路切換弁(12)とを備え、各四路切換弁(11,12) が、第１ポート(P1)と第２ポート(P2)が連通し、第３ポート(P3)と第４ポート(P4)が連通する第１状態と、第１ポート(P1)と第３ポート(P3)が連通し、第２ポート(P2)と第４ポート(P4)が連通する第２状態とに切り換え可能に構成され、第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続され、第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されていることを特徴としている。
【００２４】
この第８の発明では、図１（Ａ）及び図２（Ａ）に示すように各四路切換弁(11,12) を第１状態に切り換えると冷温水回路(10)が第１冷温水流通状態となり、温水が温水流入管(13)及び第１流通管(14)を通って第１吸着熱交換器(21)を流れた後に温水流出管(15)から排出され、冷水が冷水流入管(16)及び第２流通管(17)を通って第２吸着熱交換器(22)を流れた後に冷水流出管(18)から排出される。また、図１（Ｂ）及び図２（Ｂ）に示すように各四路切換弁(11,12) を第２状態に切り換えると、冷温水回路(10)が第２冷温水流通状態となり、温水が温水流入管(13)及び第２流通管(17)を通って第２吸着熱交換器(22)を流れた後に温水流出管(15)から排出され、冷水が冷水流入管(16)及び第１流通管(14)を通って第１吸着熱交換器(21)を流れた後に冷水流出管(18)から排出される。
【００２５】
そして、この第８の発明では、各四路切換弁(11,12) を第１状態と第２状態に切り換えることで冷温水回路(10)を第１冷温水流通状態と第２冷温水流通状態に切り換えると、それまで冷水が流れていた流通管(14,17) 及び吸着熱交換器(21,22) には温水が流れ、逆にそれまで温水が流れていた流通管(17,14) 及び吸着熱交換器(22,21) には冷水が流れることになる。
【００２６】
第９の発明は、第２の発明の調湿装置において、図９及び図１０に示すように、第１吸着冷却素子(41)と第２吸着冷却素子(42)を備え、各吸着冷却素子(41,42) は、空気中の水分を吸脱着可能な調湿通路(40a) と、該調湿通路(40a) における水分吸着時の吸着熱を冷却用空気で吸熱する冷却通路(40b) とを有し、空気通路(30)が、加湿運転用空気通路と除湿運転用空気通路とを設定可能に構成され、加湿運転用空気通路が、第２吸着冷却素子(42)の冷却通路(40b) と第１吸着熱交換器(21)と第１吸着冷却素子(41)の調湿通路(40a) を通過した空気を室内に供給するとともに第２吸着熱交換器(22)と第２吸着冷却素子(42)の調湿通路(40a) を通過した空気を室外に排出する第１空気流通状態（図９（Ａ）の状態）と、第１吸着冷却素子(41)の冷却通路(40b) と第２吸着熱交換器(22)と第２吸着冷却素子(42)の調湿通路(40a) を通過した空気を室内に供給するとともに第１吸着熱交換器(21)と第１吸着冷却素子(41)の調湿通路(40a) を通過した空気を室外に排出する第２空気流通状態（図９（Ｂ）の状態）とを切り換え可能に構成され、除湿運転用空気通路が、第１吸着熱交換器(21)と第１吸着冷却素子(41)の調湿通路(40a) を通過した空気を室内に供給するとともに第１吸着冷却素子(41)の冷却通路(40b) と第２吸着熱交換器(22)と第２吸着冷却素子(42)の調湿通路(40a) を通過した空気を室外に排出する第１空気流通状態（図１０（Ｂ）の状態）と、第２吸着熱交換器(22)と第２吸着冷却素子(42)の調湿通路(40a) を通過した空気を室内に供給するとともに第２吸着冷却素子(42)の冷却通路(40b) と第１吸着熱交換器(21)と第１吸着冷却素子(41)の調湿通路(40a) を通過した空気を室外に排出する第２空気流通状態（図１０（Ａ）の状態）とを切換可能に構成されていることを特徴としている。
【００２７】
この第９の発明では、図９（Ａ）に示すように冷温水回路(10)を第１冷温水流通状態にするとともに加湿運転用空気通路(30)を第１空気流通状態にすると、第２吸着熱交換器(22)及び第２吸着冷却素子(42)の吸着剤に水分を与えながら第１吸着熱交換器(21)及び第１吸着冷却素子(41)の吸着剤を再生し、この再生側の空気を室内に供給することで室内を加湿できる。その際、再生側の空気は、第２吸着冷却素子(42)の冷却通路(40b) を通るときに吸着熱を吸熱することで加熱された後に第１吸着熱交換器(21)と第１吸着冷却素子(41)で加湿されて室内に供給される。また、図９（Ｂ）に示すように冷温水回路(10)を第２冷温水流通状態にするとともに加湿運転用空気通路(30)を第２空気流通状態にすると、第１吸着熱交換器(21)及び第１吸着冷却素子(41)の吸着剤に水分を与えながら第２吸着熱交換器(22)及び第２吸着冷却素子(42)の吸着剤を再生し、この再生側の空気を室内に供給することで室内を加湿できる。その際、再生側の空気は、第１吸着冷却素子(41)の冷却通路(40b) を通るときに吸着熱を吸熱することで加熱された後に第２吸着熱交換器(22)と第２吸着冷却素子(42)で加湿されて室内に供給される。そして、以上の２つの運転状態を交互に切り換えることで室内を連続的に加湿できる。
【００２８】
また、図１０（Ｂ）に示すように冷温水回路(10)を第２冷温水流通状態にするとともに除湿運転用空気通路(30)を第１空気流通状態にすると、第２吸着熱交換器(22)及び第２吸着冷却素子(42)の吸着剤を再生しながら第１吸着熱交換器(21)及び第１吸着冷却素子(41)の吸着剤で水分を吸着し、この吸着側の空気を室内に供給することで室内を除湿できる。その際、吸着側の空気は、第１吸着熱交換器(21)で減湿された後、第１吸着冷却素子(41)の調湿通路(40a) を通るときにさらに減湿されるとともに吸着熱を冷却通路(40b) の空気に放出して室内に供給される。また、図１０（Ａ）に示すように冷温水回路(10)を第１冷温水流通状態にするとともに除湿運転用空気通路(30)を第２空気流通状態にすると、第１吸着熱交換器(21)及び第１吸着冷却素子(41)の吸着剤を再生しながら第２吸着熱交換器(22)及び第２吸着冷却素子(42)の吸着剤で水分を吸着し、この吸着側の空気を室内に供給することで室内を除湿できる。その際、吸着側の空気は、第２吸着熱交換器(22)で減湿された後、第２吸着冷却素子(42)の調湿通路(40a) を通るときにさらに減湿されるとともに吸着熱を冷却通路(40b) の空気に放出して室内に供給される。そして、以上の２つの運転状態を交互に切り換えることで室内を連続的に除湿できる。
【００２９】
第１０の発明は、第２の発明の調湿装置において、冷媒が循環して冷凍サイクルを行う冷媒回路(50)を備え、該冷媒回路(50)の熱交換器が、表面に吸着剤を担持した第３吸着熱交換器(53)及び第４吸着熱交換器(55)により構成され、上記冷媒回路(50)が、第３吸着熱交換器(53)が凝縮器となり第４吸着熱交換器(55)が蒸発器となる第１冷媒流通状態（図１１（Ａ），図１２（Ａ）の状態）と、第４吸着熱交換器(55)が凝縮器となり第３吸着熱交換器(53)が蒸発器となる第２冷媒流通状態（図１１（Ｂ），図１２（Ｂ）の状態）とを切り換え可能に構成され、空気通路(30)が、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態（図１１（Ａ），図１２（Ｂ）の状態）と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態（図１１（Ｂ），図１２（Ａ）の状態）とを切り換え可能に構成されていることを特徴としている。
【００３０】
この第１０の発明では、図１１（Ａ）に示すように冷温水回路(10)を第１冷温水流通状態にするとともに冷媒回路(50)を第１冷媒流通状態にし、かつ空気通路(30)を第１空気流通状態にすると、第４吸着熱交換器(55)及び第２吸着熱交換器(22)の吸着剤に水分を与えながら第３吸着熱交換器(53)及び第１吸着熱交換器(21)の吸着剤を再生し、この再生側の空気を室内に供給することで室内を加湿できる。また、図１１（Ｂ）に示すように冷温水回路(10)を第２冷温水流通状態にするとともに冷媒回路(50)を第２冷媒流通状態にし、かつ空気通路(30)を第２空気流通状態にすると、第３吸着熱交換器(53)及び第１吸着熱交換器(21)の吸着剤に水分を与えながら第４吸着熱交換器(55)及び第２吸着熱交換器(22)の吸着剤を再生し、この再生側の空気を室内に供給することで室内を加湿できる。そして、以上の２つの運転状態を交互に切り換えることで室内を連続的に加湿できる。
【００３１】
また、図１２（Ｂ）に示すように冷温水回路(10)を第２冷温水流通状態にするとともに冷媒回路(50)を第２冷媒流通状態にし、かつ空気通路(30)を第１空気流通状態にすると、第４吸着熱交換器(55)及び第２吸着熱交換器(22)の吸着剤を再生しながら第３吸着熱交換器(53)及び第１吸着熱交換器(21)の吸着剤で水分を吸着し、この吸着側の空気を室内に供給することで室内を除湿できる。また、図１２（Ａ）に示すように冷温水回路(10)を第１冷温水流通状態にするとともに冷媒回路(50)を第１冷媒流通状態にし、かつ空気通路(30)を第２空気流通状態にすると、第３吸着熱交換器(53)及び第１吸着熱交換器(21)の吸着剤を再生しながら第４吸着熱交換器(55)及び第２吸着熱交換器(22)の吸着剤で水分を吸着し、この吸着側の空気を室内に供給することで室内を除湿できる。そして、以上の２つの運転状態を交互に切り換えることで室内を連続的に除湿できる。
【００３２】
なお、この発明では、第１吸着熱交換器(21)と第３吸着熱交換器(53)のどちらが空気通路(30)の上流側になるように配置してもよいし、第２吸着熱交換器(22)と第４吸着熱交換器(54)のどちらが空気通路(30)の上流側になるように配置してもよい。
【００３３】
第１１の発明は、第２の発明の調湿装置において、冷媒が循環して冷凍サイクルを行う冷媒回路(60)を備え、該冷媒回路(60)の熱交換器が、空気が冷媒との熱交換により顕熱変化をする第１空気熱交換器(63)及び第２空気熱交換器(65)により構成され、上記冷媒回路(60)が、第１空気熱交換器(63)が凝縮器となり第２空気熱交換器(65)が蒸発器となる第１冷媒流通状態（図１３（Ａ），図１４（Ａ）の状態）と、第２空気熱交換器(65)が凝縮器となり第１空気熱交換器(63)が蒸発器となる第２冷媒流通状態（図１３（Ｂ），図１４（Ｂ）の状態）とを切り換え可能に構成され、空気通路(30)が、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態（図１３（Ａ），図１４（Ｂ）の状態）と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態（図１３（Ｂ），図１４（Ａ）の状態）とを切り換え可能に構成されていることを特徴としている。
【００３４】
この第１１の発明では、図１３（Ａ）に示すように冷温水回路(10)を第１冷温水流通状態にするとともに冷媒回路(60)を第１冷媒流通状態にし、かつ空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。その際、再生側の空気は、第１吸着熱交換器(21)で加湿されるとともに第１空気熱交換器(63)で加熱されて室内に供給される。また、図１３（Ｂ）に示すように冷温水回路(10)を第２冷温水流通状態にするとともに冷媒回路(60)を第２冷媒流通状態にし、かつ空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。その際、再生側の空気は、第２吸着熱交換器(22)で加湿されるとともに第２空気熱交換器(65)で加熱されて室内に供給される。そして、以上の２つの運転状態を交互に切り換えることで室内を連続的に加湿できる。
【００３５】
また、図１４（Ｂ）に示すように冷温水回路(10)を第２冷温水流通状態にするとともに冷媒回路(60)を第２冷媒流通状態にし、かつ空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。その際、吸着側の空気は、第１吸着熱交換器(21)で減湿されるとともに第１空気熱交換器(63)で冷却されて室内に供給される。また、図１４（Ａ）に示すように冷温水回路(10)を第１冷温水流通状態にするとともに冷媒回路(60)を第１冷媒流通状態にし、かつ空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。その際、吸着側の空気は、第２吸着熱交換器(22)で減湿されるとともに第２空気熱交換器(65)で冷却されて室内に供給される。そして、以上の２つの運転状態を交互に切り換えることで室内を連続的に除湿できる。
【００３６】
第１２の発明は、第２の発明の調湿装置において、補助熱交換器(70)を備え、該補助熱交換器(70)が、第１の空気が流れる第１通路(71)と第２の空気が流れる第２通路(72)とを備えるとともに、第１通路(71)を流れる空気と第２通路(72)を流れる空気とが全熱交換または顕熱交換を行うように構成され、空気通路(30)が、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態（図１５（Ａ），図１６（Ｂ）の状態）と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態（図１５（Ｂ），図１６（Ａ）の状態）とを切り換え可能に構成されていることを特徴としている。
【００３７】
この第１２の発明では、図１５（Ａ）に示すように冷温水回路(10)を第１冷温水流通状態にするとともに空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。その際、再生側の空気は、補助熱交換器(70)で加熱／加湿されるとともに第１吸着熱交換器(21)で加湿されて室内に供給される。また、図１５（Ｂ）に示すように冷温水回路(10)を第２冷温水流通状態にするとともに空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。その際、再生側の空気は、補助熱交換器(70)で加熱／加湿されるとともに第２吸着熱交換器(22)で加湿されて室内に供給される。そして、以上の２つの運転状態を交互に切り換えることで室内を連続的に加湿できる。
【００３８】
また、図１６（Ｂ）に示すように冷温水回路(10)を第２冷温水流通状態にするとともに空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。その際、吸着側の空気は、補助熱交換器(70)で冷却／減湿されるとともに第１吸着熱交換器(21)で減湿されて室内に供給される。また、図１６（Ａ）に示すように冷温水回路(10)を第１冷温水流通状態にするとともに空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。その際、吸着側の空気は、補助熱交換器(70)で冷却／減湿されるとともに第２吸着熱交換器(22)で減湿されて室内に供給される。そして、以上の２つの運転状態を交互に切り換えることで室内を連続的に除湿できる。
【００３９】
第１３の発明は、第２の発明の調湿装置において、冷温水回路(10)の冷温水流通状態と空気通路(30)の空気流通状態とを切り換える時間間隔を室内の潜熱負荷に応じて設定する制御手段を備え、上記制御手段が、室内の潜熱負荷が大きくなるほど上記時間間隔の設定値を小さくするように構成されていることを特徴としている。
【００４０】
この第１３の発明では、室内の潜熱負荷が大きくなるほど冷温水回路(10)の冷温水流通状態と空気通路(30)の空気流通状態とを切り換える時間間隔が小さくなって潜熱処理量が多くなり、逆に室内の潜熱負荷が小さくなるほど上記時間間隔が大きくなって潜熱処理量が少なくなる。
【００４１】
第１４の発明は、第２の発明の調湿装置において、冷温水回路(10)には、冷凍機(90)で冷却された冷水を供給する冷熱源(81)が接続されていることを特徴とするものである。ここで、上記「冷凍機」は、冷媒が循環して蒸気圧縮式の冷凍サイクルを行う蒸気圧縮式の冷凍機や、吸収剤などに冷媒蒸気を吸収させるプロセスを利用して冷凍サイクルを行う吸収冷凍機など、冷却能力を有するものであれば如何なる冷凍機であってもよい。
【００４２】
この第１４の発明では、冷温水回路(10)に冷熱源(81)が接続される。この冷熱源(81)には、冷凍機(90)で冷却された冷水が流れ、この冷水が冷温水回路(10)へ供給される。そして、この冷水は第１吸着熱交換器(21)及び第２吸着熱交換器(22)の吸着材の冷却に利用される。
【００４３】
第１５の発明は、第１４の発明の調湿装置において、冷温水回路(10)には、冷凍機(90)で冷却された冷水を供給する冷熱源(81)と、該冷凍機(90)から放出される熱で加熱された温水を供給する温熱源(82)が接続されていることを特徴とするものである。
【００４４】
この第１５の発明では、冷温水回路(10)に冷熱源(81)と温熱源(82)とが接続される。ここで、冷熱源(81)には、冷凍機(90)で冷却された冷水が流れ、この冷水が冷温水回路(10)へ供給される。そして、この冷水は第１吸着熱交換器(21)及び第２吸着熱交換器(22)の吸着材の冷却に利用される。
【００４５】
一方、温熱源(82)には、冷凍機(90)から放出された熱で加熱された温水が流れ、この温水が冷温水回路(10)へ供給される。そして、この温水は第１吸着熱交換器(21)及び第２吸着熱交換器(22)の吸着材の加熱再生に利用される。
【００４６】
第１６の発明は、第２の発明の調湿装置において、冷温水回路(10)には、冷凍機(90)又はボイラ(95)で加熱された温水を供給する温熱源(81,82)が接続されていることを特徴とするものである。
【００４７】
この第１６の発明では、冷温水回路(10)に温熱源(82)が接続される。この温熱源(82)には、冷凍機(90)又はボイラ(95)で加熱された温水が流れ、この温水が冷温水回路(10)へ供給される。そして、この温水は第１吸着熱交換器(21)及び第２吸着熱交換器(22)の吸着材の加熱再生に利用される。
【００４８】
第１７の発明は、第２の発明の調湿装置において、冷温水回路(10)には、蓄熱装置(101)に蓄熱した冷熱で冷却された冷水を供給する冷熱源(81)が接続されていることを特徴とするものである。ここで、上記「蓄熱装置」は、水の温度差を利用して冷熱を得る顕熱式の蓄熱装置であってもよいし、氷の融解潜熱を利用して冷熱を得る潜熱式の蓄熱装置であってもよい。
【００４９】
この第１７の発明では、蓄熱装置(101)に蓄熱した冷熱で冷却された冷水が冷熱源(81)を流れ、この冷水が冷温水回路(10)へ供給される。そして、この冷水は第１吸着熱交換器(21)及び第２吸着熱交換器(22)の吸着材の冷却に利用される。
【００５０】
第１８の発明は、第２の発明の調湿装置において、冷温水回路(10)には、蓄熱装置()に蓄熱した温熱で加熱された温水を供給する温熱源(82)が接続されていることを特徴とするものである。
【００５１】
この第１８の発明では、蓄熱装置(102)に蓄熱した温熱で加熱された温水が温熱源(82)を流れ、この温水が冷温水回路(10)へ供給される。そして、この温水は第１吸着熱交換器(21)及び第２吸着熱交換器(22)の吸着材の加熱再生に利用される。
【発明の効果】
【００５２】
上記第１の発明によれば、冷温水が流通する冷温水回路(10)に熱交換器を設け、この熱交換器を吸着熱交換器(20)にしているので、該冷温水回路(10)に温水を流したときに吸着熱交換器(20)の吸着剤から水分が脱離する作用を利用して室内を加湿できる。そして、このように冷温水回路(10)に吸着熱交換器(20)を設ける構成にしたことによって、吸着素子とヒートポンプ装置を用いていた従来の調湿装置よりも構成を簡素化し、装置を小型化することが可能となる。
【００５３】
上記第２の発明によれば、冷温水回路(10)を第１冷温水流通状態と第２冷温水流通状態に切り換え可能に構成し、各吸着熱交換器(21,22) に冷水が流れる状態と温水が流れる状態を切り換え可能にするとともに、空気通路(30)を第１空気流通状態と第２空気流通状態に切り換え可能に構成することによって、再生側の空気か吸着側の空気を選択的に室内に供給することができる。したがって、冷温水回路(10)と吸着熱交換器(21,22) を用いて加湿運転や除湿運転を連続的に行える調湿装置を簡単な構成で実現できる。
【００５４】
上記第３の発明によれば、いわゆる循環扇型の調湿装置において、冷温水回路(10)の熱交換器を吸着熱交換器(21,22) にすることで、装置の小型化と簡素化を実現することが可能となる。
【００５５】
上記第４の発明によれば、いわゆる換気扇型の調湿装置において、冷温水回路(10)の熱交換器を吸着熱交換器(21,22) にすることで、装置の小型化と簡素化を実現することが可能となる。
【００５６】
上記第５の発明によれば、いわゆる換気扇型で単純換気や外気冷房が可能な調湿装置において、冷温水回路(10)の熱交換器を吸着熱交換器(21,22) にすることで、装置の小型化と簡素化を実現することが可能となる。
【００５７】
上記第６の発明によれば、いわゆる給気扇型の調湿装置において、冷温水回路(10)の熱交換器を吸着熱交換器(21,22) にすることで、装置の小型化と簡素化を実現することが可能となる。
【００５８】
上記第７の発明によれば、冷温水回路(10)を、温水または冷水の一方のみが流通し、他方の流通が停止する運転が可能に構成している。この場合は、加湿能力あるいは除湿能力が請求項２の装置と比べて若干低下するが、装置自体を温水または冷水の一方しか流通しない構成にすると、冷水供給系統または温水供給系統が不要となり、構成を簡素化することが可能となる。
【００５９】
上記第８の発明によれば、２つの四路切換弁(11,12) を用いて第１冷温水流通状態と第２冷温水流通状態を切り換えるようにしているので、流通状態を切り換えたときに、それまで冷水が流れていた吸着熱交換器(21,22) 内の冷水は温水で押し流され、逆にそれまで温水が流れていた吸着熱交換器(22,21) の温水は冷水で押し流される。このため、吸着熱交換器(21,22) 内に冷水や温水が残らず、熱交換効率が低下することがない。
【００６０】
ここで、第１冷温水流通状態と第２冷温水流通状態を切り換えるには、図１７に示すように、４つの電磁弁（開閉弁）を用いた構成も可能である。この例では、各吸着熱交換器(101,102) の伝熱管を温水側のパス(101a,102a) と冷水側のパス(101b,102b) に分けるとともに、温水流入管(103) を２本に分岐しており、各分岐管(104a,104b) を電磁弁（開閉弁）(105a,105b) を介して吸着熱交換器(101,102) の温水流入側に接続し、吸着熱交換器(101,102) の温水流出側を２本の合流管(106a,106b) を用いて温水流出管(107) と接続している。また、冷水流入管(108) を２本に分岐しており、各分岐管(109a,109b) を電磁弁（開閉弁）(110a,110b) を介して吸着熱交換器(101,102) の冷水流入側に接続し、吸着熱交換器(101,102) の冷水流出側を２本の合流管(111a,111b) を用いて冷水流出管(112) と接続している。
【００６１】
しかし、このように構成すると、冷温水回路(100) を図１７（Ａ）の第１冷温水流通状態と図１７（Ｂ）の第２冷温水流通状態とに切り換えたときに、温水が流通している吸着熱交換器(101,102) の冷水側のパス(101b,102b) に冷水が残り、逆に冷水が流通している吸着熱交換器(101,102) の温水側のパス(101a,102a) に温水が残ってしまう（水が流通している部分については図１７の太い実線の部分を参照し、水が残ってしまう部分については図１７の細い実線の部分を参照すること）ので、熱交換効率が低下してしまう。
【００６２】
なお、４つの電磁弁(105a,105b)(110a,110b)の代わりに、温水流入管(103) と２本の分岐管(104a,104b) の接続箇所や冷水流入管(108) と２本の分岐管(109a,109b) の接続箇所に三方弁（図示せず）を設けても同様の回路を組むことは可能であるが、その場合でも、温水が流通している吸着熱交換器(101,102) の冷水側のパス(101b,102b) に冷水が残り、逆に冷水が流通している吸着熱交換器(101,102) の温水側のパス(101a,102a) に温水が残ってしまうので、電磁弁(105a,105b)(110a,110b)を用いた回路と同様の問題が生じてしまう。
【００６３】
上記第９の発明によれば、冷温水回路(10)の吸着熱交換器(21,22) に加えて、さらに吸着冷却素子(40)を用いるようにしているので、装置の除加湿性能を高めることができる。また、このように高性能であるが、吸着熱交換器(21,22) を用いているので、装置の大型化も防止できる。
【００６４】
上記第１０の発明によれば、冷温水回路(10)の吸着熱交換器(21,22) に加えて、さらに冷媒回路(50)の吸着熱交換器(53,55) を用いるようにしているので、装置の除加湿性能を高めることができる。また、このように高性能であるが、吸着熱交換器(20,53,55)を用いているので、装置の大型化も防止できる。
【００６５】
上記第１１の発明によれば、冷温水回路(10)の吸着熱交換器(21,22) に加えて、さらに冷媒回路(60)の空気熱交換器(63,65) を用いるようにしているので、装置の冷暖房性能を高めることができる。また、このように高性能であるが、吸着熱交換器(21,22) を用いているので、装置の大型化も防止できる。
【００６６】
上記第１２の発明によれば、冷温水回路(10)の吸着熱交換器(21,22) に加えて、さらに補助熱交換器(70)を用いるようにしているので、装置の冷暖房性能及び／または除加湿性能を高めることができる。また、このように高性能であるが、吸着熱交換器(21,22) を用いているので、装置の大型化も防止できる。
【００６７】
上記第１３の発明によれば、室内の潜熱負荷が大きくなるほど冷温水回路(10)の冷温水流通状態と空気通路(30)の空気流通状態とを切り換える時間間隔が小さくなって潜熱処理量が多くなり、逆に室内の潜熱負荷が小さくなるほど上記時間間隔が大きくなって潜熱処理量が少なくなるので、室内の潜熱負荷に応じた快適な運転制御を行うことができる。
【００６８】
上記第１４の発明によれば、冷温水回路(10)で第１吸着熱交換器(21)及び第２吸着熱交換器(22)の吸着材を冷却するために、冷凍機(90)で冷却した冷水を利用するようにしている。このため、容易かつ簡単な構成で吸着材を冷却することができ、この吸着材による水分の吸着効果を高めることができる。
【００６９】
上記第１５の発明によれば、冷温水回路(10)で第１吸着熱交換器(21)及び第２吸着熱交換器(22)の吸着材を冷却するために、冷凍機(90)で冷却した冷水を利用するようにしている。同時に、第１吸着熱交換器(21)及び第２吸着熱交換器(22)の吸着材を加熱再生するために、冷凍機(90)から放出される熱で加熱した温水を利用するようにしている。このため、容易かつ簡単な構成で吸着材を冷却できると同時に、冷凍機(90)の排熱を利用して吸着材の加熱再生を行うことができる。
【００７０】
上記第１６の発明によれば、冷温水回路(10)で第１吸着熱交換器(21)及び第２吸着熱交換器(22)の吸着材を加熱再生するために、冷凍機(90)又はボイラ(95)で加熱した温水を利用するようにしている。このため、容易かつ簡単な構成で確実に吸着材を加熱再生することができる。
【００７１】
上記第１７の発明によれば、冷温水回路(10)で第１吸着熱交換器(21)及び第２吸着熱交換器(22)の吸着材を冷却するために、蓄熱装置(101)で蓄熱した冷熱で冷却した冷水を利用するようにしている。このため、熱源容量の低減を図ることができ、さらには受電設備容量の低減、電気料金の低減を図ることができる。
【００７２】
上記第１８の発明によれば、冷温水回路(10)で第１吸着熱交換器(21)及び第２吸着熱交換器(22)の吸着材を加熱再生するために、蓄熱装置(102)で蓄熱した温熱で加熱した温水を利用するようにしている。このため、第１７の発明と同様、熱源容量の低減を図ることができ、さらには受電設備容量の低減、電気料金の低減を図ることができる。
【発明を実施するための最良の形態】
【００７３】
以下、本発明の実施形態を図面に基づいて詳細に説明する。
【００７４】
《発明の実施形態１》
図１及び図２に示すように、この実施形態１に係る調湿装置(1) は、冷温水が流通する冷温水回路(10)と、この冷温水回路(10)に設けられた吸着熱交換器(20)と、この吸着熱交換器(20)を通過した空気を室内または室外へ選択的に供給する空気通路(30)とを備えている。吸着熱交換器(20)は、第１吸着熱交換器(21)と第２吸着熱交換器(22)とから構成されている。各吸着熱交換器(20)は、表面に吸着剤を担持した熱交換器であり、吸着剤により水分を吸脱着することで空気の湿度を調整することができる。
【００７５】
上記冷温水回路(10)は、上記第１吸着熱交換器(21)及び第２吸着熱交換器(22)と、第１四路切換弁(11)及び第２四路切換弁(12)とを配管接続することにより構成されている。第１四路切換弁(11)及び第２四路切換弁(12)は、それぞれ、第１ポート(P1)と第２ポート(P2)が連通し、第３ポート(P3)と第４ポート(P4)が連通する第１状態（図１（Ａ），図２（Ａ）の実線参照）と、第１ポート(P1)と第３ポート(P3)が連通し、第２ポート(P2)と第４ポート(P4)が連通する第２状態（図１（Ｂ），図２（Ｂ）の実線参照）とに切り換えることができる。
【００７６】
第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続されている。また、第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されている。
【００７７】
そして、上記冷温水回路(10)は、温水が第１吸着熱交換器(21)を通過するとともに冷水が第２吸着熱交換器(22)を通過する第１冷温水流通状態（図１（Ａ），図２（Ａ）の状態）と、温水が第２吸着熱交換器(22)を通過するとともに冷水が第１吸着熱交換器(21)を通過する第２冷温水流通状態（図１（Ｂ），図２（Ｂ）の状態）とを切り換え可能に構成されている。
【００７８】
上記吸着熱交換器(20)は、図示していないが、それぞれ、クロスフィン式のフィン・アンド・チューブ型熱交換器により構成されており、長方形の板状に形成された多数のフィンと、このフィンを貫通する伝熱管とを備えている。そして、上記吸着熱交換器(20)において、上記各フィン及び伝熱管の外表面には、吸着剤がディップ成形（浸漬成形）により担持されている。吸着剤としては、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などを用いることができる。
【００７９】
なお、上記吸着熱交換器(20)は、クロスフィン式のフィン・アンド・チューブ型熱交換器に限らず、他の形式の熱交換器、例えば、コルゲートフィン式の熱交換器等であってもよい。また、吸着熱交換器(20)の各フィン及び伝熱管の外表面に吸着剤を担持する方法は、ディップ成形に限らず、吸着剤としての性能を損なわない限りはどのような方法を用いてもよい。
【００８０】
上記空気通路(30)は、２つの空気通路(31,32) からなり、第１吸着熱交換器(21)を通過した空気を室内に供給するとともに第２吸着熱交換器(22)を通過した空気を室外に排出する第１空気流通状態（図１（Ａ），図２（Ｂ）の状態）と、第２吸着熱交換器(22)を通過した空気を室内に供給するとともに第１吸着熱交換器(21)を通過した空気を室外に排出する第２空気流通状態（図１（Ｂ），図２（Ａ）の状態）とを切り換え可能に構成されている。
【００８１】
この調湿装置(1) は、室内空気(RA)を処理して再度室内に供給する一方、室外空気(OA)を処理して再度室外に排出する循環扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室内空気(RA)を供給し、第１吸着熱交換器(21)及び第２吸着熱交換器(22)の他方を通過した後に室外へ排出する空気として該吸着熱交換器(22,21) に室外空気(OA)を供給するように構成されている。
【００８２】
また、この調湿装置(1) は、冷温水回路(10)の冷温水流通状態と空気通路(30)の空気流通状態とを切り換える時間間隔を室内の潜熱負荷に応じて設定する制御手段を備えている。この制御手段は、室内の潜熱負荷が大きくなるほど上記時間間隔の設定値を小さくするように構成されている。
【００８３】
−運転動作−
（加湿運転）
加湿運転時は、図１（Ａ）の第１運転と図１（Ｂ）の第２運転とを交互に行う。そして、第１運転時は第１四路切換弁(11)と第２四路切換弁(12)が第１状態に切り換わり、第２運転時は第１四路切換弁(11)と第２四路切換弁(12)が第２状態に切り換わる。
【００８４】
第１運転時は、冷温水回路(10)が第１冷温水流通状態になり、空気通路(30)が第１空気流通状態になる。この状態で、温水流入管(13)から冷温水回路(10)に供給された温水は、第１吸着熱交換器(21)を通って該第１吸着熱交換器(21)の吸着剤を加熱した後、温水流出管(15)から排出される。また、冷水流入管(16)から冷温水回路(10)に供給された冷水は、第２吸着熱交換器(22)を通って該第２吸着熱交換器(22)の吸着剤を冷却した後、冷水流出管(18)から排出される。
【００８５】
その際、第１吸着熱交換器(21)では、室内空気(RA)が該第１吸着熱交換器(21)を通過する際に吸着剤を再生することで加湿（潜熱処理）されてから徐々に加熱（顕熱処理）され、該室内空気(RA)は供給空気(SA)として室内に戻る。また、第２吸着熱交換器(22)では、室外空気(OA)が該第２吸着熱交換器(22)を通過することで吸着剤に水分が与えられ、該室外空気(OA)は排出空気(EA)として室外に放出される。
【００８６】
第２運転時は、冷温水回路(10)が第２冷温水流通状態になり、空気通路(30)が第２空気流通状態になる。この状態で、温水流入管(13)から冷温水回路(10)に供給された温水は、第２吸着熱交換器(22)を通って該第２吸着熱交換器(22)の吸着剤を加熱した後、温水流出管(15)から排出される。また、冷水流入管(16)から冷温水回路(10)に供給された冷水は、第１吸着熱交換器(21)を通って該第１吸着熱交換器(21)の吸着剤を冷却した後、冷水流出管(18)から排出される。
【００８７】
その際、第２吸着熱交換器(22)では、室内空気(RA)が該第２吸着熱交換器(22)を通過する際に吸着剤を再生することで加湿（潜熱処理）されてから徐々に加熱（顕熱処理）され、該室内空気(RA)は供給空気(SA)として室内に戻る。また、第１吸着熱交換器(21)では、室外空気(OA)が該第１吸着熱交換器(21)を通過することで吸着剤に水分が与えられ、該室外空気(OA)は排出空気(EA)として室外に放出される。
【００８８】
以上のようにして第１運転と第２運転を交互に繰り返すことにより、加湿運転を連続して行うことができる。このとき、第１運転と第２運転を切り換える時間間隔を調整することで、加湿量（潜熱処理量）を調整することができる。具体的には、上記の時間間隔を短く（切り換え頻度を多く）すると、加湿量を増やすことが可能となる。したがって、室内の潜熱負荷が大きいときは切り換え頻度を多くすることで加湿量を多くして、室内の快適性を高めることができる。また、逆に室内の潜熱負荷が小さいときは、切り換え頻度を少なくすることで加湿量を少なくして、省エネ性を高められる。
【００８９】
また、この運転時は、第１運転と第２運転を切り換えずに一方のみを行い、冷温水回路(10)における冷水の流通を停止して温水だけを流すようにしてもよい。このようにすると、吸着剤が飽和して空気と温水とが顕熱交換をするようになるので、暖房運転を行うことが可能となる。
【００９０】
（除湿運転）
除湿運転時は、図２（Ｂ）の第１運転と図２（Ａ）の第２運転とを交互に行う。そして、第１運転時は第１四路切換弁(11)と第２四路切換弁(12)が第２状態に切り換わり、第２運転時は第１四路切換弁(11)と第２四路切換弁(12)が第１状態に切り換わる。
【００９１】
第１運転時は、冷温水回路(10)が第２冷温水流通状態になり、空気通路(30)が第１空気流通状態になる。この状態で、温水流入管(13)から冷温水回路(10)に供給された温水は、第２吸着熱交換器(22)を通って該第２吸着熱交換器(22)の吸着剤を加熱した後、温水流出管(15)から排出される。また、冷水流入管(16)から冷温水回路(10)に供給された冷水は、第１吸着熱交換器(21)を通って該第１吸着熱交換器(21)の吸着剤を冷却した後、冷水流出管(18)から排出される。
【００９２】
その際、第１吸着熱交換器(21)では、室内空気(RA)が該第１吸着熱交換器(21)を通過する際に水分が吸着剤に吸着されることで減湿（潜熱処理）されてから徐々に冷却（顕熱処理）され、該室内空気(RA)は供給空気(SA)として室内に戻る。また、第２吸着熱交換器(22)では、室外空気(OA)が該第２吸着熱交換器(22)を通過する際に吸着剤が再生され、該室外空気(OA)は排出空気(EA)として室外に放出される。
【００９３】
第２運転時は、冷温水回路(10)が第１冷温水流通状態になり、空気通路(30)が第２空気流通状態になる。この状態で、温水流入管(13)から冷温水回路(10)に供給された温水は、第１吸着熱交換器(21)を通って該第１吸着熱交換器(21)の吸着剤を加熱した後、温水流出管(15)から排出される。また、冷水流入管(16)から冷温水回路(10)に供給された冷水は、第２吸着熱交換器(22)を通って該第２吸着熱交換器(22)の吸着剤を冷却した後、冷水流出管(18)から排出される。
【００９４】
その際、第２吸着熱交換器(22)では、室内空気(RA)が該第２吸着熱交換器(22)を通過する際に水分が吸着剤に吸着されることで減湿（潜熱処理）されてから徐々に冷却（顕熱処理）され、該室内空気(RA)は供給空気(SA)として室内に戻る。また、第１吸着熱交換器(21)では、室外空気(OA)が該第１吸着熱交換器(21)を通過する際に吸着剤が再生され、該室外空気(OA)は排出空気(EA)として室外に放出される。
【００９５】
以上のようにして第１運転と第２運転を交互に繰り返すことにより、除湿運転を連続して行うことができる。このとき、第１運転と第２運転を切り換える時間間隔を調整することで、除湿量（潜熱処理量）を調整することができる。具体的には、上記の時間間隔を短くすると、除湿量を増やすことが可能となる。したがって、室内の潜熱負荷が大きいときは切り換え頻度を多くすることで除湿量を多くして、室内の快適性を高めることができる。また、逆に室内の潜熱負荷が小さいときは、切り換え頻度を少なくすることで除湿量を少なくして、省エネ性を高められる。
【００９６】
また、この運転時は、第１運転と第２運転を切り換えずに一方のみを行い、冷温水回路(10)における温水の流通を停止して冷水だけを流すようにしてもよい。このようにすると、吸着剤が飽和して空気と温水とが顕熱交換をするようになるので、冷房運転を行うことが可能となる。
【００９７】
−実施形態１の効果−
この実施形態１によれば、表面に吸着剤を担持した吸着熱交換器(20)を用いて室内の加湿と除湿を行うようにしているので、吸着素子とヒートポンプ装置とを用いた従来の調湿装置(1) に比べて構成を簡素化し、装置を小型化できる。
【００９８】
また、この実施形態１では、室内の潜熱負荷が大きいときは第１運転と第２運転の切り換え頻度を多くし、逆に潜熱負荷が小さいときは第１運転と第２運転の切り換え頻度を少なくしている。このことにより、室内の快適性と省エネ性のバランスに優れた運転を行うことが可能となる。
【００９９】
また、この実施形態１によれば、２つの四路切換弁(11,12) を用いて冷温水回路(10)を構成しているので、図１７を用いて既に説明したように電磁弁などの開閉弁を用いる場合と比べて構成を簡素化することができるとともに、冷温水回路(10)に水が残らないため性能の低下も生じない。
【０１００】
《発明の実施形態２》
図３及び図４に示す実施形態２の調湿装置(1) は、空気通路(30)の構成が実施形態１と異なるようにした例である。
【０１０１】
この実施形態２においても、冷温水回路(10)は、温水が第１吸着熱交換器(21)を通過するとともに冷水が第２吸着熱交換器(22)を通過する第１冷温水流通状態（図３（Ａ），図４（Ａ）の状態）と、温水が第２吸着熱交換器(22)を通過するとともに冷水が第１吸着熱交換器(21)を通過する第２冷温水流通状態（図３（Ｂ），図４（Ｂ）の状態）とを切り換え可能に構成されている。
【０１０２】
上記空気通路(30)は、第１吸着熱交換器(21)を通過した空気を室内に供給するとともに第２吸着熱交換器(22)を通過した空気を室外に排出する第１空気流通状態（図３（Ａ），図４（Ｂ）の状態）と、第２吸着熱交換器(22)を通過した空気を室内に供給するとともに第１吸着熱交換器(21)を通過した空気を室外に排出する第２空気流通状態（図３（Ｂ），図４（Ａ）の状態）とを切り換え可能に構成されている。
【０１０３】
そして、この調湿装置(1) は、室外空気(OA)を処理して室内に供給する一方、室内空気(RA)を処理して室外に排出する換気扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室外空気(OA)を供給し、第１吸着熱交換器(21)及び第２吸着熱交換器(22)の他方を通過した後に室外へ排出する空気として該吸着熱交換器(22,21) に室内空気(RA)を供給するように構成されている。
【０１０４】
この実施形態２の調湿装置(1) は、その他の点は実施形態１と同様に構成されている。
【０１０５】
この実施形態２において、図３の加湿運転時は、室外空気(OA)は第１吸着熱交換器(21)（図３（Ａ））または第２吸着熱交換器(22)（図３（Ｂ））で加湿されて室内に供給され、室内空気(RA)は水分を第２吸着熱交換器(22)（図３（Ａ））または第１吸着熱交換器(21)（図３（Ｂ））に与えて室外に放出される。また、除湿運転時は、室外空気(OA)は第１吸着熱交換器(21)（図４（Ｂ））または第２吸着熱交換器(22)（図４（Ａ））で減湿されて室内に供給され、室内空気(RA)は第２吸着熱交換器(22)（図４（Ｂ））または第１吸着熱交換器(21)（図４（Ｂ））を再生して室外に放出される。
【０１０６】
この実施形態２においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１０７】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１０８】
《発明の実施形態３》
図５に示す実施形態３の調湿装置(1) は、実施形態２で冷温水回路(10)における冷温水の流通を停止できるようにした例である。
【０１０９】
この実施形態３において、空気通路(30)は、冷温水回路(10)が停止した状態で、第１吸着熱交換器(21)及び第２吸着熱交換器(22)の一方を通過した室外空気(OA)を室内へ供給し、第１吸着熱交換器(21)及び第２吸着熱交換器(22)の他方を通過した室内空気(RA)を室外へ排出するように構成されている。
【０１１０】
空気通路(30)をこのように構成したことにより、この実施形態３の調湿装置(1) では、加湿運転や減湿運転に加えて、外気冷房運転を行うことができる。この外気冷房運転は、室内空気(RA)よりも室外空気(OA)の方が低温である場合に、室外空気(OA)をそのまま室内へ供給することによって室内の冷房を行うために行われる。この場合、室外空気(OA)は第１吸着熱交換器(21)及び第２吸着熱交換器(22)の一方を通過してから室内に供給空気(SA)として供給され、室内空気(RA)は第１吸着熱交換器(21)及び第２吸着熱交換器(22)の他方を通過してから室外に排出空気(EA)として放出される。
【０１１１】
この実施形態３においても、吸着素子とヒートポンプ装置とを用いた従来の調湿装置(1) に比べて構成を簡素化し、装置を小型化できる。この場合は、図５（Ａ）の運転と図５（Ｂ）の運転はいずれかを選択すればよく、切り換えは不要である。
【０１１２】
《発明の実施形態４》
図６及び図７に示す実施形態４の調湿装置(1) は、空気通路(30)の構成が上記各実施形態と異なるようにした例である。
【０１１３】
この実施形態４においても、冷温水回路(10)は、温水が第１吸着熱交換器(21)を通過するとともに冷水が第２吸着熱交換器(22)を通過する第１冷温水流通状態（図６（Ａ），図７（Ａ）の状態）と、温水が第２吸着熱交換器(22)を通過するとともに冷水が第１吸着熱交換器(21)を通過する第２冷温水流通状態（図６（Ｂ），図７（Ｂ）の状態）とを切り換え可能に構成されている。
【０１１４】
上記空気通路(30)は、第１吸着熱交換器(21)を通過した空気を室内に供給するとともに第２吸着熱交換器(22)を通過した空気を室外に排出する第１空気流通状態（図６（Ａ），図７（Ｂ）の状態）と、第２吸着熱交換器(22)を通過した空気を室内に供給するとともに第１吸着熱交換器(21)を通過した空気を室外に排出する第２空気流通状態（図６（Ｂ），図７（Ａ）の状態）とを切り換え可能に構成されている。
【０１１５】
そして、この調湿装置(1) は、第２種換気を行うものであり、室外空気(OA)を処理して室内に供給する一方、室外空気(OA)を処理して再度室外に排出する給気扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室外空気(OA)を供給し、第１吸着熱交換器(21)及び第２吸着熱交換器(22)の他方を通過した後に室外へ排出する空気として該吸着熱交換器(21,22) に室外空気(OA)を供給するように構成されている。
【０１１６】
この実施形態４の調湿装置(1) は、その他の点は実施形態１と同様に構成されている。
【０１１７】
この実施形態４において、図６の加湿運転時は、室外空気(OA)は第１吸着熱交換器(21)（図６（Ａ））または第２吸着熱交換器(22)（図６（Ｂ））で加湿されて室内に供給され、室内空気(RA)は水分を第２吸着熱交換器(22)（図６（Ａ））または第１吸着熱交換器(21)（図６（Ｂ））に与えて室外に放出される。また、除湿運転時は、室内空気(RA)は第１吸着熱交換器(21)（図７（Ｂ））または第２吸着熱交換器(22)（図７（Ａ））で減湿されて室内に供給され、室内空気(RA)は第２吸着熱交換器(22)（図７（Ｂ））または第１吸着熱交換器(21)（図７（Ｂ））を再生して室外に放出される。
【０１１８】
この実施形態４においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１１９】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１２０】
さらに、この実施形態４で除湿運転を行う場合、夏期には吸着剤の再生を温度の高い外気で行うため、再生温度をかせぐことができ、省エネ化を図ることができる。
【０１２１】
《発明の実施形態５》
図８に示す実施形態５の調湿装置(1) は、実施形態２において冷水の流通を行わないようにした例である。
【０１２２】
この場合、冷水流入管(16)及び冷水流出管(18)は、冷却水系統に接続せず、端部を封止しておけばよい。
【０１２３】
この実施形態５において、空気通路(30)は、第１吸着熱交換器(21)及び第２吸着熱交換器(22)の一方を通過した室外空気(OA)を室内へ供給し、第１吸着熱交換器(21)及び第２吸着熱交換器(22)の他方を通過した室内空気(RA)を室外へ排出するように構成されている。
【０１２４】
この実施形態５の調湿装置(1) では、吸着側の吸着剤を冷却しないため、実施形態２と比べて吸着量が若干少なくなり、それに伴って加湿能力が若干低下するが、冷却水系統を設ける必要がないため、装置構成を簡素化することができる。
【０１２５】
また、この実施形態５においても、吸着素子とヒートポンプ装置とを用いた従来の調湿装置(1) に比べて構成を簡素化し、装置を小型化できる。また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１２６】
なお、図８の例では、実施形態２において、冷温水回路(10)を冷水が流通せず、温水だけが流通するようにしているが、逆に温水が流通せず、冷水だけが流通するようにしてもよい。また、実施形態１や実施形態４の装置において、冷温水回路(10)を冷水または温水の一方のみが流通し、他方の流通が停止するように構成してもよい。
【０１２７】
《発明の実施形態６》
図９及び図１０に示す実施形態６の調湿装置(1) は、実施形態２の装置に、さらに吸着冷却素子(40)を設けた例である。
【０１２８】
上記吸着冷却素子(40)は、第１吸着冷却素子(41)と第２吸着冷却素子(42)とから構成されている。各吸着冷却素子(40)は、空気中の水分を吸脱着可能な調湿通路(40a) と、該調湿通路(40a) における水分吸着時の吸着熱を冷却用空気で吸熱する冷却通路(40b) とを有している。
【０１２９】
空気通路(30)は、図９に示す加湿運転用空気通路と、図１０に示す除湿運転用空気通路とを設定可能に構成されている。
【０１３０】
加湿運転用空気通路は、第２吸着冷却素子(42)の冷却通路(40b) と第１吸着熱交換器(21)と第１吸着冷却素子(41)の調湿通路(40a) を通過した空気を室内に供給するとともに、第２吸着熱交換器(22)と第２吸着冷却素子(42)の調湿通路(40a) を通過した空気を室外に排出する第１空気流通状態（図９（Ａ）の状態）と、第１吸着冷却素子(41)の冷却通路(40b) と第２吸着熱交換器(22)と第２吸着冷却素子(42)の調湿通路(40a) を通過した空気を室内に供給するとともに、第１吸着熱交換器(21)と第１吸着冷却素子(41)の調湿通路(40a) を通過した空気を室外に排出する第２空気流通状態（図９（Ｂ）の状態）とを切り換え可能に構成されている。
【０１３１】
また、除湿運転用空気通路(30)は、第１吸着熱交換器(21)と第１吸着冷却素子(41)の調湿通路(40a) を通過した空気を室内に供給するとともに、第１吸着冷却素子(41)の冷却通路(40b) と第２吸着熱交換器(22)と第２吸着冷却素子(42)の調湿通路(40a) を通過した空気を室外に排出する第１空気流通状態（図１０（Ｂ）の状態）と、第２吸着熱交換器(22)と第２吸着冷却素子(42)の調湿通路(40a) を通過した空気を室内に供給するとともに、第２吸着冷却素子(42)の冷却通路(40b) と第１吸着熱交換器(21)と第１吸着冷却素子(41)の調湿通路(40a) を通過した空気を室外に排出する第２空気流通状態（図１０（Ａ）の状態）とを切り換え可能に構成されている。
【０１３２】
図９（Ａ）に示す加湿運転の第１運転時、冷温水回路(10)が第１冷温水流通状態となり、空気通路(30)が第１空気流通状態となる。この状態で、室外空気(OA)は、第２吸着冷却素子(42)の冷却通路(40b) を通過する際に、調湿通路(40a) を室内空気(RA)が通過することにより発生する吸着熱を吸熱して加熱され、その後に第１吸着熱交換器(21)と第１吸着冷却素子(41)の調湿通路(40a) を通ることで加湿されて供給空気(SA)として室内に供給される。このとき、室内空気(RA)は、第２吸着熱交換器(22)と第２吸着冷却素子(42)の調湿通路(40a) を通るときに吸着剤に水分を与えてから排出空気(EA)として室外に放出される。
【０１３３】
図９（Ｂ）に示す加湿運転の第２運転時、冷温水回路(10)が第２冷温水流通状態となり、空気通路(30)が第２空気流通状態となる。この状態で、室外空気(OA)は、第１吸着冷却素子(41)の冷却通路(40b) を通過する際に、調湿通路(40a) を室内空気(RA)が通過することにより発生する吸着熱を吸熱して加熱され、その後に第２吸着熱交換器(22)と第２吸着冷却素子(42)の調湿通路(40a) を通ることで加湿されて供給空気(SA)として室内に供給される。このとき、室内空気(RA)は、第１吸着熱交換器(21)と第１吸着冷却素子(41)の調湿通路(40a) を通るときに吸着剤に水分を与えてから排出空気(EA)として室外に放出される。
【０１３４】
図１０（Ｂ）に示す除湿運転の第１運転時、冷温水回路(10)が第２冷温水流通状態となり、空気通路(30)が第１空気流通状態となる。この状態で、室外空気(OA)は、第１吸着熱交換器(21)と第１吸着冷却素子(41)の調湿通路(40a) を通るときに減湿されて供給空気(SA)として室内に供給され、第１吸着冷却素子(41)では冷却通路(40b) を流れる室内空気(RA)により吸着熱が吸熱されることで供給空気(SA)の温度上昇が抑えられる。このとき、室内空気(RA)は、第１吸着冷却素子(41)の冷却通路(40b) を通過することで加熱された後、第２吸着熱交換器(22)と第２吸着冷却素子(42)の調湿通路(40a) を通り、吸着剤を再生して排出空気(EA)として室外に放出される。
【０１３５】
図１０（Ａ）に示す除湿運転の第２運転時、冷温水回路(10)が第１冷温水流通状態となり、空気通路(30)が第２空気流通状態となる。この状態で、室外空気(OA)は、第２吸着熱交換器(22)と第２吸着冷却素子(42)の調湿通路(40a) を通るときに減湿されて供給空気(SA)として室内に供給され、第２吸着冷却素子(42)では冷却通路(40b) を流れる室内空気(RA)により吸着熱が吸熱されることで供給空気(SA)の温度上昇が抑えられる。このとき、室内空気(RA)は、第２吸着冷却素子(42)の冷却通路(40b) を通過することで加熱された後、第１吸着熱交換器(21)と第１吸着冷却素子(41)の調湿通路(40a) を通り、吸着剤を再生して排出空気(EA)として室外に放出される。
【０１３６】
この実施形態６においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１３７】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１３８】
《発明の実施形態７》
図１１及び図１２に示す実施形態７の調湿装置(1) は、実施形態２の装置に、さらに冷媒回路(50)を設けた例である。
【０１３９】
上記冷媒回路(50)は、冷媒が循環して冷凍サイクルを行う閉回路であり、圧縮機(51)と第３四路切換弁(52)と第３吸着熱交換器(53)と膨張弁(54)と第４吸着熱交換器(55)とが順に接続されて構成されている。このように、この冷媒回路(50)の熱交換器は、表面に吸着剤を担持した吸着熱交換器により構成されている。
【０１４０】
上記冷媒回路(50)は、冷媒の循環方向が反転可能であり、第３吸着熱交換器(53)が凝縮器となり第４吸着熱交換器(55)が蒸発器となる第１冷媒流通状態（図１１（Ａ），図１２（Ａ）の状態）と、第４吸着熱交換器(55)が凝縮器となり第３吸着熱交換器(53)が蒸発器となる第２冷媒流通状態（図１１（Ｂ），図１２（Ｂ）の状態）とを切り換え可能に構成されている。
【０１４１】
また、空気通路(30)は、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態（図１１（Ａ），図１２（Ｂ）の状態）と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態図１１（Ｂ），図１２（Ａ）の状態）とを切り換え可能に構成されている。
【０１４２】
図１１（Ａ）に示す加湿運転の第１運転時、冷温水回路(10)が第１冷温水流通状態、冷媒回路(50)が第１冷媒流通状態、空気通路(30)が第１空気流通状態となる。この状態で、室外空気(OA)は、第３吸着熱交換器(53)と第１吸着熱交換器(21)を通過する際に加湿されて供給空気(SA)として室内に供給される。このとき、室内空気(RA)は、第４吸着熱交換器(55)と第２吸着熱交換器(22)を通過するときに吸着剤に水分を与えてから排出空気(EA)として室外に放出される。
【０１４３】
図１１（Ｂ）に示す加湿運転の第２運転時、冷温水回路(10)が第２冷温水流通状態、冷媒回路(50)が第２冷媒流通状態、空気通路(30)が第２空気流通状態となる。この状態で、室外空気(OA)は、第４吸着熱交換器(55)と第２吸着熱交換器(22)を通過する際に加湿されて供給空気(SA)として室内に供給される。このとき、室内空気(RA)は、第３吸着熱交換器(53)と第１吸着熱交換器(21)を通過するときに吸着際に水分を与えてから排出空気(EA)として室外に放出される。
【０１４４】
図１２（Ｂ）に示す除湿運転の第１運転時、冷温水回路(10)が第２冷温水流通状態、冷媒回路(50)が第２冷媒流通状態、空気通路(30)が第１空気流通状態となる。この状態で、室外空気(OA)は、第３吸着熱交換器(53)と第１吸着熱交換器(21)を通過する際に減湿されて供給空気(SA)として室内に供給される。このとき、室内空気(RA)は、第４吸着熱交換器(55)と第２吸着熱交換器(22)を通過するときに吸着剤を再生してから排出空気(EA)として室外に放出される。
【０１４５】
図１２（Ａ）に示す除湿運転の第２運転時、冷温水回路(10)が第１冷温水流通状態、冷媒回路(50)が第１冷媒流通状態、空気通路(30)が第２空気流通状態となる。この状態で、室外空気(OA)は、第４吸着熱交換器(55)と第２吸着熱交換器(22)を通過する際に減湿されて供給空気(SA)として室内に供給される。このとき、室内空気(RA)は、第３吸着熱交換器(53)と第１吸着熱交換器(21)を通過するときに吸着剤を再生してから排出空気(EA)として室外に放出される。
【０１４６】
この実施形態７においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１４７】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１４８】
さらに、この調湿装置(1) では、冷温水回路(10)の吸着熱交換器(21,22) に加えて冷媒回路(50)の吸着熱交換器(53,55) を用いているので、除加湿性能が向上する。
【０１４９】
また、冷媒回路に設けた吸着熱交換器だけで除加湿を行う調湿装置を想定すると、この実施形態７では、冷媒回路(50)の冷媒循環量を少なくすることができるため、小型の圧縮機(51)を用いることで低騒音化を図ることも可能となる。
【０１５０】
なお、本実施形態７では、第１吸着熱交換器(21)と第３吸着熱交換器(53)のいずれを空気通路(30)の上流側に配置してもよいし、第２吸着熱交換器(22)と第４吸着熱交換器(54)のいずれを空気通路(30)の上流側に配置してもよい。
【０１５１】
《発明の実施形態８》
図１３及び図１４に示す実施形態８の調湿装置(1) は、実施形態２の装置に、さらに冷媒回路(60)を設けた別の例である。
【０１５２】
この冷媒回路(60)の熱交換器は、表面に吸着剤が担持されていない空気熱交換器により構成されている。具体的に、上記冷媒回路(60)は、冷媒が循環して冷凍サイクルを行う閉回路であり、圧縮機(61)と第３四路切換弁(62)と第１空気熱交換器(63)と膨張弁(64)と第２空気熱交換器(65)とが順に接続されて構成されている。このように、この冷媒回路(60)の熱交換器は、空気が冷媒との熱交換により顕熱変化をする第１空気熱交換器(63)及び第２空気熱交換器(65)により構成されている。
【０１５３】
上記冷媒回路(60)は、冷媒の循環方向が反転可能であり、第１空気熱交換器(63)が凝縮器となり第２空気熱交換器(65)が蒸発器となる第１冷媒流通状態（図１３（Ａ），図１４（Ａ）の状態）と、第２空気熱交換器(65)が凝縮器となり第１空気熱交換器(63)が蒸発器となる第２冷媒流通状態（図１３（Ｂ），図１４（Ｂ）の状態）とを切り換え可能に構成されている。
【０１５４】
また、空気通路(30)は、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態（図１３（Ａ），図１４（Ｂ）の状態）と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態（図１３（Ｂ），図１４（Ａ）の状態とを切り換え可能に構成されている。
【０１５５】
図１３（Ａ）に示す加湿運転の第１運転時、冷温水回路(10)が第１冷温水流通状態、冷媒回路(60)が第１冷媒流通状態、空気通路(30)が第１空気流通状態となる。この状態で、室外空気(OA)は、第１吸着熱交換器(21)を通過する際に加湿された後、第１空気熱交換器(63)を通過する際に加熱されて供給空気(SA)として室内に供給される。このとき、室内空気(RA)は、第２吸着熱交換器(22)を通過する際に吸着剤に水分を与えた後、第２空気熱交換器(65)を通過するときに冷媒に放熱してから排出空気(EA)として室外に放出される。
【０１５６】
図１３（Ｂ）に示す加湿運転の第２運転時、冷温水回路(10)が第２冷温水流通状態、冷媒回路(60)が第２冷媒流通状態、空気通路(30)が第２空気流通状態となる。この状態で、室外空気(OA)は、第２吸着熱交換器(22)を通過する際に加湿された後、第２空気熱交換器(65)を通過する際に加熱されて供給空気(SA)として室内に供給される。このとき、室内空気(RA)は、第１吸着熱交換器(21)を通過する際に吸着剤に水分を与えた後、第１空気熱交換器(63)を通過するときに冷媒に放熱してから排出空気(EA)として室外に放出される。
【０１５７】
図１４（Ｂ）に示す除湿運転の第１運転時、冷温水回路(10)が第２冷温水流通状態、冷媒回路(60)が第２冷媒流通状態、空気通路(30)が第１空気流通状態となる。この状態で、室外空気(OA)は、第１吸着熱交換器(21)を通過する際に減湿された後、第１空気熱交換器(63)を通過する際に冷却されて供給空気(SA)として室内に供給される。このとき、室内空気(RA)は、第２吸着熱交換器(22)を通過する際に吸着剤を再生した後、第２空気熱交換器(65)を通過するときに冷媒を冷却してから排出空気(EA)として室外に放出される。
【０１５８】
図１４（Ａ）に示す除湿運転の第２運転時、冷温水回路(10)が第１冷温水流通状態、冷媒回路(60)が第１冷媒流通状態、空気通路(30)が第２空気流通状態となる。この状態で、室外空気(OA)は、第２吸着熱交換器(22)を通過する際に減湿された後、第２空気熱交換器(65)を通過する際に冷却されて供給空気(SA)として室内に供給される。このとき、室内空気(RA)は、第１吸着熱交換器(21)を通過する際に吸着剤を再生した後、第１空気熱交換器(63)を通過するときに冷媒を冷却してから排出空気(EA)として室外に放出される。
【０１５９】
この実施形態８においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１６０】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１６１】
《発明の実施形態９》
図１５及び図１６に示す実施形態９の調湿装置(1) は、実施形態２の装置に、さらに補助熱交換器(70)を設けた例である。
【０１６２】
上記補助熱交換器(70)は、第１の空気が流れる第１通路(71)と第２の空気が流れる第２通路(72)とを備えるとともに、該第１通路(71)を流れる空気と第２通路(72)を流れる空気とが全熱交換または顕熱交換を行うように構成されている。つまり、補助熱交換器(70)は、全熱交換器または顕熱交換器により構成されている。
【０１６３】
また、空気通路(30)は、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態（図１５（Ａ），図１６（Ｂ）の状態）と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態（図１５（Ｂ），図１６（Ａ）の状態）とを切り換え可能に構成されている。
【０１６４】
図１５（Ａ）に示す加湿運転の第１運転時、冷温水回路(10)が第１冷温水流通状態、空気通路(30)が第１空気流通状態となる。この状態で、室外空気(OA)は、補助熱交換器(70)を流れる際に室内空気(RA)に加熱／加湿された後、第１吸着熱交換器(21)を通過する際に加湿されて供給空気(SA)として室内に供給される。このとき、室内空気(RA)は、補助熱交換器(70)を流れる際に室外空気(OA)を加熱／加湿した後、第２吸着熱交換器(22)を通過する際に吸着剤に水分を与えてから排出空気(EA)として室外に放出される。
【０１６５】
図１５（Ｂ）に示す加湿運転の第２運転時、冷温水回路(10)が第２冷温水流通状態、空気通路(30)が第２空気流通状態となる。この状態で、室外空気(OA)は、補助熱交換器(70)を流れる際に室内空気(RA)に加熱／加湿された後、第２吸着熱交換器(22)を通過する際に加湿されて供給空気(SA)として室内に供給される。このとき、室内空気(RA)は、補助熱交換器(70)を流れる際に室外空気(OA)を加熱／加湿した後、第１吸着熱交換器(21)を通過する際に吸着剤に水分を与えてから排出空気(EA)として室外に放出される。
【０１６６】
図１６（Ｂ）に示す除湿運転の第１運転時、冷温水回路(10)が第２冷温水流通状態、空気通路(30)が第１空気流通状態となる。この状態で、室外空気(OA)は、補助熱交換器(70)を流れる際に室内空気(RA)に冷却／減湿された後、第１吸着熱交換器(21)を通過する際に減湿されて供給空気(SA)として室内に供給される。このとき、室内空気(RA)は、補助熱交換器(70)を流れる際に室外空気(OA)を冷却／減湿した後、第２吸着熱交換器(21)を通過する際に吸着剤を再生してから排出空気(EA)として室外に放出される。
【０１６７】
図１６（Ａ）に示す除湿運転の第２運転時、冷温水回路(10)が第１冷温水流通状態、空気通路(30)が第２空気流通状態となる。この状態で、室外空気(OA)は、補助熱交換器(70)を流れる際に室内空気(RA)に冷却／減湿された後、第２吸着熱交換器(22)を通過する際に減湿されて供給空気(SA)として室内に供給される。このとき、室内空気(RA)は、補助熱交換器(70)を流れる際に室外空気(OA)を冷却／減湿した後、第１吸着熱交換器(22)を通過する際に吸着剤を再生してから排出空気(EA)として室外に放出される。
【０１６８】
この実施形態９においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１６９】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１７０】
さらに、この調湿装置(1) では、除加湿性能及び／または冷暖房性能の向上を図ることが可能となる。
【０１７１】
《発明の実施形態１０》
図１８に示すように、実施形態１０の調湿装置(1)は、オフィスやホテルなどの複数の室内の顕熱と潜熱とを同時に処理する全潜熱処理型の外調システム(80)に適用されるものである。外調システム(80)は、夏季における除湿冷房運転と冬季における暖房加湿運転を切換可能に構成されている。この外調システムは、調湿装置(1)における冷温水回路(10)の冷温水熱源として、第１熱源回路(81)と第２熱源回路(82)とを備えている。
【０１７２】
第１熱源回路(81)は、第１接続管(83)及び第２接続管(84)を介して調湿装置(1)の冷温水回路(10)と接続すると同時に、後述の冷凍機(90)と接続することで水の循環経路を構成している。また、第１熱源回路(81)には、ボイラ(95)及び複数の空調機(96,96,…)がそれぞれ並列に接続されている。上記ボイラ(95)は、温水ボイラで構成されている。上記複数の空調機(96,96,…)は、２管式のファンコイルユニット型の空調機で構成され、各室内の壁面や天井面などにそれぞれ配置されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０１７３】
第２熱源回路(82)は、第３接続管(85)及び第４接続管(86)を介して調湿装置(1)の冷温水回路(10)と接続すると同時に、後述の冷凍機(90)と接続することで水の循環経路を構成している。また、第２熱源回路(82）には、冷却塔(97)が並列に接続されている。上記冷却塔(97)は、図示しないファンから送風される空気によって第２熱源回路(82)を流れる水を冷却可能に構成されている。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０１７４】
冷凍機(90)は、いわゆる水冷式のチラーユニットで構成されている。この冷凍機(90)は、冷媒が充填されて冷凍サイクルを行う冷媒回路(91)を備えている。冷媒回路(91)には、冷却器(92)、圧縮機(93)、凝縮器(94)、及び図示しない膨張弁が設けられている。
【０１７５】
冷却器(92)は、例えばシェルアンドチューブ式の熱交換器で構成されているが、これ以外にプレート熱交換器など如何なる熱交換器で構成されていてもよい。この冷却器(92)は、冷媒回路(91)を流れる冷媒と第１熱源回路(81)を流れる水とを熱交換可能に構成されている。凝縮器(94)は、一対のシェルアンドチューブ式の熱交換器で構成されているが、これに限らず如何なる熱交換器で構成されていてもよい。この凝縮器(94)は、冷媒回路(91)を流れる冷媒と第２熱源回路(82)を流れる水とを熱交換可能に構成されている。
【０１７６】
実施形態１０の調湿装置(1)は、上述した実施形態２の調湿装置(1)と同様、換気扇型の調湿装置(1)として構成されているが、処理した室外空気(OA)を各室内に供給する一方、各室内の室内空気(RA)を処理して室外に排出する点で実施形態２の調湿装置(1)と異なっている。
【０１７７】
−運転動作−
以下に、実施形態１０の調湿装置(1)が適用される外調システム(80)の冷房除湿運転及び暖房加湿運転について説明する。
【０１７８】
（冷房除湿運転）
冷房除湿運転時には、冷凍機(90)が運転状態となる一方、ボイラ(95)が停止状態となる。また、図示しないポンプが運転されるとともに図示しない開閉弁が切り換えられ、第１，第２熱源回路(81,82)の水の流れが図１９に示すように変更される。このため、第１熱源回路(81)は、冷凍機(90)の冷却器(92)で冷却された冷水を冷温水回路(10)へ供給する冷熱源となる。一方、第２熱源回路(82)は、冷凍機(90)の凝縮器(94)から放出される熱で加熱された温水を冷温水回路(10)へ供給する温熱源となる。
【０１７９】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０１８０】
一方、第２熱源回路(82)を流れる水が凝縮器(94)へ流入すると、この水は冷媒回路(91)の冷媒と熱交換する。その結果、第２熱源回路(92)へ流れる水は、冷媒の凝縮熱が付与されて加熱される。凝縮器(94)で加熱された水（温水）は、一部が冷却塔(97)に送られる。冷却塔(97)では、温水から空気への排熱が行われる。一方、凝縮器(94)で加熱された温水の残りは、第３接続管(85)を介して冷温水回路(10)へ供給される。
【０１８１】
冷温水回路(10)では、上述した実施形態２と同様に、図４（Ｂ）の第１運転と図４（Ａ）の第２運転とが交互に行われる。具体的に、第１運転時には、第１熱源回路(81)から冷温水回路(10)に供給された冷水が第１吸着熱交換器(21)を通過し、この第１吸着熱交換器(21)の吸着材を冷却する。その後、冷水は第１熱源回路(81)の第２接続管(84)に返送される。また、第２熱源回路(82)から冷温水回路(10)に供給された温水は、第２吸着熱交換器(22)を通過し、この第２吸着熱交換器(22)の吸着材を加熱する。その後、温水は第２熱源回路(82)の第４接続管(86)に返送される。
【０１８２】
その際、第１吸着熱交換器(21)では、室外空気(OA)が減湿及び冷却される。減湿及び冷却された空気は、各室内へ供給空気(SA)として供給される。一方、第２吸着熱交換器(22)では、各室内からの室内空気(RA)が第２吸着熱交換器(22)の吸着材を加熱再生する。第２吸着熱交換器(22)の吸着材の加熱再生に利用された空気は、排出空気(EA)として室外に放出される。
【０１８３】
一方、第２運転時には、第１熱源回路(81)から冷温水回路(10)に供給された冷水が第２吸着熱交換器(22)を通過し、この第２吸着熱交換器(22)の吸着材を冷却する。その後、冷水は第１熱源回路(81)の第２接続管(84)に返送される。また、第２熱源回路(82)から冷温水回路(10)に供給された温水は、第１吸着熱交換器(21)を通過し、この第１吸着熱交換器(21)の吸着材を加熱する。その後、温水は第２熱源回路(82)の第４接続管(86)に返送される。
【０１８４】
その際、第２吸着熱交換器(22)では、室外空気(OA)が減湿及び冷却される。減湿及び冷却された空気は、各室内へ供給空気(SA)として供給される。一方、第１吸着熱交換器(21)では、各室内からの室内空気(RA)が第１吸着熱交換器(21)の吸着材を加熱再生する。第１吸着熱交換器(21)の吸着材の加熱再生に利用された空気は、排出空気(EA)として室外に放出される。
【０１８５】
（暖房加湿運転）
暖房加湿運転時には、冷凍機(90)が停止状態となる一方、ボイラ(95)が運転状態となる。また、図示しないポンプが運転されるとともに図示しない開閉弁が切り換えられ、第１，第２熱源回路(81,82)の水の流れが図２０に示すように変更される。このため、第１熱源回路(81)は、ボイラ(95)で加熱された温水を冷温水回路(10)へ供給する温熱源となる。一方、第２熱源回路(82)は、冷却塔(97)で冷却された冷水を冷温水回路(10)へ供給する冷熱源となる。
【０１８６】
具体的に、第１熱源回路(81)を流れる水がボイラ(95)へ流入すると、この水はボイラ(95)によって加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第１接続管(83)を介して冷温水回路(10)へ送られる。
【０１８７】
一方、第２熱源回路(82)を流れる水が冷却塔(97)へ流入すると、この水は冷却塔(97)の送風空気で冷却される。冷却塔(97)で冷却された空気は、第４接続管(86)を介して冷温水回路(10)へ供給される。
【０１８８】
冷温水回路(10)では、上述した実施形態２と同様に、図３（Ｂ）の第１運転と図３（Ａ）の第２運転とが交互に行われる。具体的に、第１運転時には、第１熱源回路(81)から冷温水回路(10)に供給された温水が第１吸着熱交換器(21)を通過し、この第１吸着熱交換器(21)の吸着材を加熱する。その後、温水は第１熱源回路(81)の第２接続管(84)に返送される。また、第２熱源回路(82)から冷温水回路(10)に供給された冷水は、第２吸着熱交換器(22)を通過し、この第２吸着熱交換器(22)の吸着材を冷却する。その後、冷水は第２熱源回路(82)の第３接続管(85)に返送される。
【０１８９】
その際、第１吸着熱交換器(21)では、室外空気(OA)が加湿及び加熱される。加湿及び加熱された空気は、各室内へ供給空気(SA)として供給される。一方、第２吸着熱交換器(22)では、各室内からの室内空気(RA)が第２吸着熱交換器(22)の吸着材へ水分を付与する。第２吸着熱交換器(22)の吸着材に水分を付与した空気は、排出空気(EA)として室外に放出される。
【０１９０】
一方、第２運転時には、第１熱源回路(81)から冷温水回路(10)に供給された温水が第２吸着熱交換器(22)を通過し、この第２吸着熱交換器(22)の吸着材を加熱する。その後、温水は第１熱源回路(81)の第２接続管(84)に返送される。また、第２熱源回路(82)から冷温水回路(10)に供給された冷水は、第１吸着熱交換器(21)を通過し、この第１吸着熱交換器(21)の吸着材を冷却する。その後、冷水は第２熱源回路(82)の第３接続管(85)に返送される。
【０１９１】
その際、第２吸着熱交換器(22)では、室外空気(OA)が加湿及び加熱される。加湿及び加熱された空気は、各室内へ供給空気(SA)として供給される。一方、第１吸着熱交換器(21)では、各室内からの室内空気(RA)が第１吸着熱交換器(21)の吸着材へ水分を付与する。第２吸着熱交換器(22)の吸着材に水分を付与した空気は、排出空気(EA)として室外に放出される。
【０１９２】
この実施形態１０においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１９３】
また、この実施形態１０では、夏季の冷房除湿運転時において、冷凍機(90)の冷却器(92)で冷却した冷水を冷温水回路(10)へ供給するようにしている。このため、容易かつ簡単な構成によって、調湿装置(1)の吸着材を冷却し、供給空気(SA)の除湿と冷却とを同時に行うことができる。また、冷却器(92)で冷却した冷水を空調機(96,96,…)による室内の冷房に利用することができる。
【０１９４】
また、冷房除湿運転時において、冷凍機(90)の凝縮器(94)から放出される熱で加熱した温水を冷温水回路(10)へ供給するようにしている。したがって、冷凍機(90)の排熱を利用して調湿装置(1)の吸着材を加熱再生することができ、この外調システム(80)によってエネルギー効率の高い冷房除湿運転を行うことができる。
【０１９５】
一方、暖房加湿運転時においては、ボイラ(95)で加熱した温水を冷温水回路(10)へ供給するようにしている。このため、容易かつ簡単な構成によって、調湿装置(1)の吸着材を確実に加熱再生することができる。また、ボイラ(95)で加熱した温水を空調機(96,96,…)による室内の暖房に利用することができる。
【０１９６】
また、暖房加湿運転時においては、冷却塔(97)で冷却した冷水を冷温水回路(10)へ供給することで調湿装置(1)の吸着材を容易に冷却することができる。
【０１９７】
なお、この暖房加湿運転時においては、上記冷却塔(97)を運転しないようにしてもよい。この場合には、調湿装置(1)へは温水のみが供給されることとなり、上述した実施形態５と同様、図８（Ｂ)の第１運転と図８（Ａ）の第２運転とが行われる。つまり、この場合には、冷却されていない状態の第１吸着熱交換器(21)及び第２吸着熱交換器(22)の吸着材に室内空気(RA)の水分が自然吸着される一方、温水で加熱されることによって第１吸着熱交換器(21)及び第２吸着熱交換器(22)から脱離した水分が供給空気(SA)に付与されて室内に供給される。
【０１９８】
一方、上述した冷房除湿運転時においては、冷凍機(90)で冷却した冷水のみを冷温水回路(10)へ供給し、温水を供給しないようにすることもできる。この場合には、冷却された状態の第１，第２吸着熱交換器(21,22)に室内空気(RA)の水分が吸着される一方、第１，第２吸着熱交換器(21,22)の再生は室外空気(OA)の熱で行われ、脱離した水分が供給空気(SA)に付与されて室内に供給される。
【０１９９】
なお、本実施形態で述べた外調システム(80)に他の実施形態の調湿装置(1)を適用してもよいのは無論のことである。
【０２００】
《発明の実施形態１１》
図２１に示すように、実施形態１１の調湿装置(1)は、上述の実施形態１０と異なる外調システム(80)に適用されるものである。外調システム(80)は、調湿装置(1)における冷温水回路(10)の冷温水熱源として、第１熱源回路(81)、第２熱源回路(82)、及び冷却塔回路(87)を備えている。
【０２０１】
第１熱源回路(81)は、実施形態１０と同様、第１接続管(83)及び第２接続管(84)を介して調湿装置(1)の冷温水回路(10)と接続すると同時に、冷凍機(90)と接続することで水の循環経路を構成している。第１熱源回路(81)には、実施形態１０と同様、ボイラ(95)及び複数の空調機(96,96,…)がそれぞれ並列に接続されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０２０２】
第２熱源回路(82)は、第３接続管(85)及び第４接続管(86)を介して調湿装置(1)の冷温水回路(10)と接続すると同時に、上記ボイラ(95)と接続することで水の循環経路を構成している。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０２０３】
上記冷却塔回路(87)は、実施形態１０と同様の冷却塔(97)を介して冷凍機(90)と接続して水の循環経路を構成している。
【０２０４】
冷凍機(90)は、実施形態１０と同様、水冷式のチラーユニットで構成されている。冷凍機(90)の冷却器(92)は、冷媒回路(91)を流れる冷媒と第１熱源回路(81)を流れる水とを熱交換可能に構成されている。一方、冷凍機(90)の凝縮器(94)は、冷媒回路(91)を流れる冷媒と冷却塔回路(87)を流れる水とを熱交換可能に構成されている。
【０２０５】
調湿装置(1)は、実施形態１０の調湿装置と同様、処理した室外空気(OA)を各室内に供給する一方、各室内の室内空気(RA)を処理して室外に排出する換気扇型の調湿装置で構成されている。
【０２０６】
−運転動作−
以下に、実施形態１１の調湿装置(1)が適用される外調システム(80)の冷房除湿運転及び暖房加湿運転について説明する。
【０２０７】
（冷房除湿運転）
冷房除湿運転時には、冷凍機(90)及びボイラ(95)が運転状態となる。また、図示しないポンプが運転されるとともに図示しない開閉弁が切り換えられ、第１，第２熱源回路(81,82)の水の流れが図２２に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２０８】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０２０９】
一方、第２熱源回路(82)を流れる水がボイラ(95)へ流入すると、この水はボイラ(95)で加熱される。ボイラ(95)で加熱された水（温水）は、第３接続管(85)を介して冷温水回路(10)へ供給される。
【０２１０】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２１１】
冷温水回路(10)では、上述した実施形態２と同様に、図４（Ｂ）の第１運転と図４（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２１２】
この際、室外空気(OA)は、第１吸着熱交換器(21)又は第２吸着熱交換器(22)で減湿及び冷却された後、各室内へ供給空気(SA)として供給される。一方、各室内からの室内空気(RA)は第１吸着熱交換器(21)又は第２吸着熱交換器(22)の吸着材の加熱再生に利用され、排出空気(EA)として室外に放出される。
【０２１３】
（暖房加湿運転）
暖房加湿運転時には、冷凍機(90)が停止状態となる一方、ボイラ(95)が運転状態となる。また、図示しないポンプが運転されるとともに図示しない開閉弁が切り換えられ、第１，第２熱源回路(81,82)の水の流れが図２３に示すように変更される。このため、第１熱源回路(81)は、ボイラ(95)で加熱された温水を冷温水回路(10)へ供給する温熱源となる。
【０２１４】
具体的に、第１熱源回路(81)を流れる水がボイラ(95)へ流入すると、この水はボイラ(95)によって加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第１接続管(83)を介して冷温水回路(10)へ送られる。
【０２１５】
一方、第２熱源回路(82)及び冷却塔回路(87)では、水の循環が行われず、したがって、冷温水回路(10)への冷水の供給が行われない。
【０２１６】
具体的に、冷温水回路(10)では、上述した実施形態５と同様、図８（Ｂ)の第１運転と図８（Ａ）の第２運転とが行われる。つまり、冷温水回路(10)では、第１吸着熱交換器(21)及び第２吸着熱交換器(22)の吸着材の冷却が行われず、各室内からの室内空気(RA)は、吸着材に水分を自然吸着させた後、排出空気(EA)として室外に放出される。
【０２１７】
一方、冷温水回路(10)に供給された温水は、第１吸着熱交換器(21)又は第２吸着熱交換器(22)の吸着材を加熱した後、第４接続管(86)を介して第２熱源回路(82)に返送される。したがって、室外空気(OA)は、第１吸着熱交換器(21)又は第２吸着熱交換器(22)で加湿及び加熱された後、各室内へ供給空気(SA)として供給される。
【０２１８】
この実施形態１１においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０２１９】
また、この実施形態１１では、冬季の暖房加湿運転時において、冷温水回路(10)への冷水の供給を停止させ、室内空気(RA)の水分を吸着材へ自然吸着させるようにしている。したがって、比較的単純な運転によって室内の暖房加湿を行うことができる。
【０２２０】
なお、本実施形態で述べた外調システム(80)に他の実施形態の調湿装置(1)を適用してもよいのは無論のことである。
【０２２１】
《発明の実施形態１２》
図２４に示すように、実施形態１２の調湿装置(1)は、上述の実施形態１０及び１１と異なる外調システム(80)に適用されるものである。この外調システム(80)は、調湿装置(1)における冷温水回路(10)の冷温水熱源として、第１熱源回路(81)、第２熱源回路(82)、及び冷却塔回路(87)を備えている。
【０２２２】
第１熱源回路(81)は、実施形態１０と同様、第１接続管(83)及び第２接続管(84)を介して調湿装置(1)の冷温水回路(10)と接続すると同時に、冷凍機(90)と接続することで水の循環経路を構成している。第１熱源回路(81)には、複数の空調機(96,96,…)がそれぞれ並列に接続されている。上記複数の空調機(96,96,…)は、上述の実施形態１０及び１１と異なり、４管式のファンコイルユニット型の空調機で構成されている。したがって、第１熱源回路(81)は、各空調機(96,96,…)の４本の配管のうちの２本の配管に接続されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０２２３】
第２熱源回路(82)は、第３接続管(85)及び第４接続管(86)を介して調湿装置(1)の冷温水回路(10)と接続すると同時に、上記ボイラ(95)と接続することで水の循環経路を構成している。第２熱源回路(82)には、複数の空調機(96,96,…)の４本の配管のうち残りの２本の配管がそれぞれ並列に接続されている。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０２２４】
上記冷却塔回路(87)は、実施形態１１と同様、冷却塔(97)を介して冷凍機(90)と接続して水の循環経路を構成している。また、冷凍機(90)は、実施形態１１と同様の水冷式のチラーユニットで構成されている。
【０２２５】
調湿装置(1)は、実施形態１０及び１１の調湿装置と同様、処理した室外空気(OA)を各室内に供給する一方、各室内の室内空気(RA)を処理して室外に排出する換気扇型の調湿装置で構成されている。
【０２２６】
−運転動作−
以下に、実施形態１２の調湿装置(1)が適用される外調システム(80)の冷房除湿運転及び暖房加湿運転について説明する。
【０２２７】
（冷房除湿運転）
冷房除湿運転時には、冷凍機(90)及びボイラ(95)が運転状態となる。また、図示しないポンプが運転されるとともに図示しない開閉弁が切り換えられ、第１，第２熱源回路(82)の水の流れが図２５に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２２８】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０２２９】
一方、第２熱源回路(82)を流れる水がボイラ(95)へ流入すると、この水はボイラ(95)で加熱される。ボイラ(95)で加熱された水（温水）は、第３接続管(85)を介して冷温水回路(10)へ供給される。
【０２３０】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２３１】
冷温水回路(10)では、上述した実施形態２と同様に、図４（Ｂ）の第１運転と図４（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２３２】
この際、室外空気(OA)は、第１吸着熱交換器(21)又は第２吸着熱交換器(22)で減湿及び冷却された後、各室内へ供給空気(SA)として供給される。一方、各室内からの室内空気(RA)は第１吸着熱交換器(21)又は第２吸着熱交換器(22)の吸着材の加熱再生に利用され、排出空気(EA)として室外に放出される。
【０２３３】
（暖房加湿運転）
暖房加湿運転時には、冷凍機(90)及びボイラ(95)が運転状態となる。また、図示しないポンプが運転されるとともに図示しない開閉弁が切り換えられ、第１，第２熱源回路(82)の水の流れが図２６に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２３４】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、第１接続管(83)を介して冷温水回路(10)へ供給される。
【０２３５】
一方、第２熱源回路(82)を流れる水がボイラ(95)へ流入すると、この水はボイラ(95)で加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第３接続管(85)を介して冷温水回路(10)へ送られる。
【０２３６】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２３７】
冷温水回路(10)では、上述した実施形態２と同様に、図３（Ｂ）の第１運転と図３（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２３８】
この際、室外空気(OA)は、第１吸着熱交換器(21)又は第２吸着熱交換器(22)で加湿及び加熱された後、各室内へ供給空気(SA)として供給される。一方、各室内からの室内空気(RA)は第１吸着熱交換器(21)又は第２吸着熱交換器(22)の吸着材に水分を付与し、排出空気(EA)として室外に放出される。
【０２３９】
この実施形態１２においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０２４０】
また、この実施形態１２では、４管式のファンコイルユニット型の空調機(96,96,…)を用いるようにしていため、比較的単純な動作によって冷房除湿運転と暖房加湿運転との切換を行うことができる。
【０２４１】
なお、本実施形態で述べた外調システム(80)に他の実施形態の調湿装置(1)を適用してもよいのは無論のことである。
【０２４２】
《その他の実施形態》
本発明は、上記実施形態について、以下のような構成としてもよい。
【０２４３】
例えば、上記各実施形態の調湿装置(1) は、除加湿可能に構成しなくてもよく、少なくとも加湿運転が可能であればよい。このため、空気通路(30)は、冷温水回路(10)の温水流通時に吸着熱交換器(20)を通過した空気を室内に供給するようになっていればよい。
【０２４４】
また、上述した実施形態の冷温水回路(10)では、四路切換弁(11,12)で冷温水の流れを切り換えるようにしている。しかしながら、例えば図２７及び図２８に示すように、四路切換弁(11,12)に代わって三方弁(105)や二方弁(開閉弁)(106,107)で冷温水の流れを切り換えるようにしてもよい。
【０２４５】
具体的に図２７に示す例では、実施形態２と類似の冷温水回路(10)において、四路切換弁(11,12)に代わって４つの三方弁(105)が設けられている。これら三方弁(105)は、図２７（Ａ）に示す状態と、図２７（Ｂ)に示す状態とに切換可能となっている。そして、三方弁(105)が図２７（Ａ）に示す状態となると、実施形態２と同様の第１運転が行われ、図２７（Ｂ）に示す状態となると、実施形態２と同様の第２運転が行われる。なお、図２７の例は、調湿装置(1)の加湿運転を例示したものであるが、このような三方弁(105)の切換と空気の流れの切換により実施形態２と同様の除湿運転、あるいは他の実施形態の加湿運転や除湿運転を行うこともできる。
【０２４６】
また、図２８に示す例では、実施形態２と類似の冷温水回路(10)において、四路切換弁(11,12)に代わって８つの二方弁(106,107)が設けられている。これら二方弁(106,107)は、図２８（Ａ）に示す状態と図２８（Ｂ)に示す状態とに開閉切換可能となっている。つまり、各二方弁(106)が開の状態（図２８（Ａ）の白塗りで示す状態）になると同時に、各二方弁(107)が閉の状態（同図の黒塗りで示す状態）になると、実施形態２と同様の第１運転が行われる。また、図２８（Ｂ）に示すように、各二方弁(106)が閉の状態になると同時に、各二方弁(107)が開の状態になると、実施形態２と同様の第２運転が行われる。なお、図２８の例は、調湿装置(1)の加湿運転を例示したものであるが、このような二方弁(106,107)の切換と空気の流れの切換により実施形態２と同様の除湿運転を行うこともできるし、他の実施形態の加湿運転や除湿運転を行うこともできる。
【０２４７】
これら三方弁(105)や二方弁(106,107)は、例えば四路切換弁(11,12)と比較すると冷温水に対する耐圧に優れている。したがって、この調湿装置の信頼性を確保できる。
【０２４８】
さらに、上記実施形態１０から実施形態１２では、冷温水回路(10)へ冷水や温水を供給するために冷凍機(90)やボイラ(95)を利用している。しかしながら、これに代わって冷温水同時取出型のヒートポンプチラーを利用することもできる。この場合、冷水側の熱交換器で冷却した冷水と温水側の熱交換器で加熱した温水との両方、あるいはいずれか一方を冷温水回路(10)へ供給することができる。この種のヒートポンプチラーでは、冷水と温水とを一つの熱源システムで賄うことができるとともに、外調システム(80)の空調負荷に応じた運転を行うことができる。
【０２４９】
さらに、冷温水回路(10)へ供給する冷水や温水を蓄熱装置(101,102)で得ることもできる。例えば図２９に示す例は、上記実施形態１２の外調システム(80)において、冷凍機(90)及びボイラ(95)に代わって蓄熱装置(101,102)を設けたものである。蓄熱装置(101)は、夜間において蓄熱槽に冷熱を貯めておき、昼間にこの冷熱で第１熱源回路(81)の水を冷却して冷水とする冷却用の蓄熱装置である。この蓄熱装置(101)は、顕熱式の蓄熱装置、あるいはスタティック型、ダイナミック型などの潜熱式の蓄熱装置等で構成される。また、蓄熱装置(102)は、夜間において蓄熱槽に温熱を貯めておき、昼間にこの温熱で第２熱源回路(82)の水を加熱して温水とするものである。この蓄熱装置(102)は、顕熱式の蓄熱装置等で構成される。このように、冷温水回路(10)への冷水や温水の熱源として蓄熱装置(101,102)を利用すると、熱源容量の低減を図ることができ、さらには受電設備容量の低減、電気料金の低減を図ることができる。なお、これらの蓄熱装置(101,102)を図２９の例に限らず他の実施形態に利用してもよい。
【０２５０】
以上の実施形態は、本質的に好ましい例示であって、本発明、その適用物、あるいはその用途の範囲を制限することを意図するものではない。
【産業上の利用可能性】
【０２５１】
以上説明したように、本発明は、少なくとも加湿運転が可能に構成された調湿装置(1) について有用である。
【図面の簡単な説明】
【０２５２】
【図１】実施形態１に係る調湿装置の加湿運転状態を示す回路図である。
【図２】実施形態１に係る調湿装置の除湿運転状態を示す回路図である。
【図３】実施形態２に係る調湿装置の加湿運転状態を示す回路図である。
【図４】実施形態２に係る調湿装置の除湿運転状態を示す回路図である。
【図５】実施形態３に係る調湿装置の外気冷房状態を示す回路図である。
【図６】実施形態４に係る調湿装置の加湿運転状態を示す回路図である。
【図７】実施形態４に係る調湿装置の除湿運転状態を示す回路図である。
【図８】実施形態５に係る調湿装置の加湿運転状態を示す回路図である。
【図９】実施形態６に係る調湿装置の加湿運転状態を示す回路図である。
【図１０】実施形態６に係る調湿装置の除湿運転状態を示す回路図である。
【図１１】実施形態７に係る調湿装置の加湿運転状態を示す回路図である。
【図１２】実施形態７に係る調湿装置の除湿運転状態を示す回路図である。
【図１３】実施形態８に係る調湿装置の加湿運転状態を示す回路図である。
【図１４】実施形態８に係る調湿装置の除湿運転状態を示す回路図である。
【図１５】実施形態９に係る調湿装置の加湿運転状態を示す回路図である。
【図１６】実施形態９に係る調湿装置の除湿運転状態を示す回路図である。
【図１７】冷温水回路に４つの電磁弁を用いた場合の構成を示す図である。
【図１８】実施形態１０に係る調湿装置が適用される外調システムの回路図である。
【図１９】実施形態１０に係る調湿装置が適用される外調システムの冷房除湿運転状態を示す回路図である。
【図２０】実施形態１０に係る調湿装置が適用される外調システムの暖房加湿運転状態を示す回路図である。
【図２１】実施形態１１に係る調湿装置が適用される外調システムの回路図である。
【図２２】実施形態１１に係る調湿装置が適用される外調システムの冷房除湿運転状態を示す回路図である。
【図２３】実施形態１１に係る調湿装置が適用される外調システムの暖房加湿運転状態を示す回路図である。
【図２４】実施形態１２に係る調湿装置が適用される外調システムの回路図である。
【図２５】実施形態１２に係る調湿装置が適用される外調システムの冷房除湿運転状態を示す回路図である。
【図２６】実施形態１２に係る調湿装置が適用される外調システムの暖房加湿運転状態を示す回路図である。
【図２７】その他の実施形態１に係る調湿装置の加湿運転状態を示す回路図である。
【図２８】その他の実施形態２に係る調湿装置の加湿運転状態を示す回路図である。
【図２９】その他の実施形態に係る外調システムの回路図である。
【符号の説明】
【０２５３】
(1)   調湿装置
(10)  冷温水回路
(11)  第１四路切換弁
(12)  第２四路切換弁
(13)  温水流入管
(14)  第１流通管
(15)  温水流出管
(16)  冷水流入管
(17)  第２流通管
(18)  冷水流出管
(20)  吸着熱交換器
(21)  第１吸着熱交換器
(22)  第２吸着熱交換器
(30)  空気通路
(31)  空気通路
(32)  空気通路
(40)  吸着冷却素子
(40a) 調湿通路
(40b) 冷却通路
(41)  第１吸着冷却素子
(42)  第２吸着冷却素子
(50)  冷媒回路
(51)  圧縮機
(52)  第３四路切換弁
(53)  第３吸着熱交換器
(54)  膨張弁
(55)  第４吸着熱交換器
(60)  冷媒回路
(61)  圧縮機
(62)  第３四路切換弁
(63)  第１空気熱交換器
(64)  膨張弁
(65)  第２空気熱交換器
(70)  補助熱交換器
(71)  第１通路
(72)  第２通路
(P1)  第１ポート
(P2)  第２ポート
(P3)  第３ポート
(P4)  第４ポート
(81)  第１熱源回路（冷熱源）
(82)  第２熱源回路（冷熱源又は温熱源）
(90)  冷凍機
(95)  ボイラ
(101) 蓄熱装置
(102) 蓄熱装置
【図１】
2006105576.tif 000003
【図２】
2006105576.tif 000004
【図３】
2006105576.tif 000005
【図４】
2006105576.tif 000006
【図５】
2006105576.tif 000007
【図６】
2006105576.tif 000008
【図７】
2006105576.tif 000009
【図８】
2006105576.tif 000010
【図９】
2006105576.tif 000011
【図１０】
2006105576.tif 000012
【図１１】
2006105576.tif 000013
【図１２】
2006105576.tif 000014
【図１３】
2006105576.tif 000015
【図１４】
2006105576.tif 000016
【図１５】
2006105576.tif 000017
【図１６】
2006105576.tif 000018
【図１７】
2006105576.tif 000019
【図１８】
2006105576.tif 000020
【図１９】
2006105576.tif 000021
【図２０】
2006105576.tif 000022
【図２１】
2006105576.tif 000023
【図２２】
2006105576.tif 000024
【図２３】
2006105576.tif 000025
【図２４】
2006105576.tif 000026
【図２５】
2006105576.tif 000027
【図２６】
2006105576.tif 000028
【図２７】
2006105576.tif 000029
【図２８】
2006105576.tif 000030
【図２９】
2006105576.tif 000031
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
少なくとも加湿運転が可能な調湿装置であって、
冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備え、
吸着熱交換器(20)は、第１吸着熱交換器(21)と第２吸着熱交換器(22)とから構成され、
冷温水回路(10)は、温水が第１吸着熱交換器(21)を通過するとともに冷水が第２吸着熱交換器(22)を通過する第１冷温水流通状態と、温水が第２吸着熱交換器(22)を通過するとともに冷水が第１吸着熱交換器(21)を通過する第２冷温水流通状態とを切り換え可能に構成され、
空気通路(30)は、第１吸着熱交換器(21)を通過した空気を室内に供給するとともに第２吸着熱交換器(22)を通過した空気を室外に排出する第１空気流通状態と、第２吸着熱交換器(22)を通過した空気を室内に供給するとともに第１吸着熱交換器(21)を通過した空気を室外に排出する第２空気流通状態とを切り換え可能に構成され、
冷温水回路(10)は、第１四路切換弁(11)と第２四路切換弁(12)とを備え、
各四路切換弁(11,12) は、第１ポート(P1)と第２ポート(P2)が連通し、第３ポート(P3)と第４ポート(P4)が連通する第１状態と、第１ポート(P1)と第３ポート(P3)が連通し、第２ポート(P2)と第４ポート(P4)が連通する第２状態とに切り換え可能に構成され、
第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続され、
第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されていることを特徴とする調湿装置。
【請求項２】
少なくとも加湿運転が可能な調湿装置であって、
冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備え、
吸着熱交換器(20)は、第１吸着熱交換器(21)と第２吸着熱交換器(22)とから構成され、
冷温水回路(10)は、温水が第１吸着熱交換器(21)を通過するとともに冷水が第２吸着熱交換器(22)を通過する第１冷温水流通状態と、温水が第２吸着熱交換器(22)を通過するとともに冷水が第１吸着熱交換器(21)を通過する第２冷温水流通状態とを切り換え可能に構成され、
空気通路(30)は、第１吸着熱交換器(21)を通過した空気を室内に供給するとともに第２吸着熱交換器(22)を通過した空気を室外に排出する第１空気流通状態と、第２吸着熱交換器(22)を通過した空気を室内に供給するとともに第１吸着熱交換器(21)を通過した空気を室外に排出する第２空気流通状態とを切り換え可能に構成され、
冷温水回路(10)の冷温水流通状態と空気通路(30)の空気流通状態とを切り換える時間間隔を室内の潜熱負荷に応じて設定する制御手段を備え、
上記制御手段は、室内の潜熱負荷が大きくなるほど上記時間間隔の設定値を小さくするように構成されていることを特徴とする調湿装置。
【請求項３】
少なくとも加湿運転が可能な調湿装置であって、
冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備え、
吸着熱交換器(20)は、第１吸着熱交換器(21)と第２吸着熱交換器(22)とから構成され、
冷温水回路(10)は、温水が第１吸着熱交換器(21)を通過するとともに冷水が第２吸着熱交換器(22)を通過する第１冷温水流通状態と、温水が第２吸着熱交換器(22)を通過するとともに冷水が第１吸着熱交換器(21)を通過する第２冷温水流通状態とを切り換え可能に構成され、
空気通路(30)は、第１吸着熱交換器(21)を通過した空気を室内に供給するとともに第２吸着熱交換器(22)を通過した空気を室外に排出する第１空気流通状態と、第２吸着熱交換器(22)を通過した空気を室内に供給するとともに第１吸着熱交換器(21)を通過した空気を室外に排出する第２空気流通状態とを切り換え可能に構成され、
冷温水回路(10)は、第１から第４までの４つの三方弁を備え、
各三方弁は、第１ポートと第２ポートが連通し、第３ポートが閉鎖する第１状態と、第１ポートと第３ポートが連通し、第２ポートが閉鎖する第２状態とに切り換え可能に構成され、
第１三方弁の第１ポートに温水流入管(13)が接続され、第２三方弁の第１ポートに温水流出管(15)が接続され、第３三方弁の第１ポートに冷水流入管(16)が接続され、第４三方弁の第１ポートに冷水流出管(18)が接続され、
第１吸着熱交換器(21)の伝熱管の一端は、第１三方弁の第２ポートと、第３三方弁の第３ポートとに分岐して接続される一方、その他端が第２三方弁の第２ポートと第４三方弁の第３ポートとに分岐して接続され、
第２吸着熱交換器(22)の伝熱管の一端は、第１三方弁の第３ポートと、第３三方弁の第２ポートとに分岐して接続される一方、その他端が第２三方弁の第３ポートと第４三方弁の第２ポートとに分岐して接続されていることを特徴とする調湿装置。
【請求項４】
請求項１乃至３のいずれか１に記載の調湿装置において、
空気通路(30)は、第１吸着熱交換器(21)及び第２吸着熱交換器(22)の一方を通過した後に室内へ供給する空気として該吸着熱交換器(21,22) に室内空気を供給し、第１吸着熱交換器(21)及び第２吸着熱交換器(22)の他方を通過した後に室外へ排出する空気として該吸着熱交換器(22,21) に室外空気を供給するように構成されていることを特徴とする調湿装置。
【請求項５】
請求項１乃至３のいずれか１に記載の調湿装置において、
空気通路(30)は、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室内空気を供給するように構成されていることを特徴とする調湿装置。
【請求項６】
請求項５に記載の調湿装置において、
空気通路(30)は、冷温水回路(10)が停止した状態で、第１吸着熱交換器(21)及び第２吸着熱交換器(22)の一方を通過した室外空気を室内へ供給し、第１吸着熱交換器(21)及び第２吸着熱交換器(22)の他方を通過した室内空気を室外へ排出するように構成されていることを特徴とする調湿装置。
【請求項７】
請求項１乃至３のいずれか１に記載の調湿装置において、
空気通路(30)は、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室外空気を供給するように構成されていることを特徴とする調湿装置。
【請求項８】
請求項１乃至３のいずれか１に記載の調湿装置において、
冷温水回路(10)は、冷水または温水の一方のみが流通し、他方の流通が停止する運転が可能に構成されていることを特徴とする調湿装置。
【請求項９】
請求項１乃至３のいずれか１に記載の調湿装置において、
第１吸着冷却素子(41)と第２吸着冷却素子(42)を備え、各吸着冷却素子(41,42) は、空気中の水分を吸脱着可能な調湿通路(40a) と、該調湿通路(40a) における水分吸着時の吸着熱を冷却用空気で吸熱する冷却通路(40b) とを有し、
空気通路(30)は、加湿運転用空気通路と除湿運転用空気通路とを設定可能に構成され、
加湿運転用空気通路は、第２吸着冷却素子(42)の冷却通路(40b) と第１吸着熱交換器(21)と第１吸着冷却素子(41)の調湿通路(40a) を通過した空気を室内に供給するとともに第２吸着熱交換器(22)と第２吸着冷却素子(42)の調湿通路(40a) を通過した空気を室外に排出する第１空気流通状態と、第１吸着冷却素子(41)の冷却通路(40b) と第２吸着熱交換器(22)と第２吸着冷却素子(42)の調湿通路(40a) を通過した空気を室内に供給するとともに第１吸着熱交換器(21)と第１吸着冷却素子(41)の調湿通路(40a) を通過した空気を室外に排出する第２空気流通状態とを切り換え可能に構成され、
除湿運転用空気通路は、第１吸着熱交換器(21)と第１吸着冷却素子(41)の調湿通路(40a) を通過した空気を室内に供給するとともに第１吸着冷却素子(41)の冷却通路(40b) と第２吸着熱交換器(22)と第２吸着冷却素子(42)の調湿通路(40a) を通過した空気を室外に排出する第１空気流通状態と、第２吸着熱交換器(22)と第２吸着冷却素子(42)の調湿通路(40a) を通過した空気を室内に供給するとともに第２吸着冷却素子(42)の冷却通路(40b) と第１吸着熱交換器(21)と第１吸着冷却素子(41)の調湿通路(40a) を通過した空気を室外に排出する第２空気流通状態とを切換可能に構成されていることを特徴とする調湿装置。
【請求項１０】
請求項１乃至３のいずれか１に記載の調湿装置において、
冷媒が循環して冷凍サイクルを行う冷媒回路(50)を備え、該冷媒回路(50)の熱交換器は、表面に吸着剤を担持した第３吸着熱交換器(53)及び第４吸着熱交換器(55)により構成され、
上記冷媒回路(50)は、第３吸着熱交換器(53)が凝縮器となり第４吸着熱交換器(55)が蒸発器となる第１冷媒流通状態と、第４吸着熱交換器(55)が凝縮器となり第３吸着熱交換器(53)が蒸発器となる第２冷媒流通状態とを切り換え可能に構成され、
空気通路(30)は、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態とを切り換え可能に構成されていることを特徴とする調湿装置。
【請求項１１】
請求項１乃至３のいずれか１に記載の調湿装置において、
冷媒が循環して冷凍サイクルを行う冷媒回路(60)を備え、該冷媒回路(60)の熱交換器は、空気が冷媒との熱交換により顕熱変化をする第１空気熱交換器(63)及び第２空気熱交換器(65)により構成され、
上記冷媒回路(60)は、第１空気熱交換器(63)が凝縮器となり第２空気熱交換器(65)が蒸発器となる第１冷媒流通状態と、第２空気熱交換器(65)が凝縮器となり第１空気熱交換器(63)が蒸発器となる第２冷媒流通状態とを切り換え可能に構成され、
空気通路(30)は、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態とを切り換え可能に構成されていることを特徴とする調湿装置。
【請求項１２】
請求項１乃至３のいずれか１に記載の調湿装置において、
補助熱交換器(70)を備え、該補助熱交換器(70)は、第１の空気が流れる第１通路(71)と第２の空気が流れる第２通路(72)とを備えるとともに、第１通路(71)を流れる空気と第２通路(72)を流れる空気とが全熱交換または顕熱交換を行うように構成され、
空気通路(30)は、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態とを切り換え可能に構成されていることを特徴とする調湿装置。
【請求項１３】
請求項１乃至３のいずれか１に記載の調湿装置において、
冷温水回路(10)には、冷凍機(90)で冷却された冷水を供給する冷熱源(81)が接続されていることを特徴とする調湿装置。
【請求項１４】
請求項１３に記載の調湿装置において、
冷温水回路(10)には、冷凍機(90)で冷却された冷水を供給する冷熱源(81)と、該冷凍機(90)から放出される熱で加熱された温水を供給する温熱源(82)が接続されていることを特徴とする調湿装置。
【請求項１５】
請求項１乃至３のいずれか１に記載の調湿装置において、
冷温水回路(10)には、冷凍機(90)又はボイラ(95)で加熱された温水を供給する温熱源(81,82)が接続されていることを特徴とする調湿装置。
【請求項１６】
請求項１乃至３のいずれか１に記載の調湿装置において、
冷温水回路(10)には、蓄熱装置(101)に蓄熱した冷熱で冷却された冷水を供給する冷熱源(81)が接続されていることを特徴とする調湿装置。
【請求項１７】
請求項１乃至３のいずれか１に記載の調湿装置において、
冷温水回路(10)には、蓄熱装置(102)に蓄熱した温熱で加熱された温水を供給する温熱源(82)が接続されていることを特徴とする調湿装置。
【手続補正２】
【補正対象書類名】明細書
【補正対象項目名】全文
【補正方法】変更
【補正の内容】
【発明の詳細な説明】
【技術分野】
【０００１】
本発明は、調湿装置に関し、特に、少なくとも加湿運転が可能に構成された調湿装置に関するものである。
【背景技術】
【０００２】
従来より、少なくとも加湿運転の可能な調湿装置として、ハニカム状の基材が有する空気通路の表面に吸着材が担持された吸着素子と、冷媒回路を用いたヒートポンプ装置とを備えたものがある（例えば、特許文献１及び特許文献２参照）。この調湿装置は一対の吸着素子を備え、各吸着素子は空気からの水分の吸着と空気への放出とが可能である。そして、第１の吸着素子で第１の空気から水分を吸着して室外へ排出しながら、第２の吸着素子で第２の空気へ水分を与えて室内へ供給する運転と、第２の吸着素子で第１の空気から水分を吸着して室外へ放出しながら、第１の吸着素子で第１の空気へ水分を与えて室内へ供給する運転とを交互に切り換えて、室内を加湿するようにしている。
【０００３】
上記の装置では、室内へ供給する空気を吸着素子に流す前に加熱するために、上記ヒートポンプ装置が用いられている。
【特許文献１】特開２００３−２２７６２６号公報
【特許文献２】特開２００３−２３２５４０号公報
【発明の開示】
【発明が解決しようとする課題】
【０００４】
しかし、上記の装置では、吸着素子とヒートポンプ装置とを設ける必要があり、構成が複雑で、装置が大型になる問題があった。
【０００５】
本発明は、このような問題点に鑑みて創案されたものであり、その目的は、少なくとも加湿運転が可能な調湿装置の構成を簡素化し、小型化を可能にすることである。
【課題を解決するための手段】
【０００６】
本発明は、冷温水回路(10)の熱交換器(21,22) の表面に吸着剤を担持して、加湿運転の可能な調湿装置を構成するようにしたものである。
【０００７】
具体的に、第１の発明は、少なくとも加湿運転が可能な調湿装置を前提としている。そして、この調湿装置は、冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備え、例えば図１及び図２に示すように、吸着熱交換器(20)が、第１吸着熱交換器(21)と第２吸着熱交換器(22)とから構成され、冷温水回路(10)が、温水が第１吸着熱交換器(21)を通過するとともに冷水が第２吸着熱交換器(22)を通過する第１冷温水流通状態（図１（Ａ）及び図２（Ａ）に示す状態）と、温水が第２吸着熱交換器(22)を通過するとともに冷水が第１吸着熱交換器(21)を通過する第２冷温水流通状態（図１（Ｂ）及び図２（Ｂ）に示す状態）とを切り換え可能に構成され、空気通路(30)が、第１吸着熱交換器(21)を通過した空気を室内に供給するとともに第２吸着熱交換器(22)を通過した空気を室外に排出する第１空気流通状態（図１（Ａ）及び図２（Ｂ）に示す状態）と、第２吸着熱交換器(22)を通過した空気を室内に供給するとともに第１吸着熱交換器(21)を通過した空気を室外に排出する第２空気流通状態（図１（Ｂ）及び図２（Ａ）に示す状態）とを切り換え可能に構成され、冷温水回路(10)が、例えば図１及び図２に示すように、第１四路切換弁(11)と第２四路切換弁(12)とを備え、各四路切換弁(11,12) が、第１ポート(P1)と第２ポート(P2)が連通し、第３ポート(P3)と第４ポート(P4)が連通する第１状態と、第１ポート(P1)と第３ポート(P3)が連通し、第２ポート(P2)と第４ポート(P4)が連通する第２状態とに切り換え可能に構成され、第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続され、第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されていることを特徴としている。
【０００８】
この第１の発明では、冷温水回路(10)に温水を流して吸着熱交換器(20)を加熱すると、該吸着熱交換器(20)の吸着剤から水分が脱離し、該吸着剤が再生される。このとき、吸着熱交換器(20)を通過した空気を室内に供給すると、室内を加湿できる。その後、吸着熱交換器(20)から水分が脱離しなくなると、該吸着熱交換器(20)への温水の流通を停止させるか、あるいは該吸着熱交換器(20)に冷水を流して吸着剤を冷やしながら、例えば水分を含んだ別の空気が吸着熱交換器(20)を通過するような操作をすることで吸着剤に水分を補給する処理を行って、次の加湿動作の準備をする。このようにすることで、室内に間欠的に水分を供給することで加湿運転を行える。
【０００９】
この第１の発明では、図１（Ａ）に示すように冷温水回路(10)を第１冷温水流通状態にするとともに空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。また、図１（Ｂ）に示すように冷温水回路(10)を第２冷温水流通状態にするとともに空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。そして、以上の２つの運転状態を交互に切り換えることで室内を連続的に加湿できる。
【００１０】
また、図２（Ｂ）に示すように冷温水回路(10)を第２冷温水流通状態にするとともに空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。また、図２（Ａ）に示すように冷温水回路(10)を第１冷温水流通状態にするとともに空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。そして、以上の２つの運転状態を交互に切り換えることで室内を連続的に除湿できる。
【００１１】
また、冷温水回路(10)に温水または冷水のいずれか一方を流し、温水または冷水が流れている側の熱交換器(21,22) を通過した空気を室内に供給すると、当初は潜熱変化をする空気がやがては吸着剤の飽和により顕熱変化をするようになるため、暖房または冷房のみの運転を行うことが可能となる。
【００１２】
この第１の発明では、図１（Ａ）及び図２（Ａ）に示すように各四路切換弁(11,12) を第１状態に切り換えると冷温水回路(10)が第１冷温水流通状態となり、温水が温水流入管(13)及び第１流通管(14)を通って第１吸着熱交換器(21)を流れた後に温水流出管(15)から排出され、冷水が冷水流入管(16)及び第２流通管(17)を通って第２吸着熱交換器(22)を流れた後に冷水流出管(18)から排出される。また、図１（Ｂ）及び図２（Ｂ）に示すように各四路切換弁(11,12) を第２状態に切り換えると、冷温水回路(10)が第２冷温水流通状態となり、温水が温水流入管(13)及び第２流通管(17)を通って第２吸着熱交換器(22)を流れた後に温水流出管(15)から排出され、冷水が冷水流入管(16)及び第１流通管(14)を通って第１吸着熱交換器(21)を流れた後に冷水流出管(18)から排出される。
【００１３】
そして、この第１の発明では、各四路切換弁(11,12) を第１状態と第２状態に切り換えることで冷温水回路(10)を第１冷温水流通状態と第２冷温水流通状態に切り換えると、それまで冷水が流れていた流通管(14,17) 及び吸着熱交換器(21,22) には温水が流れ、逆にそれまで温水が流れていた流通管(17,14) 及び吸着熱交換器(22,21) には冷水が流れることになる。
【００１４】
第２の発明は、少なくとも加湿運転が可能な調湿装置を前提としている。そして、この調湿装置は、冷温水が流通する冷温水回路(10)と、該冷温水回路(10)に設けられ、表面に吸着材を担持した吸着熱交換器(20)と、吸着熱交換器(20)を通過した空気を室内または室外へ選択的に供給する空気通路(30)とを備え、吸着熱交換器(20)は、第１吸着熱交換器(21)と第２吸着熱交換器(22)とから構成され、冷温水回路(10)は、温水が第１吸着熱交換器(21)を通過するとともに冷水が第２吸着熱交換器(22)を通過する第１冷温水流通状態と、温水が第２吸着熱交換器(22)を通過するとともに冷水が第１吸着熱交換器(21)を通過する第２冷温水流通状態とを切り換え可能に構成され、空気通路(30)は、第１吸着熱交換器(21)を通過した空気を室内に供給するとともに第２吸着熱交換器(22)を通過した空気を室外に排出する第１空気流通状態と、第２吸着熱交換器(22)を通過した空気を室内に供給するとともに第１吸着熱交換器(21)を通過した空気を室外に排出する第２空気流通状態とを切り換え可能に構成され、冷温水回路(10)の冷温水流通状態と空気通路(30)の空気流通状態とを切り換える時間間隔を室内の潜熱負荷に応じて設定する制御手段を備え、上記制御手段は、室内の潜熱負荷が大きくなるほど上記時間間隔の設定値を小さくするように構成されていることを特徴としている。
【００１５】
この第２の発明では、室内の潜熱負荷が大きくなるほど冷温水回路(10)の冷温水流通状態と空気通路(30)の空気流通状態とを切り換える時間間隔が小さくなって潜熱処理量が多くなり、逆に室内の潜熱負荷が小さくなるほど上記時間間隔が大きくなって潜熱処理量が少なくなる。
【００１６】
第４の発明は、第１乃至第３のいずれか１の発明の調湿装置において、空気通路(30)が、図１及び図２に示すように、第１吸着熱交換器(21)及び第２吸着熱交換器(22)の一方を通過した後に室内へ供給する空気として該吸着熱交換器(21,22) に室内空気を供給し、第１吸着熱交換器(21)及び第２吸着熱交換器(22)の他方を通過した後に室外へ排出する空気として該吸着熱交換器(22,21) に室外空気を供給するように構成されていることを特徴としている。
【００１７】
この第４の発明では、室内空気が第１吸着熱交換器(21)及び第２吸着熱交換器(22)の一方で処理されてから供給空気として再度室内に供給され、室外空気が第１吸着熱交換器(21)及び第２吸着熱交換器(22)の他方で処理されてから排出空気として再度室外に排出される。つまり、この発明の調湿装置は、室内側で空気が吸着熱交換器(21,22) の一方を通って循環し、室外側でも空気が吸着熱交換器(21,22) の他方を通って循環する、いわゆる循環扇型の調湿装置となる。
【００１８】
第５の発明は、第１乃至第３のいずれか１の発明の調湿装置において、空気通路(30)が、図３及び図４に示すように、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室内空気を供給するように構成されていることを特徴としている。
【００１９】
この第５の発明では、室外空気が第１吸着熱交換器(21)及び第２吸着熱交換器(22)の一方で処理されてから供給空気として室内に供給され、室内空気が第１吸着熱交換器(21)及び第２吸着熱交換器(22)の他方で処理されてから排出空気として室外に排出される。つまり、この発明の調湿装置は、給気・排気とも機械換気で強制的に行う、いわゆる換気扇型（第１種換気方式）の調湿装置となる。
【００２０】
第６の発明は、第５の発明の調湿装置において、空気通路(30)が、図５に示すように、冷温水回路(10)の停止した状態で、第１吸着熱交換器(21)及び第２吸着熱交換器(22)の一方を通過した室外空気を室内へ供給し、第１吸着熱交換器(21)及び第２吸着熱交換器(22)の他方を通過した室内空気を室外へ排出するように構成されていることを特徴としている。
【００２１】
この第６の発明では、冷温水が冷温水回路(10)を流れない状態で単純に換気だけを行うことができる。また、例えば、室内空気よりも室外空気の方が低温である場合に室外空気をそのまま室内へ供給することによって室内の冷房を行う、いわゆる外気冷房運転も可能である。この場合、室外空気は第１吸着熱交換器(21)及び第２吸着熱交換器(22)の一方を単に通過してから供給空気として室内に供給され、室内空気は第１吸着熱交換器(21)及び第２吸着熱交換器(22)の他方を単に通過してから排出空気として室外に放出される。
【００２２】
第７の発明は、第１乃至第３のいずれか１の発明の調湿装置において、空気通路(30)が、図６及び図７に示すように、第１吸着熱交換器(21)及び第２吸着熱交換器(22)の一方を通過した後に室内へ供給する空気として該吸着熱交換器(21,22) に室外空気を供給し、第１吸着熱交換器(21)及び第２吸着熱交換器(22)の他方を通過した後に室外へ排出する空気として該吸着熱交換器(22,21) に室外空気を供給するように構成されていることを特徴としている。
【００２３】
この第７の発明では、室外空気が第１吸着熱交換器(21)及び第２吸着熱交換器(22)の一方で処理されてから供給空気として室内に供給され、室外空気が第１吸着熱交換器(21)及び第２吸着熱交換器(22)の他方で処理されてから排出空気として再度室外に排出される。つまり、この発明の調湿装置は、給気は機械換気で強制的に行い、排気は自然排気で行う、いわゆる給気扇型（第２種換気方式）の調湿装置となる。
【００２４】
第８の発明は、第１乃至第３のいずれか１の発明の調湿装置において、冷温水回路(10)が、図８に示すように、冷水または温水の一方のみが流通し、他方の流通が停止する運転が可能に構成されていることを特徴としている。
【００２５】
この第８の発明では、冷温水回路(10)の第１冷温水流通状態及び第２冷温水流通状態と、空気通路(30)の第１空気流通状態及び第２空気流通状態とを切り換えながら、温水または冷水の一方のみを流すことで、加湿運転と除湿運転のいずれか一方が行われる。
【００２６】
第９の発明は、第１乃至第３のいずれか１の発明の調湿装置において、図９及び図１０に示すように、第１吸着冷却素子(41)と第２吸着冷却素子(42)を備え、各吸着冷却素子(41,42) は、空気中の水分を吸脱着可能な調湿通路(40a) と、該調湿通路(40a) における水分吸着時の吸着熱を冷却用空気で吸熱する冷却通路(40b) とを有し、空気通路(30)が、加湿運転用空気通路と除湿運転用空気通路とを設定可能に構成され、加湿運転用空気通路が、第２吸着冷却素子(42)の冷却通路(40b) と第１吸着熱交換器(21)と第１吸着冷却素子(41)の調湿通路(40a) を通過した空気を室内に供給するとともに第２吸着熱交換器(22)と第２吸着冷却素子(42)の調湿通路(40a) を通過した空気を室外に排出する第１空気流通状態（図９（Ａ）の状態）と、第１吸着冷却素子(41)の冷却通路(40b) と第２吸着熱交換器(22)と第２吸着冷却素子(42)の調湿通路(40a) を通過した空気を室内に供給するとともに第１吸着熱交換器(21)と第１吸着冷却素子(41)の調湿通路(40a) を通過した空気を室外に排出する第２空気流通状態（図９（Ｂ）の状態）とを切り換え可能に構成され、除湿運転用空気通路が、第１吸着熱交換器(21)と第１吸着冷却素子(41)の調湿通路(40a) を通過した空気を室内に供給するとともに第１吸着冷却素子(41)の冷却通路(40b) と第２吸着熱交換器(22)と第２吸着冷却素子(42)の調湿通路(40a) を通過した空気を室外に排出する第１空気流通状態（図１０（Ｂ）の状態）と、第２吸着熱交換器(22)と第２吸着冷却素子(42)の調湿通路(40a) を通過した空気を室内に供給するとともに第２吸着冷却素子(42)の冷却通路(40b) と第１吸着熱交換器(21)と第１吸着冷却素子(41)の調湿通路(40a) を通過した空気を室外に排出する第２空気流通状態（図１０（Ａ）の状態）とを切換可能に構成されていることを特徴としている。
【００２７】
この第９の発明では、図９（Ａ）に示すように冷温水回路(10)を第１冷温水流通状態にするとともに加湿運転用空気通路(30)を第１空気流通状態にすると、第２吸着熱交換器(22)及び第２吸着冷却素子(42)の吸着剤に水分を与えながら第１吸着熱交換器(21)及び第１吸着冷却素子(41)の吸着剤を再生し、この再生側の空気を室内に供給することで室内を加湿できる。その際、再生側の空気は、第２吸着冷却素子(42)の冷却通路(40b) を通るときに吸着熱を吸熱することで加熱された後に第１吸着熱交換器(21)と第１吸着冷却素子(41)で加湿されて室内に供給される。また、図９（Ｂ）に示すように冷温水回路(10)を第２冷温水流通状態にするとともに加湿運転用空気通路(30)を第２空気流通状態にすると、第１吸着熱交換器(21)及び第１吸着冷却素子(41)の吸着剤に水分を与えながら第２吸着熱交換器(22)及び第２吸着冷却素子(42)の吸着剤を再生し、この再生側の空気を室内に供給することで室内を加湿できる。その際、再生側の空気は、第１吸着冷却素子(41)の冷却通路(40b) を通るときに吸着熱を吸熱することで加熱された後に第２吸着熱交換器(22)と第２吸着冷却素子(42)で加湿されて室内に供給される。そして、以上の２つの運転状態を交互に切り換えることで室内を連続的に加湿できる。
【００２８】
また、図１０（Ｂ）に示すように冷温水回路(10)を第２冷温水流通状態にするとともに除湿運転用空気通路(30)を第１空気流通状態にすると、第２吸着熱交換器(22)及び第２吸着冷却素子(42)の吸着剤を再生しながら第１吸着熱交換器(21)及び第１吸着冷却素子(41)の吸着剤で水分を吸着し、この吸着側の空気を室内に供給することで室内を除湿できる。その際、吸着側の空気は、第１吸着熱交換器(21)で減湿された後、第１吸着冷却素子(41)の調湿通路(40a) を通るときにさらに減湿されるとともに吸着熱を冷却通路(40b) の空気に放出して室内に供給される。また、図１０（Ａ）に示すように冷温水回路(10)を第１冷温水流通状態にするとともに除湿運転用空気通路(30)を第２空気流通状態にすると、第１吸着熱交換器(21)及び第１吸着冷却素子(41)の吸着剤を再生しながら第２吸着熱交換器(22)及び第２吸着冷却素子(42)の吸着剤で水分を吸着し、この吸着側の空気を室内に供給することで室内を除湿できる。その際、吸着側の空気は、第２吸着熱交換器(22)で減湿された後、第２吸着冷却素子(42)の調湿通路(40a) を通るときにさらに減湿されるとともに吸着熱を冷却通路(40b) の空気に放出して室内に供給される。そして、以上の２つの運転状態を交互に切り換えることで室内を連続的に除湿できる。
【００２９】
第１０の発明は、第１乃至第３のいずれか１の発明の調湿装置において、冷媒が循環して冷凍サイクルを行う冷媒回路(50)を備え、該冷媒回路(50)の熱交換器が、表面に吸着剤を担持した第３吸着熱交換器(53)及び第４吸着熱交換器(55)により構成され、上記冷媒回路(50)が、第３吸着熱交換器(53)が凝縮器となり第４吸着熱交換器(55)が蒸発器となる第１冷媒流通状態（図１１（Ａ），図１２（Ａ）の状態）と、第４吸着熱交換器(55)が凝縮器となり第３吸着熱交換器(53)が蒸発器となる第２冷媒流通状態（図１１（Ｂ），図１２（Ｂ）の状態）とを切り換え可能に構成され、空気通路(30)が、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態（図１１（Ａ），図１２（Ｂ）の状態）と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態（図１１（Ｂ），図１２（Ａ）の状態）とを切り換え可能に構成されていることを特徴としている。
【００３０】
この第１０の発明では、図１１（Ａ）に示すように冷温水回路(10)を第１冷温水流通状態にするとともに冷媒回路(50)を第１冷媒流通状態にし、かつ空気通路(30)を第１空気流通状態にすると、第４吸着熱交換器(55)及び第２吸着熱交換器(22)の吸着剤に水分を与えながら第３吸着熱交換器(53)及び第１吸着熱交換器(21)の吸着剤を再生し、この再生側の空気を室内に供給することで室内を加湿できる。また、図１１（Ｂ）に示すように冷温水回路(10)を第２冷温水流通状態にするとともに冷媒回路(50)を第２冷媒流通状態にし、かつ空気通路(30)を第２空気流通状態にすると、第３吸着熱交換器(53)及び第１吸着熱交換器(21)の吸着剤に水分を与えながら第４吸着熱交換器(55)及び第２吸着熱交換器(22)の吸着剤を再生し、この再生側の空気を室内に供給することで室内を加湿できる。そして、以上の２つの運転状態を交互に切り換えることで室内を連続的に加湿できる。
【００３１】
また、図１２（Ｂ）に示すように冷温水回路(10)を第２冷温水流通状態にするとともに冷媒回路(50)を第２冷媒流通状態にし、かつ空気通路(30)を第１空気流通状態にすると、第４吸着熱交換器(55)及び第２吸着熱交換器(22)の吸着剤を再生しながら第３吸着熱交換器(53)及び第１吸着熱交換器(21)の吸着剤で水分を吸着し、この吸着側の空気を室内に供給することで室内を除湿できる。また、図１２（Ａ）に示すように冷温水回路(10)を第１冷温水流通状態にするとともに冷媒回路(50)を第１冷媒流通状態にし、かつ空気通路(30)を第２空気流通状態にすると、第３吸着熱交換器(53)及び第１吸着熱交換器(21)の吸着剤を再生しながら第４吸着熱交換器(55)及び第２吸着熱交換器(22)の吸着剤で水分を吸着し、この吸着側の空気を室内に供給することで室内を除湿できる。そして、以上の２つの運転状態を交互に切り換えることで室内を連続的に除湿できる。
【００３２】
なお、この発明では、第１吸着熱交換器(21)と第３吸着熱交換器(53)のどちらが空気通路(30)の上流側になるように配置してもよいし、第２吸着熱交換器(22)と第４吸着熱交換器(54)のどちらが空気通路(30)の上流側になるように配置してもよい。
【００３３】
第１１の発明は、第１乃至第３のいずれか１の発明の調湿装置において、冷媒が循環して冷凍サイクルを行う冷媒回路(60)を備え、該冷媒回路(60)の熱交換器が、空気が冷媒との熱交換により顕熱変化をする第１空気熱交換器(63)及び第２空気熱交換器(65)により構成され、上記冷媒回路(60)が、第１空気熱交換器(63)が凝縮器となり第２空気熱交換器(65)が蒸発器となる第１冷媒流通状態（図１３（Ａ），図１４（Ａ）の状態）と、第２空気熱交換器(65)が凝縮器となり第１空気熱交換器(63)が蒸発器となる第２冷媒流通状態（図１３（Ｂ），図１４（Ｂ）の状態）とを切り換え可能に構成され、空気通路(30)が、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態（図１３（Ａ），図１４（Ｂ）の状態）と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態（図１３（Ｂ），図１４（Ａ）の状態）とを切り換え可能に構成されていることを特徴としている。
【００３４】
この第１１の発明では、図１３（Ａ）に示すように冷温水回路(10)を第１冷温水流通状態にするとともに冷媒回路(60)を第１冷媒流通状態にし、かつ空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。その際、再生側の空気は、第１吸着熱交換器(21)で加湿されるとともに第１空気熱交換器(63)で加熱されて室内に供給される。また、図１３（Ｂ）に示すように冷温水回路(10)を第２冷温水流通状態にするとともに冷媒回路(60)を第２冷媒流通状態にし、かつ空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。その際、再生側の空気は、第２吸着熱交換器(22)で加湿されるとともに第２空気熱交換器(65)で加熱されて室内に供給される。そして、以上の２つの運転状態を交互に切り換えることで室内を連続的に加湿できる。
【００３５】
また、図１４（Ｂ）に示すように冷温水回路(10)を第２冷温水流通状態にするとともに冷媒回路(60)を第２冷媒流通状態にし、かつ空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。その際、吸着側の空気は、第１吸着熱交換器(21)で減湿されるとともに第１空気熱交換器(63)で冷却されて室内に供給される。また、図１４（Ａ）に示すように冷温水回路(10)を第１冷温水流通状態にするとともに冷媒回路(60)を第１冷媒流通状態にし、かつ空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。その際、吸着側の空気は、第２吸着熱交換器(22)で減湿されるとともに第２空気熱交換器(65)で冷却されて室内に供給される。そして、以上の２つの運転状態を交互に切り換えることで室内を連続的に除湿できる。
【００３６】
第１２の発明は、第１乃至第３のいずれか１の発明の調湿装置において、補助熱交換器(70)を備え、該補助熱交換器(70)が、第１の空気が流れる第１通路(71)と第２の空気が流れる第２通路(72)とを備えるとともに、第１通路(71)を流れる空気と第２通路(72)を流れる空気とが全熱交換または顕熱交換を行うように構成され、空気通路(30)が、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態（図１５（Ａ），図１６（Ｂ）の状態）と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態（図１５（Ｂ），図１６（Ａ）の状態）とを切り換え可能に構成されていることを特徴としている。
【００３７】
この第１２の発明では、図１５（Ａ）に示すように冷温水回路(10)を第１冷温水流通状態にするとともに空気通路(30)を第１空気流通状態にすると、第２吸着熱交換器(22)の吸着剤に水分を与えながら第１吸着熱交換器(21)の吸着剤を再生し、この再生側の空気を室内に供給することで室内を加湿できる。その際、再生側の空気は、補助熱交換器(70)で加熱／加湿されるとともに第１吸着熱交換器(21)で加湿されて室内に供給される。また、図１５（Ｂ）に示すように冷温水回路(10)を第２冷温水流通状態にするとともに空気通路(30)を第２空気流通状態にすると、第１吸着熱交換器(21)の吸着剤に水分を与えながら第２吸着熱交換器(22)の吸着剤を再生し、この再生側の空気を室内に供給することで室内を加湿できる。その際、再生側の空気は、補助熱交換器(70)で加熱／加湿されるとともに第２吸着熱交換器(22)で加湿されて室内に供給される。そして、以上の２つの運転状態を交互に切り換えることで室内を連続的に加湿できる。
【００３８】
また、図１６（Ｂ）に示すように冷温水回路(10)を第２冷温水流通状態にするとともに空気通路(30)を第１空気流通状態にすると、第２吸着熱交換器(22)の吸着剤を再生しながら第１吸着熱交換器(21)の吸着剤で水分を吸着し、この吸着側の空気を室内に供給することで室内を除湿できる。その際、吸着側の空気は、補助熱交換器(70)で冷却／減湿されるとともに第１吸着熱交換器(21)で減湿されて室内に供給される。また、図１６（Ａ）に示すように冷温水回路(10)を第１冷温水流通状態にするとともに空気通路(30)を第２空気流通状態にすると、第１吸着熱交換器(21)の吸着剤を再生しながら第２吸着熱交換器(22)の吸着剤で水分を吸着し、この吸着側の空気を室内に供給することで室内を除湿できる。その際、吸着側の空気は、補助熱交換器(70)で冷却／減湿されるとともに第２吸着熱交換器(22)で減湿されて室内に供給される。そして、以上の２つの運転状態を交互に切り換えることで室内を連続的に除湿できる。
【００３９】
第１３の発明は、第１乃至第３のいずれか１の発明の調湿装置において、冷温水回路(10)には、冷凍機(90)で冷却された冷水を供給する冷熱源(81)が接続されていることを特徴とするものである。ここで、上記「冷凍機」は、冷媒が循環して蒸気圧縮式の冷凍サイクルを行う蒸気圧縮式の冷凍機や、吸収剤などに冷媒蒸気を吸収させるプロセスを利用して冷凍サイクルを行う吸収冷凍機など、冷却能力を有するものであれば如何なる冷凍機であってもよい。
【００４０】
この第１３の発明では、冷温水回路(10)に冷熱源(81)が接続される。この冷熱源(81)には、冷凍機(90)で冷却された冷水が流れ、この冷水が冷温水回路(10)へ供給される。そして、この冷水は第１吸着熱交換器(21)及び第２吸着熱交換器(22)の吸着材の冷却に利用される。
【００４１】
第１４の発明は、第１３の発明の調湿装置において、冷温水回路(10)には、冷凍機(90)で冷却された冷水を供給する冷熱源(81)と、該冷凍機(90)から放出される熱で加熱された温水を供給する温熱源(82)が接続されていることを特徴とするものである。
【００４２】
この第１４の発明では、冷温水回路(10)に冷熱源(81)と温熱源(82)とが接続される。ここで、冷熱源(81)には、冷凍機(90)で冷却された冷水が流れ、この冷水が冷温水回路(10)へ供給される。そして、この冷水は第１吸着熱交換器(21)及び第２吸着熱交換器(22)の吸着材の冷却に利用される。
【００４３】
一方、温熱源(82)には、冷凍機(90)から放出された熱で加熱された温水が流れ、この温水が冷温水回路(10)へ供給される。そして、この温水は第１吸着熱交換器(21)及び第２吸着熱交換器(22)の吸着材の加熱再生に利用される。
【００４４】
第１５の発明は、第１乃至第３のいずれか１の発明の調湿装置において、冷温水回路(10)には、冷凍機(90)又はボイラ(95)で加熱された温水を供給する温熱源(81,82)が接続されていることを特徴とするものである。
【００４５】
この第１５の発明では、冷温水回路(10)に温熱源(82)が接続される。この温熱源(82)には、冷凍機(90)又はボイラ(95)で加熱された温水が流れ、この温水が冷温水回路(10)へ供給される。そして、この温水は第１吸着熱交換器(21)及び第２吸着熱交換器(22)の吸着材の加熱再生に利用される。
【００４６】
第１６の発明は、第１乃至第３のいずれか１の発明の調湿装置において、冷温水回路(10)には、蓄熱装置(101)に蓄熱した冷熱で冷却された冷水を供給する冷熱源(81)が接続されていることを特徴とするものである。ここで、上記「蓄熱装置」は、水の温度差を利用して冷熱を得る顕熱式の蓄熱装置であってもよいし、氷の融解潜熱を利用して冷熱を得る潜熱式の蓄熱装置であってもよい。
【００４７】
この第１６の発明では、蓄熱装置(101)に蓄熱した冷熱で冷却された冷水が冷熱源(81)を流れ、この冷水が冷温水回路(10)へ供給される。そして、この冷水は第１吸着熱交換器(21)及び第２吸着熱交換器(22)の吸着材の冷却に利用される。
【００４８】
第１７の発明は、第１乃至第３のいずれか１の発明の調湿装置において、冷温水回路(10)には、蓄熱装置()に蓄熱した温熱で加熱された温水を供給する温熱源(82)が接続されていることを特徴とするものである。
【００４９】
この第１７の発明では、蓄熱装置(102)に蓄熱した温熱で加熱された温水が温熱源(82)を流れ、この温水が冷温水回路(10)へ供給される。そして、この温水は第１吸着熱交換器(21)及び第２吸着熱交換器(22)の吸着材の加熱再生に利用される。
【発明の効果】
【００５０】
上記第１の発明によれば、冷温水が流通する冷温水回路(10)に熱交換器を設け、この熱交換器を吸着熱交換器(20)にしているので、該冷温水回路(10)に温水を流したときに吸着熱交換器(20)の吸着剤から水分が脱離する作用を利用して室内を加湿できる。そして、このように冷温水回路(10)に吸着熱交換器(20)を設ける構成にしたことによって、吸着素子とヒートポンプ装置を用いていた従来の調湿装置よりも構成を簡素化し、装置を小型化することが可能となる。
【００５１】
上記第１の発明によれば、冷温水回路(10)を第１冷温水流通状態と第２冷温水流通状態に切り換え可能に構成し、各吸着熱交換器(21,22) に冷水が流れる状態と温水が流れる状態を切り換え可能にするとともに、空気通路(30)を第１空気流通状態と第２空気流通状態に切り換え可能に構成することによって、再生側の空気か吸着側の空気を選択的に室内に供給することができる。したがって、冷温水回路(10)と吸着熱交換器(21,22) を用いて加湿運転や除湿運転を連続的に行える調湿装置を簡単な構成で実現できる。
【００５２】
上記第１の発明によれば、２つの四路切換弁(11,12) を用いて第１冷温水流通状態と第２冷温水流通状態を切り換えるようにしているので、流通状態を切り換えたときに、それまで冷水が流れていた吸着熱交換器(21,22) 内の冷水は温水で押し流され、逆にそれまで温水が流れていた吸着熱交換器(22,21) の温水は冷水で押し流される。このため、吸着熱交換器(21,22) 内に冷水や温水が残らず、熱交換効率が低下することがない。
【００５３】
ここで、第１冷温水流通状態と第２冷温水流通状態を切り換えるには、図１７に示すように、４つの電磁弁（開閉弁）を用いた構成も可能である。この例では、各吸着熱交換器(101,102) の伝熱管を温水側のパス(101a,102a) と冷水側のパス(101b,102b) に分けるとともに、温水流入管(103) を２本に分岐しており、各分岐管(104a,104b) を電磁弁（開閉弁）(105a,105b) を介して吸着熱交換器(101,102) の温水流入側に接続し、吸着熱交換器(101,102) の温水流出側を２本の合流管(106a,106b) を用いて温水流出管(107) と接続している。また、冷水流入管(108) を２本に分岐しており、各分岐管(109a,109b) を電磁弁（開閉弁）(110a,110b) を介して吸着熱交換器(101,102) の冷水流入側に接続し、吸着熱交換器(101,102) の冷水流出側を２本の合流管(111a,111b) を用いて冷水流出管(112) と接続している。
【００５４】
しかし、このように構成すると、冷温水回路(100) を図１７（Ａ）の第１冷温水流通状態と図１７（Ｂ）の第２冷温水流通状態とに切り換えたときに、温水が流通している吸着熱交換器(101,102) の冷水側のパス(101b,102b) に冷水が残り、逆に冷水が流通している吸着熱交換器(101,102) の温水側のパス(101a,102a) に温水が残ってしまう（水が流通している部分については図１７の太い実線の部分を参照し、水が残ってしまう部分については図１７の細い実線の部分を参照すること）ので、熱交換効率が低下してしまう。
【００５５】
なお、４つの電磁弁(105a,105b)(110a,110b)の代わりに、温水流入管(103) と２本の分岐管(104a,104b) の接続箇所や冷水流入管(108) と２本の分岐管(109a,109b) の接続箇所に三方弁（図示せず）を設けても同様の回路を組むことは可能であるが、その場合でも、温水が流通している吸着熱交換器(101,102) の冷水側のパス(101b,102b) に冷水が残り、逆に冷水が流通している吸着熱交換器(101,102) の温水側のパス(101a,102a) に温水が残ってしまうので、電磁弁(105a,105b)(110a,110b)を用いた回路と同様の問題が生じてしまう。
【００５６】
上記第２の発明によれば、室内の潜熱負荷が大きくなるほど冷温水回路(10)の冷温水流通状態と空気通路(30)の空気流通状態とを切り換える時間間隔が小さくなって潜熱処理量が多くなり、逆に室内の潜熱負荷が小さくなるほど上記時間間隔が大きくなって潜熱処理量が少なくなるので、室内の潜熱負荷に応じた快適な運転制御を行うことができる。
【００５７】
上記第４の発明によれば、いわゆる循環扇型の調湿装置において、冷温水回路(10)の熱交換器を吸着熱交換器(21,22) にすることで、装置の小型化と簡素化を実現することが可能となる。
【００５８】
上記第５の発明によれば、いわゆる換気扇型の調湿装置において、冷温水回路(10)の熱交換器を吸着熱交換器(21,22) にすることで、装置の小型化と簡素化を実現することが可能となる。
【００５９】
上記第６の発明によれば、いわゆる換気扇型で単純換気や外気冷房が可能な調湿装置において、冷温水回路(10)の熱交換器を吸着熱交換器(21,22) にすることで、装置の小型化と簡素化を実現することが可能となる。
【００６０】
上記第７の発明によれば、いわゆる給気扇型の調湿装置において、冷温水回路(10)の熱交換器を吸着熱交換器(21,22) にすることで、装置の小型化と簡素化を実現することが可能となる。
【００６１】
上記第８の発明によれば、冷温水回路(10)を、温水または冷水の一方のみが流通し、他方の流通が停止する運転が可能に構成している。この場合は、加湿能力あるいは除湿能力が請求項１の装置と比べて若干低下するが、装置自体を温水または冷水の一方しか流通しない構成にすると、冷水供給系統または温水供給系統が不要となり、構成を簡素化することが可能となる。
【００６２】
上記第９の発明によれば、冷温水回路(10)の吸着熱交換器(21,22) に加えて、さらに吸着冷却素子(40)を用いるようにしているので、装置の除加湿性能を高めることができる。また、このように高性能であるが、吸着熱交換器(21,22) を用いているので、装置の大型化も防止できる。
【００６３】
上記第１０の発明によれば、冷温水回路(10)の吸着熱交換器(21,22) に加えて、さらに冷媒回路(50)の吸着熱交換器(53,55) を用いるようにしているので、装置の除加湿性能を高めることができる。また、このように高性能であるが、吸着熱交換器(20,53,55)を用いているので、装置の大型化も防止できる。
【００６４】
上記第１１の発明によれば、冷温水回路(10)の吸着熱交換器(21,22) に加えて、さらに冷媒回路(60)の空気熱交換器(63,65) を用いるようにしているので、装置の冷暖房性能を高めることができる。また、このように高性能であるが、吸着熱交換器(21,22) を用いているので、装置の大型化も防止できる。
【００６５】
上記第１２の発明によれば、冷温水回路(10)の吸着熱交換器(21,22) に加えて、さらに補助熱交換器(70)を用いるようにしているので、装置の冷暖房性能及び／または除加湿性能を高めることができる。また、このように高性能であるが、吸着熱交換器(21,22) を用いているので、装置の大型化も防止できる。
【００６６】
上記第１３の発明によれば、冷温水回路(10)で第１吸着熱交換器(21)及び第２吸着熱交換器(22)の吸着材を冷却するために、冷凍機(90)で冷却した冷水を利用するようにしている。このため、容易かつ簡単な構成で吸着材を冷却することができ、この吸着材による水分の吸着効果を高めることができる。
【００６７】
上記第１４の発明によれば、冷温水回路(10)で第１吸着熱交換器(21)及び第２吸着熱交換器(22)の吸着材を冷却するために、冷凍機(90)で冷却した冷水を利用するようにしている。同時に、第１吸着熱交換器(21)及び第２吸着熱交換器(22)の吸着材を加熱再生するために、冷凍機(90)から放出される熱で加熱した温水を利用するようにしている。このため、容易かつ簡単な構成で吸着材を冷却できると同時に、冷凍機(90)の排熱を利用して吸着材の加熱再生を行うことができる。
【００６８】
上記第１５の発明によれば、冷温水回路(10)で第１吸着熱交換器(21)及び第２吸着熱交換器(22)の吸着材を加熱再生するために、冷凍機(90)又はボイラ(95)で加熱した温水を利用するようにしている。このため、容易かつ簡単な構成で確実に吸着材を加熱再生することができる。
【００６９】
上記第１６の発明によれば、冷温水回路(10)で第１吸着熱交換器(21)及び第２吸着熱交換器(22)の吸着材を冷却するために、蓄熱装置(101)で蓄熱した冷熱で冷却した冷水を利用するようにしている。このため、熱源容量の低減を図ることができ、さらには受電設備容量の低減、電気料金の低減を図ることができる。
【００７０】
上記第１７の発明によれば、冷温水回路(10)で第１吸着熱交換器(21)及び第２吸着熱交換器(22)の吸着材を加熱再生するために、蓄熱装置(102)で蓄熱した温熱で加熱した温水を利用するようにしている。このため、第１６の発明と同様、熱源容量の低減を図ることができ、さらには受電設備容量の低減、電気料金の低減を図ることができる。
【発明を実施するための最良の形態】
【００７１】
以下、本発明の実施形態を図面に基づいて詳細に説明する。
【００７２】
《発明の実施形態１》
図１及び図２に示すように、この実施形態１に係る調湿装置(1) は、冷温水が流通する冷温水回路(10)と、この冷温水回路(10)に設けられた吸着熱交換器(20)と、この吸着熱交換器(20)を通過した空気を室内または室外へ選択的に供給する空気通路(30)とを備えている。吸着熱交換器(20)は、第１吸着熱交換器(21)と第２吸着熱交換器(22)とから構成されている。各吸着熱交換器(20)は、表面に吸着剤を担持した熱交換器であり、吸着剤により水分を吸脱着することで空気の湿度を調整することができる。
【００７３】
上記冷温水回路(10)は、上記第１吸着熱交換器(21)及び第２吸着熱交換器(22)と、第１四路切換弁(11)及び第２四路切換弁(12)とを配管接続することにより構成されている。第１四路切換弁(11)及び第２四路切換弁(12)は、それぞれ、第１ポート(P1)と第２ポート(P2)が連通し、第３ポート(P3)と第４ポート(P4)が連通する第１状態（図１（Ａ），図２（Ａ）の実線参照）と、第１ポート(P1)と第３ポート(P3)が連通し、第２ポート(P2)と第４ポート(P4)が連通する第２状態（図１（Ｂ），図２（Ｂ）の実線参照）とに切り換えることができる。
【００７４】
第１四路切換弁(11)の第１ポート(P1)に温水流入管(13)が接続され、第１四路切換弁(11)の第２ポート(P2)と第２四路切換弁(12)の第３ポート(P3)に第１吸着熱交換器(21)の伝熱管と連通する第１流通管(14)が接続され、第２四路切換弁(12)の第４ポート(P4)に温水流出管(15)が接続されている。また、第２四路切換弁(12)の第１ポート(P1)に冷水流入管(16)が接続され、第２四路切換弁(12)の第２ポート(P2)と第１四路切換弁(11)の第３ポート(P3)に第２吸着熱交換器(22)の伝熱管と連通する第２流通管(17)が接続され、第１四路切換弁(11)の第４ポート(P4)に冷水流出管(18)が接続されている。
【００７５】
そして、上記冷温水回路(10)は、温水が第１吸着熱交換器(21)を通過するとともに冷水が第２吸着熱交換器(22)を通過する第１冷温水流通状態（図１（Ａ），図２（Ａ）の状態）と、温水が第２吸着熱交換器(22)を通過するとともに冷水が第１吸着熱交換器(21)を通過する第２冷温水流通状態（図１（Ｂ），図２（Ｂ）の状態）とを切り換え可能に構成されている。
【００７６】
上記吸着熱交換器(20)は、図示していないが、それぞれ、クロスフィン式のフィン・アンド・チューブ型熱交換器により構成されており、長方形の板状に形成された多数のフィンと、このフィンを貫通する伝熱管とを備えている。そして、上記吸着熱交換器(20)において、上記各フィン及び伝熱管の外表面には、吸着剤がディップ成形（浸漬成形）により担持されている。吸着剤としては、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などを用いることができる。
【００７７】
なお、上記吸着熱交換器(20)は、クロスフィン式のフィン・アンド・チューブ型熱交換器に限らず、他の形式の熱交換器、例えば、コルゲートフィン式の熱交換器等であってもよい。また、吸着熱交換器(20)の各フィン及び伝熱管の外表面に吸着剤を担持する方法は、ディップ成形に限らず、吸着剤としての性能を損なわない限りはどのような方法を用いてもよい。
【００７８】
上記空気通路(30)は、２つの空気通路(31,32) からなり、第１吸着熱交換器(21)を通過した空気を室内に供給するとともに第２吸着熱交換器(22)を通過した空気を室外に排出する第１空気流通状態（図１（Ａ），図２（Ｂ）の状態）と、第２吸着熱交換器(22)を通過した空気を室内に供給するとともに第１吸着熱交換器(21)を通過した空気を室外に排出する第２空気流通状態（図１（Ｂ），図２（Ａ）の状態）とを切り換え可能に構成されている。
【００７９】
この調湿装置(1) は、室内空気(RA)を処理して再度室内に供給する一方、室外空気(OA)を処理して再度室外に排出する循環扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室内空気(RA)を供給し、第１吸着熱交換器(21)及び第２吸着熱交換器(22)の他方を通過した後に室外へ排出する空気として該吸着熱交換器(22,21) に室外空気(OA)を供給するように構成されている。
【００８０】
また、この調湿装置(1) は、冷温水回路(10)の冷温水流通状態と空気通路(30)の空気流通状態とを切り換える時間間隔を室内の潜熱負荷に応じて設定する制御手段を備えている。この制御手段は、室内の潜熱負荷が大きくなるほど上記時間間隔の設定値を小さくするように構成されている。
【００８１】
−運転動作−
（加湿運転）
加湿運転時は、図１（Ａ）の第１運転と図１（Ｂ）の第２運転とを交互に行う。そして、第１運転時は第１四路切換弁(11)と第２四路切換弁(12)が第１状態に切り換わり、第２運転時は第１四路切換弁(11)と第２四路切換弁(12)が第２状態に切り換わる。
【００８２】
第１運転時は、冷温水回路(10)が第１冷温水流通状態になり、空気通路(30)が第１空気流通状態になる。この状態で、温水流入管(13)から冷温水回路(10)に供給された温水は、第１吸着熱交換器(21)を通って該第１吸着熱交換器(21)の吸着剤を加熱した後、温水流出管(15)から排出される。また、冷水流入管(16)から冷温水回路(10)に供給された冷水は、第２吸着熱交換器(22)を通って該第２吸着熱交換器(22)の吸着剤を冷却した後、冷水流出管(18)から排出される。
【００８３】
その際、第１吸着熱交換器(21)では、室内空気(RA)が該第１吸着熱交換器(21)を通過する際に吸着剤を再生することで加湿（潜熱処理）されてから徐々に加熱（顕熱処理）され、該室内空気(RA)は供給空気(SA)として室内に戻る。また、第２吸着熱交換器(22)では、室外空気(OA)が該第２吸着熱交換器(22)を通過することで吸着剤に水分が与えられ、該室外空気(OA)は排出空気(EA)として室外に放出される。
【００８４】
第２運転時は、冷温水回路(10)が第２冷温水流通状態になり、空気通路(30)が第２空気流通状態になる。この状態で、温水流入管(13)から冷温水回路(10)に供給された温水は、第２吸着熱交換器(22)を通って該第２吸着熱交換器(22)の吸着剤を加熱した後、温水流出管(15)から排出される。また、冷水流入管(16)から冷温水回路(10)に供給された冷水は、第１吸着熱交換器(21)を通って該第１吸着熱交換器(21)の吸着剤を冷却した後、冷水流出管(18)から排出される。
【００８５】
その際、第２吸着熱交換器(22)では、室内空気(RA)が該第２吸着熱交換器(22)を通過する際に吸着剤を再生することで加湿（潜熱処理）されてから徐々に加熱（顕熱処理）され、該室内空気(RA)は供給空気(SA)として室内に戻る。また、第１吸着熱交換器(21)では、室外空気(OA)が該第１吸着熱交換器(21)を通過することで吸着剤に水分が与えられ、該室外空気(OA)は排出空気(EA)として室外に放出される。
【００８６】
以上のようにして第１運転と第２運転を交互に繰り返すことにより、加湿運転を連続して行うことができる。このとき、第１運転と第２運転を切り換える時間間隔を調整することで、加湿量（潜熱処理量）を調整することができる。具体的には、上記の時間間隔を短く（切り換え頻度を多く）すると、加湿量を増やすことが可能となる。したがって、室内の潜熱負荷が大きいときは切り換え頻度を多くすることで加湿量を多くして、室内の快適性を高めることができる。また、逆に室内の潜熱負荷が小さいときは、切り換え頻度を少なくすることで加湿量を少なくして、省エネ性を高められる。
【００８７】
また、この運転時は、第１運転と第２運転を切り換えずに一方のみを行い、冷温水回路(10)における冷水の流通を停止して温水だけを流すようにしてもよい。このようにすると、吸着剤が飽和して空気と温水とが顕熱交換をするようになるので、暖房運転を行うことが可能となる。
【００８８】
（除湿運転）
除湿運転時は、図２（Ｂ）の第１運転と図２（Ａ）の第２運転とを交互に行う。そして、第１運転時は第１四路切換弁(11)と第２四路切換弁(12)が第２状態に切り換わり、第２運転時は第１四路切換弁(11)と第２四路切換弁(12)が第１状態に切り換わる。
【００８９】
第１運転時は、冷温水回路(10)が第２冷温水流通状態になり、空気通路(30)が第１空気流通状態になる。この状態で、温水流入管(13)から冷温水回路(10)に供給された温水は、第２吸着熱交換器(22)を通って該第２吸着熱交換器(22)の吸着剤を加熱した後、温水流出管(15)から排出される。また、冷水流入管(16)から冷温水回路(10)に供給された冷水は、第１吸着熱交換器(21)を通って該第１吸着熱交換器(21)の吸着剤を冷却した後、冷水流出管(18)から排出される。
【００９０】
その際、第１吸着熱交換器(21)では、室内空気(RA)が該第１吸着熱交換器(21)を通過する際に水分が吸着剤に吸着されることで減湿（潜熱処理）されてから徐々に冷却（顕熱処理）され、該室内空気(RA)は供給空気(SA)として室内に戻る。また、第２吸着熱交換器(22)では、室外空気(OA)が該第２吸着熱交換器(22)を通過する際に吸着剤が再生され、該室外空気(OA)は排出空気(EA)として室外に放出される。
【００９１】
第２運転時は、冷温水回路(10)が第１冷温水流通状態になり、空気通路(30)が第２空気流通状態になる。この状態で、温水流入管(13)から冷温水回路(10)に供給された温水は、第１吸着熱交換器(21)を通って該第１吸着熱交換器(21)の吸着剤を加熱した後、温水流出管(15)から排出される。また、冷水流入管(16)から冷温水回路(10)に供給された冷水は、第２吸着熱交換器(22)を通って該第２吸着熱交換器(22)の吸着剤を冷却した後、冷水流出管(18)から排出される。
【００９２】
その際、第２吸着熱交換器(22)では、室内空気(RA)が該第２吸着熱交換器(22)を通過する際に水分が吸着剤に吸着されることで減湿（潜熱処理）されてから徐々に冷却（顕熱処理）され、該室内空気(RA)は供給空気(SA)として室内に戻る。また、第１吸着熱交換器(21)では、室外空気(OA)が該第１吸着熱交換器(21)を通過する際に吸着剤が再生され、該室外空気(OA)は排出空気(EA)として室外に放出される。
【００９３】
以上のようにして第１運転と第２運転を交互に繰り返すことにより、除湿運転を連続して行うことができる。このとき、第１運転と第２運転を切り換える時間間隔を調整することで、除湿量（潜熱処理量）を調整することができる。具体的には、上記の時間間隔を短くすると、除湿量を増やすことが可能となる。したがって、室内の潜熱負荷が大きいときは切り換え頻度を多くすることで除湿量を多くして、室内の快適性を高めることができる。また、逆に室内の潜熱負荷が小さいときは、切り換え頻度を少なくすることで除湿量を少なくして、省エネ性を高められる。
【００９４】
また、この運転時は、第１運転と第２運転を切り換えずに一方のみを行い、冷温水回路(10)における温水の流通を停止して冷水だけを流すようにしてもよい。このようにすると、吸着剤が飽和して空気と温水とが顕熱交換をするようになるので、冷房運転を行うことが可能となる。
【００９５】
−実施形態１の効果−
この実施形態１によれば、表面に吸着剤を担持した吸着熱交換器(20)を用いて室内の加湿と除湿を行うようにしているので、吸着素子とヒートポンプ装置とを用いた従来の調湿装置(1) に比べて構成を簡素化し、装置を小型化できる。
【００９６】
また、この実施形態１では、室内の潜熱負荷が大きいときは第１運転と第２運転の切り換え頻度を多くし、逆に潜熱負荷が小さいときは第１運転と第２運転の切り換え頻度を少なくしている。このことにより、室内の快適性と省エネ性のバランスに優れた運転を行うことが可能となる。
【００９７】
また、この実施形態１によれば、２つの四路切換弁(11,12) を用いて冷温水回路(10)を構成しているので、図１７を用いて既に説明したように電磁弁などの開閉弁を用いる場合と比べて構成を簡素化することができるとともに、冷温水回路(10)に水が残らないため性能の低下も生じない。
【００９８】
《発明の実施形態２》
図３及び図４に示す実施形態２の調湿装置(1) は、空気通路(30)の構成が実施形態１と異なるようにした例である。
【００９９】
この実施形態２においても、冷温水回路(10)は、温水が第１吸着熱交換器(21)を通過するとともに冷水が第２吸着熱交換器(22)を通過する第１冷温水流通状態（図３（Ａ），図４（Ａ）の状態）と、温水が第２吸着熱交換器(22)を通過するとともに冷水が第１吸着熱交換器(21)を通過する第２冷温水流通状態（図３（Ｂ），図４（Ｂ）の状態）とを切り換え可能に構成されている。
【０１００】
上記空気通路(30)は、第１吸着熱交換器(21)を通過した空気を室内に供給するとともに第２吸着熱交換器(22)を通過した空気を室外に排出する第１空気流通状態（図３（Ａ），図４（Ｂ）の状態）と、第２吸着熱交換器(22)を通過した空気を室内に供給するとともに第１吸着熱交換器(21)を通過した空気を室外に排出する第２空気流通状態（図３（Ｂ），図４（Ａ）の状態）とを切り換え可能に構成されている。
【０１０１】
そして、この調湿装置(1) は、室外空気(OA)を処理して室内に供給する一方、室内空気(RA)を処理して室外に排出する換気扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室外空気(OA)を供給し、第１吸着熱交換器(21)及び第２吸着熱交換器(22)の他方を通過した後に室外へ排出する空気として該吸着熱交換器(22,21) に室内空気(RA)を供給するように構成されている。
【０１０２】
この実施形態２の調湿装置(1) は、その他の点は実施形態１と同様に構成されている。
【０１０３】
この実施形態２において、図３の加湿運転時は、室外空気(OA)は第１吸着熱交換器(21)（図３（Ａ））または第２吸着熱交換器(22)（図３（Ｂ））で加湿されて室内に供給され、室内空気(RA)は水分を第２吸着熱交換器(22)（図３（Ａ））または第１吸着熱交換器(21)（図３（Ｂ））に与えて室外に放出される。また、除湿運転時は、室外空気(OA)は第１吸着熱交換器(21)（図４（Ｂ））または第２吸着熱交換器(22)（図４（Ａ））で減湿されて室内に供給され、室内空気(RA)は第２吸着熱交換器(22)（図４（Ｂ））または第１吸着熱交換器(21)（図４（Ｂ））を再生して室外に放出される。
【０１０４】
この実施形態２においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１０５】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１０６】
《発明の実施形態３》
図５に示す実施形態３の調湿装置(1) は、実施形態２で冷温水回路(10)における冷温水の流通を停止できるようにした例である。
【０１０７】
この実施形態３において、空気通路(30)は、冷温水回路(10)が停止した状態で、第１吸着熱交換器(21)及び第２吸着熱交換器(22)の一方を通過した室外空気(OA)を室内へ供給し、第１吸着熱交換器(21)及び第２吸着熱交換器(22)の他方を通過した室内空気(RA)を室外へ排出するように構成されている。
【０１０８】
空気通路(30)をこのように構成したことにより、この実施形態３の調湿装置(1) では、加湿運転や減湿運転に加えて、外気冷房運転を行うことができる。この外気冷房運転は、室内空気(RA)よりも室外空気(OA)の方が低温である場合に、室外空気(OA)をそのまま室内へ供給することによって室内の冷房を行うために行われる。この場合、室外空気(OA)は第１吸着熱交換器(21)及び第２吸着熱交換器(22)の一方を通過してから室内に供給空気(SA)として供給され、室内空気(RA)は第１吸着熱交換器(21)及び第２吸着熱交換器(22)の他方を通過してから室外に排出空気(EA)として放出される。
【０１０９】
この実施形態３においても、吸着素子とヒートポンプ装置とを用いた従来の調湿装置(1) に比べて構成を簡素化し、装置を小型化できる。この場合は、図５（Ａ）の運転と図５（Ｂ）の運転はいずれかを選択すればよく、切り換えは不要である。
【０１１０】
《発明の実施形態４》
図６及び図７に示す実施形態４の調湿装置(1) は、空気通路(30)の構成が上記各実施形態と異なるようにした例である。
【０１１１】
この実施形態４においても、冷温水回路(10)は、温水が第１吸着熱交換器(21)を通過するとともに冷水が第２吸着熱交換器(22)を通過する第１冷温水流通状態（図６（Ａ），図７（Ａ）の状態）と、温水が第２吸着熱交換器(22)を通過するとともに冷水が第１吸着熱交換器(21)を通過する第２冷温水流通状態（図６（Ｂ），図７（Ｂ）の状態）とを切り換え可能に構成されている。
【０１１２】
上記空気通路(30)は、第１吸着熱交換器(21)を通過した空気を室内に供給するとともに第２吸着熱交換器(22)を通過した空気を室外に排出する第１空気流通状態（図６（Ａ），図７（Ｂ）の状態）と、第２吸着熱交換器(22)を通過した空気を室内に供給するとともに第１吸着熱交換器(21)を通過した空気を室外に排出する第２空気流通状態（図６（Ｂ），図７（Ａ）の状態）とを切り換え可能に構成されている。
【０１１３】
そして、この調湿装置(1) は、第２種換気を行うものであり、室外空気(OA)を処理して室内に供給する一方、室外空気(OA)を処理して再度室外に排出する給気扇型の調湿装置(1) として構成されている。このため、上記空気通路(30)は、第１吸着熱交換器(21)及び第２吸着熱交換器(22)の一方を通過した後に室内へ供給する空気として該吸着熱交換器(21,22) に室外空気(OA)を供給し、第１吸着熱交換器(21)及び第２吸着熱交換器(22)の他方を通過した後に室外へ排出する空気として該吸着熱交換器(21,22) に室外空気(OA)を供給するように構成されている。
【０１１４】
この実施形態４の調湿装置(1) は、その他の点は実施形態１と同様に構成されている。
【０１１５】
この実施形態４において、図６の加湿運転時は、室外空気(OA)は第１吸着熱交換器(21)（図６（Ａ））または第２吸着熱交換器(22)（図６（Ｂ））で加湿されて室内に供給され、室内空気(RA)は水分を第２吸着熱交換器(22)（図６（Ａ））または第１吸着熱交換器(21)（図６（Ｂ））に与えて室外に放出される。また、除湿運転時は、室内空気(RA)は第１吸着熱交換器(21)（図７（Ｂ））または第２吸着熱交換器(22)（図７（Ａ））で減湿されて室内に供給され、室内空気(RA)は第２吸着熱交換器(22)（図７（Ｂ））または第１吸着熱交換器(21)（図７（Ｂ））を再生して室外に放出される。
【０１１６】
この実施形態４においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１１７】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１１８】
さらに、この実施形態４で除湿運転を行う場合、夏期には吸着剤の再生を温度の高い外気で行うため、再生温度をかせぐことができ、省エネ化を図ることができる。
【０１１９】
《発明の実施形態５》
図８に示す実施形態５の調湿装置(1) は、実施形態２において冷水の流通を行わないようにした例である。
【０１２０】
この場合、冷水流入管(16)及び冷水流出管(18)は、冷却水系統に接続せず、端部を封止しておけばよい。
【０１２１】
この実施形態５において、空気通路(30)は、第１吸着熱交換器(21)及び第２吸着熱交換器(22)の一方を通過した室外空気(OA)を室内へ供給し、第１吸着熱交換器(21)及び第２吸着熱交換器(22)の他方を通過した室内空気(RA)を室外へ排出するように構成されている。
【０１２２】
この実施形態５の調湿装置(1) では、吸着側の吸着剤を冷却しないため、実施形態２と比べて吸着量が若干少なくなり、それに伴って加湿能力が若干低下するが、冷却水系統を設ける必要がないため、装置構成を簡素化することができる。
【０１２３】
また、この実施形態５においても、吸着素子とヒートポンプ装置とを用いた従来の調湿装置(1) に比べて構成を簡素化し、装置を小型化できる。また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１２４】
なお、図８の例では、実施形態２において、冷温水回路(10)を冷水が流通せず、温水だけが流通するようにしているが、逆に温水が流通せず、冷水だけが流通するようにしてもよい。また、実施形態１や実施形態４の装置において、冷温水回路(10)を冷水または温水の一方のみが流通し、他方の流通が停止するように構成してもよい。
【０１２５】
《発明の実施形態６》
図９及び図１０に示す実施形態６の調湿装置(1) は、実施形態２の装置に、さらに吸着冷却素子(40)を設けた例である。
【０１２６】
上記吸着冷却素子(40)は、第１吸着冷却素子(41)と第２吸着冷却素子(42)とから構成されている。各吸着冷却素子(40)は、空気中の水分を吸脱着可能な調湿通路(40a) と、該調湿通路(40a) における水分吸着時の吸着熱を冷却用空気で吸熱する冷却通路(40b) とを有している。
【０１２７】
空気通路(30)は、図９に示す加湿運転用空気通路と、図１０に示す除湿運転用空気通路とを設定可能に構成されている。
【０１２８】
加湿運転用空気通路は、第２吸着冷却素子(42)の冷却通路(40b) と第１吸着熱交換器(21)と第１吸着冷却素子(41)の調湿通路(40a) を通過した空気を室内に供給するとともに、第２吸着熱交換器(22)と第２吸着冷却素子(42)の調湿通路(40a) を通過した空気を室外に排出する第１空気流通状態（図９（Ａ）の状態）と、第１吸着冷却素子(41)の冷却通路(40b) と第２吸着熱交換器(22)と第２吸着冷却素子(42)の調湿通路(40a) を通過した空気を室内に供給するとともに、第１吸着熱交換器(21)と第１吸着冷却素子(41)の調湿通路(40a) を通過した空気を室外に排出する第２空気流通状態（図９（Ｂ）の状態）とを切り換え可能に構成されている。
【０１２９】
また、除湿運転用空気通路(30)は、第１吸着熱交換器(21)と第１吸着冷却素子(41)の調湿通路(40a) を通過した空気を室内に供給するとともに、第１吸着冷却素子(41)の冷却通路(40b) と第２吸着熱交換器(22)と第２吸着冷却素子(42)の調湿通路(40a) を通過した空気を室外に排出する第１空気流通状態（図１０（Ｂ）の状態）と、第２吸着熱交換器(22)と第２吸着冷却素子(42)の調湿通路(40a) を通過した空気を室内に供給するとともに、第２吸着冷却素子(42)の冷却通路(40b) と第１吸着熱交換器(21)と第１吸着冷却素子(41)の調湿通路(40a) を通過した空気を室外に排出する第２空気流通状態（図１０（Ａ）の状態）とを切り換え可能に構成されている。
【０１３０】
図９（Ａ）に示す加湿運転の第１運転時、冷温水回路(10)が第１冷温水流通状態となり、空気通路(30)が第１空気流通状態となる。この状態で、室外空気(OA)は、第２吸着冷却素子(42)の冷却通路(40b) を通過する際に、調湿通路(40a) を室内空気(RA)が通過することにより発生する吸着熱を吸熱して加熱され、その後に第１吸着熱交換器(21)と第１吸着冷却素子(41)の調湿通路(40a) を通ることで加湿されて供給空気(SA)として室内に供給される。このとき、室内空気(RA)は、第２吸着熱交換器(22)と第２吸着冷却素子(42)の調湿通路(40a) を通るときに吸着剤に水分を与えてから排出空気(EA)として室外に放出される。
【０１３１】
図９（Ｂ）に示す加湿運転の第２運転時、冷温水回路(10)が第２冷温水流通状態となり、空気通路(30)が第２空気流通状態となる。この状態で、室外空気(OA)は、第１吸着冷却素子(41)の冷却通路(40b) を通過する際に、調湿通路(40a) を室内空気(RA)が通過することにより発生する吸着熱を吸熱して加熱され、その後に第２吸着熱交換器(22)と第２吸着冷却素子(42)の調湿通路(40a) を通ることで加湿されて供給空気(SA)として室内に供給される。このとき、室内空気(RA)は、第１吸着熱交換器(21)と第１吸着冷却素子(41)の調湿通路(40a) を通るときに吸着剤に水分を与えてから排出空気(EA)として室外に放出される。
【０１３２】
図１０（Ｂ）に示す除湿運転の第１運転時、冷温水回路(10)が第２冷温水流通状態となり、空気通路(30)が第１空気流通状態となる。この状態で、室外空気(OA)は、第１吸着熱交換器(21)と第１吸着冷却素子(41)の調湿通路(40a) を通るときに減湿されて供給空気(SA)として室内に供給され、第１吸着冷却素子(41)では冷却通路(40b) を流れる室内空気(RA)により吸着熱が吸熱されることで供給空気(SA)の温度上昇が抑えられる。このとき、室内空気(RA)は、第１吸着冷却素子(41)の冷却通路(40b) を通過することで加熱された後、第２吸着熱交換器(22)と第２吸着冷却素子(42)の調湿通路(40a) を通り、吸着剤を再生して排出空気(EA)として室外に放出される。
【０１３３】
図１０（Ａ）に示す除湿運転の第２運転時、冷温水回路(10)が第１冷温水流通状態となり、空気通路(30)が第２空気流通状態となる。この状態で、室外空気(OA)は、第２吸着熱交換器(22)と第２吸着冷却素子(42)の調湿通路(40a) を通るときに減湿されて供給空気(SA)として室内に供給され、第２吸着冷却素子(42)では冷却通路(40b) を流れる室内空気(RA)により吸着熱が吸熱されることで供給空気(SA)の温度上昇が抑えられる。このとき、室内空気(RA)は、第２吸着冷却素子(42)の冷却通路(40b) を通過することで加熱された後、第１吸着熱交換器(21)と第１吸着冷却素子(41)の調湿通路(40a) を通り、吸着剤を再生して排出空気(EA)として室外に放出される。
【０１３４】
この実施形態６においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１３５】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１３６】
《発明の実施形態７》
図１１及び図１２に示す実施形態７の調湿装置(1) は、実施形態２の装置に、さらに冷媒回路(50)を設けた例である。
【０１３７】
上記冷媒回路(50)は、冷媒が循環して冷凍サイクルを行う閉回路であり、圧縮機(51)と第３四路切換弁(52)と第３吸着熱交換器(53)と膨張弁(54)と第４吸着熱交換器(55)とが順に接続されて構成されている。このように、この冷媒回路(50)の熱交換器は、表面に吸着剤を担持した吸着熱交換器により構成されている。
【０１３８】
上記冷媒回路(50)は、冷媒の循環方向が反転可能であり、第３吸着熱交換器(53)が凝縮器となり第４吸着熱交換器(55)が蒸発器となる第１冷媒流通状態（図１１（Ａ），図１２（Ａ）の状態）と、第４吸着熱交換器(55)が凝縮器となり第３吸着熱交換器(53)が蒸発器となる第２冷媒流通状態（図１１（Ｂ），図１２（Ｂ）の状態）とを切り換え可能に構成されている。
【０１３９】
また、空気通路(30)は、第３吸着熱交換器(53)及び第１吸着熱交換器(21)を通過した空気を室内に供給するとともに第４吸着熱交換器(55)及び第２吸着熱交換器(22)を通過した空気を室外に排出する第１空気流通状態（図１１（Ａ），図１２（Ｂ）の状態）と、第４吸着熱交換器(55)及び第２吸着熱交換器(22)を通過した空気を室内に供給するとともに第３吸着熱交換器(53)及び第１吸着熱交換器(21)を通過した空気を室外に排出する第２空気流通状態図１１（Ｂ），図１２（Ａ）の状態）とを切り換え可能に構成されている。
【０１４０】
図１１（Ａ）に示す加湿運転の第１運転時、冷温水回路(10)が第１冷温水流通状態、冷媒回路(50)が第１冷媒流通状態、空気通路(30)が第１空気流通状態となる。この状態で、室外空気(OA)は、第３吸着熱交換器(53)と第１吸着熱交換器(21)を通過する際に加湿されて供給空気(SA)として室内に供給される。このとき、室内空気(RA)は、第４吸着熱交換器(55)と第２吸着熱交換器(22)を通過するときに吸着剤に水分を与えてから排出空気(EA)として室外に放出される。
【０１４１】
図１１（Ｂ）に示す加湿運転の第２運転時、冷温水回路(10)が第２冷温水流通状態、冷媒回路(50)が第２冷媒流通状態、空気通路(30)が第２空気流通状態となる。この状態で、室外空気(OA)は、第４吸着熱交換器(55)と第２吸着熱交換器(22)を通過する際に加湿されて供給空気(SA)として室内に供給される。このとき、室内空気(RA)は、第３吸着熱交換器(53)と第１吸着熱交換器(21)を通過するときに吸着際に水分を与えてから排出空気(EA)として室外に放出される。
【０１４２】
図１２（Ｂ）に示す除湿運転の第１運転時、冷温水回路(10)が第２冷温水流通状態、冷媒回路(50)が第２冷媒流通状態、空気通路(30)が第１空気流通状態となる。この状態で、室外空気(OA)は、第３吸着熱交換器(53)と第１吸着熱交換器(21)を通過する際に減湿されて供給空気(SA)として室内に供給される。このとき、室内空気(RA)は、第４吸着熱交換器(55)と第２吸着熱交換器(22)を通過するときに吸着剤を再生してから排出空気(EA)として室外に放出される。
【０１４３】
図１２（Ａ）に示す除湿運転の第２運転時、冷温水回路(10)が第１冷温水流通状態、冷媒回路(50)が第１冷媒流通状態、空気通路(30)が第２空気流通状態となる。この状態で、室外空気(OA)は、第４吸着熱交換器(55)と第２吸着熱交換器(22)を通過する際に減湿されて供給空気(SA)として室内に供給される。このとき、室内空気(RA)は、第３吸着熱交換器(53)と第１吸着熱交換器(21)を通過するときに吸着剤を再生してから排出空気(EA)として室外に放出される。
【０１４４】
この実施形態７においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１４５】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１４６】
さらに、この調湿装置(1) では、冷温水回路(10)の吸着熱交換器(21,22) に加えて冷媒回路(50)の吸着熱交換器(53,55) を用いているので、除加湿性能が向上する。
【０１４７】
また、冷媒回路に設けた吸着熱交換器だけで除加湿を行う調湿装置を想定すると、この実施形態７では、冷媒回路(50)の冷媒循環量を少なくすることができるため、小型の圧縮機(51)を用いることで低騒音化を図ることも可能となる。
【０１４８】
なお、本実施形態７では、第１吸着熱交換器(21)と第３吸着熱交換器(53)のいずれを空気通路(30)の上流側に配置してもよいし、第２吸着熱交換器(22)と第４吸着熱交換器(54)のいずれを空気通路(30)の上流側に配置してもよい。
【０１４９】
《発明の実施形態８》
図１３及び図１４に示す実施形態８の調湿装置(1) は、実施形態２の装置に、さらに冷媒回路(60)を設けた別の例である。
【０１５０】
この冷媒回路(60)の熱交換器は、表面に吸着剤が担持されていない空気熱交換器により構成されている。具体的に、上記冷媒回路(60)は、冷媒が循環して冷凍サイクルを行う閉回路であり、圧縮機(61)と第３四路切換弁(62)と第１空気熱交換器(63)と膨張弁(64)と第２空気熱交換器(65)とが順に接続されて構成されている。このように、この冷媒回路(60)の熱交換器は、空気が冷媒との熱交換により顕熱変化をする第１空気熱交換器(63)及び第２空気熱交換器(65)により構成されている。
【０１５１】
上記冷媒回路(60)は、冷媒の循環方向が反転可能であり、第１空気熱交換器(63)が凝縮器となり第２空気熱交換器(65)が蒸発器となる第１冷媒流通状態（図１３（Ａ），図１４（Ａ）の状態）と、第２空気熱交換器(65)が凝縮器となり第１空気熱交換器(63)が蒸発器となる第２冷媒流通状態（図１３（Ｂ），図１４（Ｂ）の状態）とを切り換え可能に構成されている。
【０１５２】
また、空気通路(30)は、第１吸着熱交換器(21)及び第１空気熱交換器(63)を通過した空気を室内に供給するとともに第２吸着熱交換器(22)及び第２空気熱交換器(65)を通過した空気を室外に排出する第１空気流通状態（図１３（Ａ），図１４（Ｂ）の状態）と、第２吸着熱交換器(22)及び第２空気熱交換器(65)を通過した空気を室内に供給するとともに第１吸着熱交換器(21)及び第１空気熱交換器(63)を通過した空気を室外に排出する第２空気流通状態（図１３（Ｂ），図１４（Ａ）の状態とを切り換え可能に構成されている。
【０１５３】
図１３（Ａ）に示す加湿運転の第１運転時、冷温水回路(10)が第１冷温水流通状態、冷媒回路(60)が第１冷媒流通状態、空気通路(30)が第１空気流通状態となる。この状態で、室外空気(OA)は、第１吸着熱交換器(21)を通過する際に加湿された後、第１空気熱交換器(63)を通過する際に加熱されて供給空気(SA)として室内に供給される。このとき、室内空気(RA)は、第２吸着熱交換器(22)を通過する際に吸着剤に水分を与えた後、第２空気熱交換器(65)を通過するときに冷媒に放熱してから排出空気(EA)として室外に放出される。
【０１５４】
図１３（Ｂ）に示す加湿運転の第２運転時、冷温水回路(10)が第２冷温水流通状態、冷媒回路(60)が第２冷媒流通状態、空気通路(30)が第２空気流通状態となる。この状態で、室外空気(OA)は、第２吸着熱交換器(22)を通過する際に加湿された後、第２空気熱交換器(65)を通過する際に加熱されて供給空気(SA)として室内に供給される。このとき、室内空気(RA)は、第１吸着熱交換器(21)を通過する際に吸着剤に水分を与えた後、第１空気熱交換器(63)を通過するときに冷媒に放熱してから排出空気(EA)として室外に放出される。
【０１５５】
図１４（Ｂ）に示す除湿運転の第１運転時、冷温水回路(10)が第２冷温水流通状態、冷媒回路(60)が第２冷媒流通状態、空気通路(30)が第１空気流通状態となる。この状態で、室外空気(OA)は、第１吸着熱交換器(21)を通過する際に減湿された後、第１空気熱交換器(63)を通過する際に冷却されて供給空気(SA)として室内に供給される。このとき、室内空気(RA)は、第２吸着熱交換器(22)を通過する際に吸着剤を再生した後、第２空気熱交換器(65)を通過するときに冷媒を冷却してから排出空気(EA)として室外に放出される。
【０１５６】
図１４（Ａ）に示す除湿運転の第２運転時、冷温水回路(10)が第１冷温水流通状態、冷媒回路(60)が第１冷媒流通状態、空気通路(30)が第２空気流通状態となる。この状態で、室外空気(OA)は、第２吸着熱交換器(22)を通過する際に減湿された後、第２空気熱交換器(65)を通過する際に冷却されて供給空気(SA)として室内に供給される。このとき、室内空気(RA)は、第１吸着熱交換器(21)を通過する際に吸着剤を再生した後、第１空気熱交換器(63)を通過するときに冷媒を冷却してから排出空気(EA)として室外に放出される。
【０１５７】
この実施形態８においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１５８】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１５９】
《発明の実施形態９》
図１５及び図１６に示す実施形態９の調湿装置(1) は、実施形態２の装置に、さらに補助熱交換器(70)を設けた例である。
【０１６０】
上記補助熱交換器(70)は、第１の空気が流れる第１通路(71)と第２の空気が流れる第２通路(72)とを備えるとともに、該第１通路(71)を流れる空気と第２通路(72)を流れる空気とが全熱交換または顕熱交換を行うように構成されている。つまり、補助熱交換器(70)は、全熱交換器または顕熱交換器により構成されている。
【０１６１】
また、空気通路(30)は、補助熱交換器(70)の第１通路(71)と第１吸着熱交換器(21)を通過した空気を室内に供給するとともに補助熱交換器(70)の第２通路(72)と第２吸着熱交換器(22)を通過した空気を室外に排出する第１空気流通状態（図１５（Ａ），図１６（Ｂ）の状態）と、補助熱交換器(70)の第２通路(72)と第２吸着熱交換器(22)を通過した空気を室内に供給するとともに補助熱交換器(70)の第１通路(71)と第１吸着熱交換器(21)を通過した空気を室外に排出する第２空気流通状態（図１５（Ｂ），図１６（Ａ）の状態）とを切り換え可能に構成されている。
【０１６２】
図１５（Ａ）に示す加湿運転の第１運転時、冷温水回路(10)が第１冷温水流通状態、空気通路(30)が第１空気流通状態となる。この状態で、室外空気(OA)は、補助熱交換器(70)を流れる際に室内空気(RA)に加熱／加湿された後、第１吸着熱交換器(21)を通過する際に加湿されて供給空気(SA)として室内に供給される。このとき、室内空気(RA)は、補助熱交換器(70)を流れる際に室外空気(OA)を加熱／加湿した後、第２吸着熱交換器(22)を通過する際に吸着剤に水分を与えてから排出空気(EA)として室外に放出される。
【０１６３】
図１５（Ｂ）に示す加湿運転の第２運転時、冷温水回路(10)が第２冷温水流通状態、空気通路(30)が第２空気流通状態となる。この状態で、室外空気(OA)は、補助熱交換器(70)を流れる際に室内空気(RA)に加熱／加湿された後、第２吸着熱交換器(22)を通過する際に加湿されて供給空気(SA)として室内に供給される。このとき、室内空気(RA)は、補助熱交換器(70)を流れる際に室外空気(OA)を加熱／加湿した後、第１吸着熱交換器(21)を通過する際に吸着剤に水分を与えてから排出空気(EA)として室外に放出される。
【０１６４】
図１６（Ｂ）に示す除湿運転の第１運転時、冷温水回路(10)が第２冷温水流通状態、空気通路(30)が第１空気流通状態となる。この状態で、室外空気(OA)は、補助熱交換器(70)を流れる際に室内空気(RA)に冷却／減湿された後、第１吸着熱交換器(21)を通過する際に減湿されて供給空気(SA)として室内に供給される。このとき、室内空気(RA)は、補助熱交換器(70)を流れる際に室外空気(OA)を冷却／減湿した後、第２吸着熱交換器(21)を通過する際に吸着剤を再生してから排出空気(EA)として室外に放出される。
【０１６５】
図１６（Ａ）に示す除湿運転の第２運転時、冷温水回路(10)が第１冷温水流通状態、空気通路(30)が第２空気流通状態となる。この状態で、室外空気(OA)は、補助熱交換器(70)を流れる際に室内空気(RA)に冷却／減湿された後、第２吸着熱交換器(22)を通過する際に減湿されて供給空気(SA)として室内に供給される。このとき、室内空気(RA)は、補助熱交換器(70)を流れる際に室外空気(OA)を冷却／減湿した後、第１吸着熱交換器(22)を通過する際に吸着剤を再生してから排出空気(EA)として室外に放出される。
【０１６６】
この実施形態９においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１６７】
また、室内の潜熱負荷が大きいときは第１運転と第２運転の切り換え頻度を多くし、逆に潜熱負荷が小さいときは第１運転と第２運転の切り換え頻度を少なくすることにより、室内の快適性と省エネ性のバランスに優れた運転を行うことが可能となる。
【０１６８】
さらに、この調湿装置(1) では、除加湿性能及び／または冷暖房性能の向上を図ることが可能となる。
【０１６９】
《発明の実施形態１０》
図１８に示すように、実施形態１０の調湿装置(1)は、オフィスやホテルなどの複数の室内の顕熱と潜熱とを同時に処理する全潜熱処理型の外調システム(80)に適用されるものである。外調システム(80)は、夏季における除湿冷房運転と冬季における暖房加湿運転を切換可能に構成されている。この外調システムは、調湿装置(1)における冷温水回路(10)の冷温水熱源として、第１熱源回路(81)と第２熱源回路(82)とを備えている。
【０１７０】
第１熱源回路(81)は、第１接続管(83)及び第２接続管(84)を介して調湿装置(1)の冷温水回路(10)と接続すると同時に、後述の冷凍機(90)と接続することで水の循環経路を構成している。また、第１熱源回路(81)には、ボイラ(95)及び複数の空調機(96,96,…)がそれぞれ並列に接続されている。上記ボイラ(95)は、温水ボイラで構成されている。上記複数の空調機(96,96,…)は、２管式のファンコイルユニット型の空調機で構成され、各室内の壁面や天井面などにそれぞれ配置されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０１７１】
第２熱源回路(82)は、第３接続管(85)及び第４接続管(86)を介して調湿装置(1)の冷温水回路(10)と接続すると同時に、後述の冷凍機(90)と接続することで水の循環経路を構成している。また、第２熱源回路(82）には、冷却塔(97)が並列に接続されている。上記冷却塔(97)は、図示しないファンから送風される空気によって第２熱源回路(82)を流れる水を冷却可能に構成されている。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０１７２】
冷凍機(90)は、いわゆる水冷式のチラーユニットで構成されている。この冷凍機(90)は、冷媒が充填されて冷凍サイクルを行う冷媒回路(91)を備えている。冷媒回路(91)には、冷却器(92)、圧縮機(93)、凝縮器(94)、及び図示しない膨張弁が設けられている。
【０１７３】
冷却器(92)は、例えばシェルアンドチューブ式の熱交換器で構成されているが、これ以外にプレート熱交換器など如何なる熱交換器で構成されていてもよい。この冷却器(92)は、冷媒回路(91)を流れる冷媒と第１熱源回路(81)を流れる水とを熱交換可能に構成されている。凝縮器(94)は、一対のシェルアンドチューブ式の熱交換器で構成されているが、これに限らず如何なる熱交換器で構成されていてもよい。この凝縮器(94)は、冷媒回路(91)を流れる冷媒と第２熱源回路(82)を流れる水とを熱交換可能に構成されている。
【０１７４】
実施形態１０の調湿装置(1)は、上述した実施形態２の調湿装置(1)と同様、換気扇型の調湿装置(1)として構成されているが、処理した室外空気(OA)を各室内に供給する一方、各室内の室内空気(RA)を処理して室外に排出する点で実施形態２の調湿装置(1)と異なっている。
【０１７５】
−運転動作−
以下に、実施形態１０の調湿装置(1)が適用される外調システム(80)の冷房除湿運転及び暖房加湿運転について説明する。
【０１７６】
（冷房除湿運転）
冷房除湿運転時には、冷凍機(90)が運転状態となる一方、ボイラ(95)が停止状態となる。また、図示しないポンプが運転されるとともに図示しない開閉弁が切り換えられ、第１，第２熱源回路(81,82)の水の流れが図１９に示すように変更される。このため、第１熱源回路(81)は、冷凍機(90)の冷却器(92)で冷却された冷水を冷温水回路(10)へ供給する冷熱源となる。一方、第２熱源回路(82)は、冷凍機(90)の凝縮器(94)から放出される熱で加熱された温水を冷温水回路(10)へ供給する温熱源となる。
【０１７７】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０１７８】
一方、第２熱源回路(82)を流れる水が凝縮器(94)へ流入すると、この水は冷媒回路(91)の冷媒と熱交換する。その結果、第２熱源回路(92)へ流れる水は、冷媒の凝縮熱が付与されて加熱される。凝縮器(94)で加熱された水（温水）は、一部が冷却塔(97)に送られる。冷却塔(97)では、温水から空気への排熱が行われる。一方、凝縮器(94)で加熱された温水の残りは、第３接続管(85)を介して冷温水回路(10)へ供給される。
【０１７９】
冷温水回路(10)では、上述した実施形態２と同様に、図４（Ｂ）の第１運転と図４（Ａ）の第２運転とが交互に行われる。具体的に、第１運転時には、第１熱源回路(81)から冷温水回路(10)に供給された冷水が第１吸着熱交換器(21)を通過し、この第１吸着熱交換器(21)の吸着材を冷却する。その後、冷水は第１熱源回路(81)の第２接続管(84)に返送される。また、第２熱源回路(82)から冷温水回路(10)に供給された温水は、第２吸着熱交換器(22)を通過し、この第２吸着熱交換器(22)の吸着材を加熱する。その後、温水は第２熱源回路(82)の第４接続管(86)に返送される。
【０１８０】
その際、第１吸着熱交換器(21)では、室外空気(OA)が減湿及び冷却される。減湿及び冷却された空気は、各室内へ供給空気(SA)として供給される。一方、第２吸着熱交換器(22)では、各室内からの室内空気(RA)が第２吸着熱交換器(22)の吸着材を加熱再生する。第２吸着熱交換器(22)の吸着材の加熱再生に利用された空気は、排出空気(EA)として室外に放出される。
【０１８１】
一方、第２運転時には、第１熱源回路(81)から冷温水回路(10)に供給された冷水が第２吸着熱交換器(22)を通過し、この第２吸着熱交換器(22)の吸着材を冷却する。その後、冷水は第１熱源回路(81)の第２接続管(84)に返送される。また、第２熱源回路(82)から冷温水回路(10)に供給された温水は、第１吸着熱交換器(21)を通過し、この第１吸着熱交換器(21)の吸着材を加熱する。その後、温水は第２熱源回路(82)の第４接続管(86)に返送される。
【０１８２】
その際、第２吸着熱交換器(22)では、室外空気(OA)が減湿及び冷却される。減湿及び冷却された空気は、各室内へ供給空気(SA)として供給される。一方、第１吸着熱交換器(21)では、各室内からの室内空気(RA)が第１吸着熱交換器(21)の吸着材を加熱再生する。第１吸着熱交換器(21)の吸着材の加熱再生に利用された空気は、排出空気(EA)として室外に放出される。
【０１８３】
（暖房加湿運転）
暖房加湿運転時には、冷凍機(90)が停止状態となる一方、ボイラ(95)が運転状態となる。また、図示しないポンプが運転されるとともに図示しない開閉弁が切り換えられ、第１，第２熱源回路(81,82)の水の流れが図２０に示すように変更される。このため、第１熱源回路(81)は、ボイラ(95)で加熱された温水を冷温水回路(10)へ供給する温熱源となる。一方、第２熱源回路(82)は、冷却塔(97)で冷却された冷水を冷温水回路(10)へ供給する冷熱源となる。
【０１８４】
具体的に、第１熱源回路(81)を流れる水がボイラ(95)へ流入すると、この水はボイラ(95)によって加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第１接続管(83)を介して冷温水回路(10)へ送られる。
【０１８５】
一方、第２熱源回路(82)を流れる水が冷却塔(97)へ流入すると、この水は冷却塔(97)の送風空気で冷却される。冷却塔(97)で冷却された空気は、第４接続管(86)を介して冷温水回路(10)へ供給される。
【０１８６】
冷温水回路(10)では、上述した実施形態２と同様に、図３（Ｂ）の第１運転と図３（Ａ）の第２運転とが交互に行われる。具体的に、第１運転時には、第１熱源回路(81)から冷温水回路(10)に供給された温水が第１吸着熱交換器(21)を通過し、この第１吸着熱交換器(21)の吸着材を加熱する。その後、温水は第１熱源回路(81)の第２接続管(84)に返送される。また、第２熱源回路(82)から冷温水回路(10)に供給された冷水は、第２吸着熱交換器(22)を通過し、この第２吸着熱交換器(22)の吸着材を冷却する。その後、冷水は第２熱源回路(82)の第３接続管(85)に返送される。
【０１８７】
その際、第１吸着熱交換器(21)では、室外空気(OA)が加湿及び加熱される。加湿及び加熱された空気は、各室内へ供給空気(SA)として供給される。一方、第２吸着熱交換器(22)では、各室内からの室内空気(RA)が第２吸着熱交換器(22)の吸着材へ水分を付与する。第２吸着熱交換器(22)の吸着材に水分を付与した空気は、排出空気(EA)として室外に放出される。
【０１８８】
一方、第２運転時には、第１熱源回路(81)から冷温水回路(10)に供給された温水が第２吸着熱交換器(22)を通過し、この第２吸着熱交換器(22)の吸着材を加熱する。その後、温水は第１熱源回路(81)の第２接続管(84)に返送される。また、第２熱源回路(82)から冷温水回路(10)に供給された冷水は、第１吸着熱交換器(21)を通過し、この第１吸着熱交換器(21)の吸着材を冷却する。その後、冷水は第２熱源回路(82)の第３接続管(85)に返送される。
【０１８９】
その際、第２吸着熱交換器(22)では、室外空気(OA)が加湿及び加熱される。加湿及び加熱された空気は、各室内へ供給空気(SA)として供給される。一方、第１吸着熱交換器(21)では、各室内からの室内空気(RA)が第１吸着熱交換器(21)の吸着材へ水分を付与する。第２吸着熱交換器(22)の吸着材に水分を付与した空気は、排出空気(EA)として室外に放出される。
【０１９０】
この実施形態１０においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０１９１】
また、この実施形態１０では、夏季の冷房除湿運転時において、冷凍機(90)の冷却器(92)で冷却した冷水を冷温水回路(10)へ供給するようにしている。このため、容易かつ簡単な構成によって、調湿装置(1)の吸着材を冷却し、供給空気(SA)の除湿と冷却とを同時に行うことができる。また、冷却器(92)で冷却した冷水を空調機(96,96,…)による室内の冷房に利用することができる。
【０１９２】
また、冷房除湿運転時において、冷凍機(90)の凝縮器(94)から放出される熱で加熱した温水を冷温水回路(10)へ供給するようにしている。したがって、冷凍機(90)の排熱を利用して調湿装置(1)の吸着材を加熱再生することができ、この外調システム(80)によってエネルギー効率の高い冷房除湿運転を行うことができる。
【０１９３】
一方、暖房加湿運転時においては、ボイラ(95)で加熱した温水を冷温水回路(10)へ供給するようにしている。このため、容易かつ簡単な構成によって、調湿装置(1)の吸着材を確実に加熱再生することができる。また、ボイラ(95)で加熱した温水を空調機(96,96,…)による室内の暖房に利用することができる。
【０１９４】
また、暖房加湿運転時においては、冷却塔(97)で冷却した冷水を冷温水回路(10)へ供給することで調湿装置(1)の吸着材を容易に冷却することができる。
【０１９５】
なお、この暖房加湿運転時においては、上記冷却塔(97)を運転しないようにしてもよい。この場合には、調湿装置(1)へは温水のみが供給されることとなり、上述した実施形態５と同様、図８（Ｂ)の第１運転と図８（Ａ）の第２運転とが行われる。つまり、この場合には、冷却されていない状態の第１吸着熱交換器(21)及び第２吸着熱交換器(22)の吸着材に室内空気(RA)の水分が自然吸着される一方、温水で加熱されることによって第１吸着熱交換器(21)及び第２吸着熱交換器(22)から脱離した水分が供給空気(SA)に付与されて室内に供給される。
【０１９６】
一方、上述した冷房除湿運転時においては、冷凍機(90)で冷却した冷水のみを冷温水回路(10)へ供給し、温水を供給しないようにすることもできる。この場合には、冷却された状態の第１，第２吸着熱交換器(21,22)に室内空気(RA)の水分が吸着される一方、第１，第２吸着熱交換器(21,22)の再生は室外空気(OA)の熱で行われ、脱離した水分が供給空気(SA)に付与されて室内に供給される。
【０１９７】
なお、本実施形態で述べた外調システム(80)に他の実施形態の調湿装置(1)を適用してもよいのは無論のことである。
【０１９８】
《発明の実施形態１１》
図２１に示すように、実施形態１１の調湿装置(1)は、上述の実施形態１０と異なる外調システム(80)に適用されるものである。外調システム(80)は、調湿装置(1)における冷温水回路(10)の冷温水熱源として、第１熱源回路(81)、第２熱源回路(82)、及び冷却塔回路(87)を備えている。
【０１９９】
第１熱源回路(81)は、実施形態１０と同様、第１接続管(83)及び第２接続管(84)を介して調湿装置(1)の冷温水回路(10)と接続すると同時に、冷凍機(90)と接続することで水の循環経路を構成している。第１熱源回路(81)には、実施形態１０と同様、ボイラ(95)及び複数の空調機(96,96,…)がそれぞれ並列に接続されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０２００】
第２熱源回路(82)は、第３接続管(85)及び第４接続管(86)を介して調湿装置(1)の冷温水回路(10)と接続すると同時に、上記ボイラ(95)と接続することで水の循環経路を構成している。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０２０１】
上記冷却塔回路(87)は、実施形態１０と同様の冷却塔(97)を介して冷凍機(90)と接続して水の循環経路を構成している。
【０２０２】
冷凍機(90)は、実施形態１０と同様、水冷式のチラーユニットで構成されている。冷凍機(90)の冷却器(92)は、冷媒回路(91)を流れる冷媒と第１熱源回路(81)を流れる水とを熱交換可能に構成されている。一方、冷凍機(90)の凝縮器(94)は、冷媒回路(91)を流れる冷媒と冷却塔回路(87)を流れる水とを熱交換可能に構成されている。
【０２０３】
調湿装置(1)は、実施形態１０の調湿装置と同様、処理した室外空気(OA)を各室内に供給する一方、各室内の室内空気(RA)を処理して室外に排出する換気扇型の調湿装置で構成されている。
【０２０４】
−運転動作−
以下に、実施形態１１の調湿装置(1)が適用される外調システム(80)の冷房除湿運転及び暖房加湿運転について説明する。
【０２０５】
（冷房除湿運転）
冷房除湿運転時には、冷凍機(90)及びボイラ(95)が運転状態となる。また、図示しないポンプが運転されるとともに図示しない開閉弁が切り換えられ、第１，第２熱源回路(81,82)の水の流れが図２２に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２０６】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０２０７】
一方、第２熱源回路(82)を流れる水がボイラ(95)へ流入すると、この水はボイラ(95)で加熱される。ボイラ(95)で加熱された水（温水）は、第３接続管(85)を介して冷温水回路(10)へ供給される。
【０２０８】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２０９】
冷温水回路(10)では、上述した実施形態２と同様に、図４（Ｂ）の第１運転と図４（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２１０】
この際、室外空気(OA)は、第１吸着熱交換器(21)又は第２吸着熱交換器(22)で減湿及び冷却された後、各室内へ供給空気(SA)として供給される。一方、各室内からの室内空気(RA)は第１吸着熱交換器(21)又は第２吸着熱交換器(22)の吸着材の加熱再生に利用され、排出空気(EA)として室外に放出される。
【０２１１】
（暖房加湿運転）
暖房加湿運転時には、冷凍機(90)が停止状態となる一方、ボイラ(95)が運転状態となる。また、図示しないポンプが運転されるとともに図示しない開閉弁が切り換えられ、第１，第２熱源回路(81,82)の水の流れが図２３に示すように変更される。このため、第１熱源回路(81)は、ボイラ(95)で加熱された温水を冷温水回路(10)へ供給する温熱源となる。
【０２１２】
具体的に、第１熱源回路(81)を流れる水がボイラ(95)へ流入すると、この水はボイラ(95)によって加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第１接続管(83)を介して冷温水回路(10)へ送られる。
【０２１３】
一方、第２熱源回路(82)及び冷却塔回路(87)では、水の循環が行われず、したがって、冷温水回路(10)への冷水の供給が行われない。
【０２１４】
具体的に、冷温水回路(10)では、上述した実施形態５と同様、図８（Ｂ)の第１運転と図８（Ａ）の第２運転とが行われる。つまり、冷温水回路(10)では、第１吸着熱交換器(21)及び第２吸着熱交換器(22)の吸着材の冷却が行われず、各室内からの室内空気(RA)は、吸着材に水分を自然吸着させた後、排出空気(EA)として室外に放出される。
【０２１５】
一方、冷温水回路(10)に供給された温水は、第１吸着熱交換器(21)又は第２吸着熱交換器(22)の吸着材を加熱した後、第４接続管(86)を介して第２熱源回路(82)に返送される。したがって、室外空気(OA)は、第１吸着熱交換器(21)又は第２吸着熱交換器(22)で加湿及び加熱された後、各室内へ供給空気(SA)として供給される。
【０２１６】
この実施形態１１においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０２１７】
また、この実施形態１１では、冬季の暖房加湿運転時において、冷温水回路(10)への冷水の供給を停止させ、室内空気(RA)の水分を吸着材へ自然吸着させるようにしている。したがって、比較的単純な運転によって室内の暖房加湿を行うことができる。
【０２１８】
なお、本実施形態で述べた外調システム(80)に他の実施形態の調湿装置(1)を適用してもよいのは無論のことである。
【０２１９】
《発明の実施形態１２》
図２４に示すように、実施形態１２の調湿装置(1)は、上述の実施形態１０及び１１と異なる外調システム(80)に適用されるものである。この外調システム(80)は、調湿装置(1)における冷温水回路(10)の冷温水熱源として、第１熱源回路(81)、第２熱源回路(82)、及び冷却塔回路(87)を備えている。
【０２２０】
第１熱源回路(81)は、実施形態１０と同様、第１接続管(83)及び第２接続管(84)を介して調湿装置(1)の冷温水回路(10)と接続すると同時に、冷凍機(90)と接続することで水の循環経路を構成している。第１熱源回路(81)には、複数の空調機(96,96,…)がそれぞれ並列に接続されている。上記複数の空調機(96,96,…)は、上述の実施形態１０及び１１と異なり、４管式のファンコイルユニット型の空調機で構成されている。したがって、第１熱源回路(81)は、各空調機(96,96,…)の４本の配管のうちの２本の配管に接続されている。さらに、第１熱源回路(81)には、第１熱源回路(81)の水を圧送するポンプと、この第１熱源回路(81)を流れる水の流路を変更する開閉弁とが設けられている（上記ポンプ及び開閉弁の図示は省略する）。
【０２２１】
第２熱源回路(82)は、第３接続管(85)及び第４接続管(86)を介して調湿装置(1)の冷温水回路(10)と接続すると同時に、上記ボイラ(95)と接続することで水の循環経路を構成している。第２熱源回路(82)には、複数の空調機(96,96,…)の４本の配管のうち残りの２本の配管がそれぞれ並列に接続されている。さらに、第２熱源回路(82)には、第２熱源回路(82)の水を圧送するポンプと、この第２熱源回路(82)を流れる水の流路を変更する開閉弁とが設けられている（上記ポンプ及び開閉弁の図示は省略する）。
【０２２２】
上記冷却塔回路(87)は、実施形態１１と同様、冷却塔(97)を介して冷凍機(90)と接続して水の循環経路を構成している。また、冷凍機(90)は、実施形態１１と同様の水冷式のチラーユニットで構成されている。
【０２２３】
調湿装置(1)は、実施形態１０及び１１の調湿装置と同様、処理した室外空気(OA)を各室内に供給する一方、各室内の室内空気(RA)を処理して室外に排出する換気扇型の調湿装置で構成されている。
【０２２４】
−運転動作−
以下に、実施形態１２の調湿装置(1)が適用される外調システム(80)の冷房除湿運転及び暖房加湿運転について説明する。
【０２２５】
（冷房除湿運転）
冷房除湿運転時には、冷凍機(90)及びボイラ(95)が運転状態となる。また、図示しないポンプが運転されるとともに図示しない開閉弁が切り換えられ、第１，第２熱源回路(82)の水の流れが図２５に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２２６】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、一部が各空調機(96,96,…)に送られる。各空調機(96,96,…)では、冷水で冷却された空気が各室内に送風され、各室内が冷房される。冷却器(92)で冷却された冷水の残りは、第１接続管(83)を介して冷温水回路(10)へ供給される。
【０２２７】
一方、第２熱源回路(82)を流れる水がボイラ(95)へ流入すると、この水はボイラ(95)で加熱される。ボイラ(95)で加熱された水（温水）は、第３接続管(85)を介して冷温水回路(10)へ供給される。
【０２２８】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２２９】
冷温水回路(10)では、上述した実施形態２と同様に、図４（Ｂ）の第１運転と図４（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２３０】
この際、室外空気(OA)は、第１吸着熱交換器(21)又は第２吸着熱交換器(22)で減湿及び冷却された後、各室内へ供給空気(SA)として供給される。一方、各室内からの室内空気(RA)は第１吸着熱交換器(21)又は第２吸着熱交換器(22)の吸着材の加熱再生に利用され、排出空気(EA)として室外に放出される。
【０２３１】
（暖房加湿運転）
暖房加湿運転時には、冷凍機(90)及びボイラ(95)が運転状態となる。また、図示しないポンプが運転されるとともに図示しない開閉弁が切り換えられ、第１，第２熱源回路(82)の水の流れが図２６に示すように変更される。このため、第１熱源回路(81)は、冷凍機(90)の冷却器(92)で冷却された冷水を冷温水回路(10)へ供給する冷熱源となる。一方、第２熱源回路(82)は、ボイラ(95)で加熱された温水を冷温水回路(10)へ供給する温熱源となる。
【０２３２】
具体的に、第１熱源回路(81)を流れる水が冷却器(92)へ流入すると、この水は冷媒回路(91)の冷媒と熱交換する。その結果、第１熱源回路(81)を流れる水は、冷媒の蒸発熱が奪われて冷却される。冷却器(92)で冷却された水（冷水）は、第１接続管(83)を介して冷温水回路(10)へ供給される。
【０２３３】
一方、第２熱源回路(82)を流れる水がボイラ(95)へ流入すると、この水はボイラ(95)で加熱される。ボイラ(95)で加熱された水（温水）は、一部が各空調機(96,96,…)に送られる。各空調機(96,96,…)では、温水で加熱された空気が各室内に送風され、各室内が暖房される。ボイラ(95)で加熱された温水の残りは、第３接続管(85)を介して冷温水回路(10)へ送られる。
【０２３４】
さらに、冷却塔回路(87)を循環する水は、冷凍機(90)の凝縮器(94)から放出される熱を奪って冷却塔(97)に流入する。冷却塔(97)では、循環水から空気中への放熱が行われる。
【０２３５】
冷温水回路(10)では、上述した実施形態２と同様に、図３（Ｂ）の第１運転と図３（Ａ）の第２運転とが交互に行われる。すなわち、冷温水回路(10)へ供給された冷水は、第１吸着熱交換器(21)又は第２吸着熱交換器(22)の吸着材を冷却した後、第２接続管(84)を介して第１熱源回路(81)に返送される。一方、冷温水回路(10)へ供給された温水は、第１吸着熱交換器(21)又は第２吸着熱交換器(22)の吸着材を加熱した後、第４接続管(86)を介して第２熱源回路(82)に返送される。
【０２３６】
この際、室外空気(OA)は、第１吸着熱交換器(21)又は第２吸着熱交換器(22)で加湿及び加熱された後、各室内へ供給空気(SA)として供給される。一方、各室内からの室内空気(RA)は第１吸着熱交換器(21)又は第２吸着熱交換器(22)の吸着材に水分を付与し、排出空気(EA)として室外に放出される。
【０２３７】
この実施形態１２においても、冷温水回路(10)の吸着熱交換器(20)を用いて室内空気(RA)の加湿と除湿を行うようにしているので、吸着素子とヒートポンプ装置とを用いた従来の調湿装置(1) に比べて構成を簡素化し、装置を小型化できる。
【０２３８】
また、この実施形態１２では、４管式のファンコイルユニット型の空調機(96,96,…)を用いるようにしていため、比較的単純な動作によって冷房除湿運転と暖房加湿運転との切換を行うことができる。
【０２３９】
なお、本実施形態で述べた外調システム(80)に他の実施形態の調湿装置(1)を適用してもよいのは無論のことである。
【０２４０】
《その他の実施形態》
本発明は、上記実施形態について、以下のような構成としてもよい。
【０２４１】
例えば、上記各実施形態の調湿装置(1) は、除加湿可能に構成しなくてもよく、少なくとも加湿運転が可能であればよい。このため、空気通路(30)は、冷温水回路(10)の温水流通時に吸着熱交換器(20)を通過した空気を室内に供給するようになっていればよい。
【０２４２】
また、上述した実施形態の冷温水回路(10)では、四路切換弁(11,12)で冷温水の流れを切り換えるようにしている。しかしながら、例えば図２７及び図２８に示すように、四路切換弁(11,12)に代わって三方弁(105)や二方弁(開閉弁)(106,107)で冷温水の流れを切り換えるようにしてもよい。
【０２４３】
具体的に図２７に示す例では、実施形態２と類似の冷温水回路(10)において、四路切換弁(11,12)に代わって４つの三方弁(105)が設けられている。これら三方弁(105)は、図２７（Ａ）に示す状態と、図２７（Ｂ)に示す状態とに切換可能となっている。そして、三方弁(105)が図２７（Ａ）に示す状態となると、実施形態２と同様の第１運転が行われ、図２７（Ｂ）に示す状態となると、実施形態２と同様の第２運転が行われる。なお、図２７の例は、調湿装置(1)の加湿運転を例示したものであるが、このような三方弁(105)の切換と空気の流れの切換により実施形態２と同様の除湿運転、あるいは他の実施形態の加湿運転や除湿運転を行うこともできる。
【０２４４】
また、図２８に示す例では、実施形態２と類似の冷温水回路(10)において、四路切換弁(11,12)に代わって８つの二方弁(106,107)が設けられている。これら二方弁(106,107)は、図２８（Ａ）に示す状態と図２８（Ｂ)に示す状態とに開閉切換可能となっている。つまり、各二方弁(106)が開の状態（図２８（Ａ）の白塗りで示す状態）になると同時に、各二方弁(107)が閉の状態（同図の黒塗りで示す状態）になると、実施形態２と同様の第１運転が行われる。また、図２８（Ｂ）に示すように、各二方弁(106)が閉の状態になると同時に、各二方弁(107)が開の状態になると、実施形態２と同様の第２運転が行われる。なお、図２８の例は、調湿装置(1)の加湿運転を例示したものであるが、このような二方弁(106,107)の切換と空気の流れの切換により実施形態２と同様の除湿運転を行うこともできるし、他の実施形態の加湿運転や除湿運転を行うこともできる。
【０２４５】
これら三方弁(105)や二方弁(106,107)は、例えば四路切換弁(11,12)と比較すると冷温水に対する耐圧に優れている。したがって、この調湿装置の信頼性を確保できる。
【０２４６】
さらに、上記実施形態１０から実施形態１２では、冷温水回路(10)へ冷水や温水を供給するために冷凍機(90)やボイラ(95)を利用している。しかしながら、これに代わって冷温水同時取出型のヒートポンプチラーを利用することもできる。この場合、冷水側の熱交換器で冷却した冷水と温水側の熱交換器で加熱した温水との両方、あるいはいずれか一方を冷温水回路(10)へ供給することができる。この種のヒートポンプチラーでは、冷水と温水とを一つの熱源システムで賄うことができるとともに、外調システム(80)の空調負荷に応じた運転を行うことができる。
【０２４７】
さらに、冷温水回路(10)へ供給する冷水や温水を蓄熱装置(101,102)で得ることもできる。例えば図２９に示す例は、上記実施形態１２の外調システム(80)において、冷凍機(90)及びボイラ(95)に代わって蓄熱装置(101,102)を設けたものである。蓄熱装置(101)は、夜間において蓄熱槽に冷熱を貯めておき、昼間にこの冷熱で第１熱源回路(81)の水を冷却して冷水とする冷却用の蓄熱装置である。この蓄熱装置(101)は、顕熱式の蓄熱装置、あるいはスタティック型、ダイナミック型などの潜熱式の蓄熱装置等で構成される。また、蓄熱装置(102)は、夜間において蓄熱槽に温熱を貯めておき、昼間にこの温熱で第２熱源回路(82)の水を加熱して温水とするものである。この蓄熱装置(102)は、顕熱式の蓄熱装置等で構成される。このように、冷温水回路(10)への冷水や温水の熱源として蓄熱装置(101,102)を利用すると、熱源容量の低減を図ることができ、さらには受電設備容量の低減、電気料金の低減を図ることができる。なお、これらの蓄熱装置(101,102)を図２９の例に限らず他の実施形態に利用してもよい。
【０２４８】
以上の実施形態は、本質的に好ましい例示であって、本発明、その適用物、あるいはその用途の範囲を制限することを意図するものではない。
【産業上の利用可能性】
【０２４９】
以上説明したように、本発明は、少なくとも加湿運転が可能に構成された調湿装置(1) について有用である。
【図面の簡単な説明】
【０２５０】
【図１】実施形態１に係る調湿装置の加湿運転状態を示す回路図である。
【図２】実施形態１に係る調湿装置の除湿運転状態を示す回路図である。
【図３】実施形態２に係る調湿装置の加湿運転状態を示す回路図である。
【図４】実施形態２に係る調湿装置の除湿運転状態を示す回路図である。
【図５】実施形態３に係る調湿装置の外気冷房状態を示す回路図である。
【図６】実施形態４に係る調湿装置の加湿運転状態を示す回路図である。
【図７】実施形態４に係る調湿装置の除湿運転状態を示す回路図である。
【図８】実施形態５に係る調湿装置の加湿運転状態を示す回路図である。
【図９】実施形態６に係る調湿装置の加湿運転状態を示す回路図である。
【図１０】実施形態６に係る調湿装置の除湿運転状態を示す回路図である。
【図１１】実施形態７に係る調湿装置の加湿運転状態を示す回路図である。
【図１２】実施形態７に係る調湿装置の除湿運転状態を示す回路図である。
【図１３】実施形態８に係る調湿装置の加湿運転状態を示す回路図である。
【図１４】実施形態８に係る調湿装置の除湿運転状態を示す回路図である。
【図１５】実施形態９に係る調湿装置の加湿運転状態を示す回路図である。
【図１６】実施形態９に係る調湿装置の除湿運転状態を示す回路図である。
【図１７】冷温水回路に４つの電磁弁を用いた場合の構成を示す図である。
【図１８】実施形態１０に係る調湿装置が適用される外調システムの回路図である。
【図１９】実施形態１０に係る調湿装置が適用される外調システムの冷房除湿運転状態を示す回路図である。
【図２０】実施形態１０に係る調湿装置が適用される外調システムの暖房加湿運転状態を示す回路図である。
【図２１】実施形態１１に係る調湿装置が適用される外調システムの回路図である。
【図２２】実施形態１１に係る調湿装置が適用される外調システムの冷房除湿運転状態を示す回路図である。
【図２３】実施形態１１に係る調湿装置が適用される外調システムの暖房加湿運転状態を示す回路図である。
【図２４】実施形態１２に係る調湿装置が適用される外調システムの回路図である。
【図２５】実施形態１２に係る調湿装置が適用される外調システムの冷房除湿運転状態を示す回路図である。
【図２６】実施形態１２に係る調湿装置が適用される外調システムの暖房加湿運転状態を示す回路図である。
【図２７】その他の実施形態１に係る調湿装置の加湿運転状態を示す回路図である。
【図２８】その他の実施形態２に係る調湿装置の加湿運転状態を示す回路図である。
【図２９】その他の実施形態に係る外調システムの回路図である。
【符号の説明】
【０２５１】
(1)   調湿装置
(10)  冷温水回路
(11)  第１四路切換弁
(12)  第２四路切換弁
(13)  温水流入管
(14)  第１流通管
(15)  温水流出管
(16)  冷水流入管
(17)  第２流通管
(18)  冷水流出管
(20)  吸着熱交換器
(21)  第１吸着熱交換器
(22)  第２吸着熱交換器
(30)  空気通路
(31)  空気通路
(32)  空気通路
(40)  吸着冷却素子
(40a) 調湿通路
(40b) 冷却通路
(41)  第１吸着冷却素子
(42)  第２吸着冷却素子
(50)  冷媒回路
(51)  圧縮機
(52)  第３四路切換弁
(53)  第３吸着熱交換器
(54)  膨張弁
(55)  第４吸着熱交換器
(60)  冷媒回路
(61)  圧縮機
(62)  第３四路切換弁
(63)  第１空気熱交換器
(64)  膨張弁
(65)  第２空気熱交換器
(70)  補助熱交換器
(71)  第１通路
(72)  第２通路
(P1)  第１ポート
(P2)  第２ポート
(P3)  第３ポート
(P4)  第４ポート
(81)  第１熱源回路（冷熱源）
(82)  第２熱源回路（冷熱源又は温熱源）
(90)  冷凍機
(95)  ボイラ
(101) 蓄熱装置
(102) 蓄熱装置
【手続補正３】
【補正対象書類名】図面
【補正対象項目名】図２７
【補正方法】変更
【補正の内容】
【図２７】
2006105576.tif 000032